(57)【要約】      （修正有）【課題】色度の低下が抑制された有機エレクトロルミネッセンス素子を提供すること。【解決手段】互いに構造が異なる化合物である第一のホスト材料，第一の有機材料並びに第一のドーパント材料を含む発光層５を有し、数式（数１）及び（数２）の少なくともいずれかを満たす、有機エレクトロルミネッセンス素子１。ΔＦＷＨＭ（Ｈ１）＝ＨＷＦ（Ｈ１）−ＨＷＳ（Ｈ１）≦１５（数１）ΔＦＷＨＭ（Ｈ２）＝ＨＷＦ（Ｈ２）−ＨＷＳ（Ｈ２）≦１５（数２）（ＨＷＦ（Ｈ１），ＨＷＦ（Ｈ２）は、それぞれ、第一のホスト材料，第一の有機材料の膜のフォトルミネッセンススペクトラムにおけるピーク半値幅（単位：ｎｍ）であり、ＨＷＳ（Ｈ１），ＨＷＳ（Ｈ２）は、それぞれ、第一のホスト材料，第一の有機材料の溶液のフォトルミネッセンススペクトラムにおけるピーク半値幅（単位：ｎｍ）である。）【選択図】図１
2022002256.tif 000002
【特許請求の範囲】
【請求項１】
陽極と、陰極と、前記陽極及び前記陰極の間に配置された発光層と、を有し、
前記発光層は、第一のホスト材料、第一の有機材料及び第一のドーパント材料を含み、
前記第一のホスト材料と前記第一の有機材料は、互いに構造が異なる化合物であり、
前記第一のホスト材料及び前記第一の有機材料の少なくともいずれかが、下記数式（数１）及び下記数式（数２）の少なくともいずれかの関係を満たし、
前記第一のホスト材料、前記第一の有機材料及び前記第一のドーパント材料は、下記数式（数３）、（数４）、（数５）及び（数６）の関係を満たす、
有機エレクトロルミネッセンス素子。
ΔＦＷＨＭ（Ｈ１）＝ＨＷＦ（Ｈ１）−ＨＷＳ（Ｈ１）≦１５  …（数１）
ΔＦＷＨＭ（Ｈ２）＝ＨＷＦ（Ｈ２）−ＨＷＳ（Ｈ２）≦１５  …（数２）
Ｔ１（Ｄ１）＞Ｔ１（Ｈ１）  …（数３）
Ｔ１（Ｄ１）＞Ｔ１（Ｈ２）  …（数４）
Ｓ１（Ｈ１）＞Ｓ１（Ｄ１）  …（数５）
Ｓ１（Ｈ２）＞Ｓ１（Ｄ１）  …（数６）
（前記数式（数１）及び（数２）中、
ＨＷＦ（Ｈ１）は、前記第一のホスト材料の膜のフォトルミネッセンススペクトラムにおけるピーク半値幅（単位：ｎｍ）であり、
ＨＷＳ（Ｈ１）は、前記第一のホスト材料の溶液のフォトルミネッセンススペクトラムにおけるピーク半値幅（単位：ｎｍ）であり、
ΔＦＷＨＭ（Ｈ１）は、ＨＷＦ（Ｈ１）とＨＷＳ（Ｈ１）との差であり、
ＨＷＦ（Ｈ２）は、前記第一の有機材料の膜のフォトルミネッセンススペクトラムにおけるピーク半値幅（単位：ｎｍ）であり、
ＨＷＳ（Ｈ２）は、前記第一の有機材料の溶液のフォトルミネッセンススペクトラムにおけるピーク半値幅（単位：ｎｍ）であり、
ΔＦＷＨＭ（Ｈ２）は、ＨＷＦ（Ｈ２）とＨＷＳ（Ｈ２）との差であり、
前記数式（数３）〜（数６）中、
Ｔ１（Ｈ１）は、前記第一のホスト材料の三重項エネルギー（単位：ｅＶ）であり、
Ｔ１（Ｈ２）は、前記第一の有機材料の三重項エネルギー（単位：ｅＶ）であり、
Ｔ１（Ｄ１）は、前記第一のドーパント材料の三重項エネルギー（単位：ｅＶ）であり、
Ｓ１（Ｈ１）は、前記第一のホスト材料の一重項エネルギー（単位：ｅＶ）であり、
Ｓ１（Ｈ２）は、前記第一の有機材料の一重項エネルギー（単位：ｅＶ）であり、
Ｓ１（Ｄ１）は、前記第一のドーパント材料の一重項エネルギー（単位：ｅＶ）である。）
【請求項２】
請求項１に記載の有機エレクトロルミネッセンス素子において、
前記第一のホスト材料及び前記第一の有機材料が、下記数式（数７）の関係を満たす、
有機エレクトロルミネッセンス素子。
Ｉｐ（Ｈ１）≧Ｉｐ（Ｈ２）  …（数７）
（前記数式（数７）中、Ｉｐ（Ｈ１）は、前記第一のホスト材料のイオン化ポテンシャル（単位：ｅＶ）であり、Ｉｐ（Ｈ２）は、前記第一の有機材料のイオン化ポテンシャル（単位：ｅＶ）である。）
【請求項３】
請求項１又は請求項２に記載の有機エレクトロルミネッセンス素子において、
前記第一のホスト材料及び前記第一の有機材料が、下記数式（数９）の関係を満たす、
有機エレクトロルミネッセンス素子。
Ａｆ（Ｈ１）≧Ａｆ（Ｈ２）  …（数９）
（前記数式（数９）中、Ａｆ（Ｈ１）は、前記第一のホスト材料の電子アフィニティ準位（単位：ｅＶ）であり、Ａｆ（Ｈ２）は、前記第一の有機材料の電子アフィニティ準位（単位：ｅＶ）である。）
【請求項４】
請求項１から請求項３のいずれか一項に記載の有機エレクトロルミネッセンス素子において、
前記第一のホスト材料は、前記数式（数１）の関係を満たさず、
前記第一の有機材料は、前記数式（数２）の関係を満たす、
有機エレクトロルミネッセンス素子。
【請求項５】
請求項１から請求項４のいずれか一項に記載の有機エレクトロルミネッセンス素子において、
前記第一のホスト材料は、アントラセン環を有さない化合物である、
有機エレクトロルミネッセンス素子。
【請求項６】
請求項１から請求項５のいずれか一項に記載の有機エレクトロルミネッセンス素子において、
前記第一のホスト材料は、分子量が２０００以下の化合物である、
有機エレクトロルミネッセンス素子。
【請求項７】
請求項１から請求項６のいずれか一項に記載の有機エレクトロルミネッセンス素子において、
前記第一の有機材料は、アントラセン環を有さない化合物である、
有機エレクトロルミネッセンス素子。
【請求項８】
請求項１から請求項７のいずれか一項に記載の有機エレクトロルミネッセンス素子において、
前記第一の有機材料は、分子量が２０００以下の化合物である、
有機エレクトロルミネッセンス素子。
【請求項９】
請求項１から請求項８のいずれか一項に記載の有機エレクトロルミネッセンス素子において、
前記第一のホスト材料は、下記一般式（１１）で表される基を少なくとも１つ有し、かつ下記一般式（１）で表される化合物である、
有機エレクトロルミネッセンス素子。
【化１】
2022002256.tif 000211
（前記一般式（１）において、
Ｒ１０１〜Ｒ１１０は、それぞれ独立に、
水素原子、
置換もしくは無置換の炭素数１〜５０のアルキル基、
置換もしくは無置換の炭素数１〜５０のハロアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｓｉ（Ｒ９０１）（Ｒ９０２）（Ｒ９０３）で表される基、
−Ｏ−（Ｒ９０４）で表される基、
−Ｓ−（Ｒ９０５）で表される基、
置換もしくは無置換の炭素数７〜５０のアラルキル基、
−Ｃ（＝Ｏ）Ｒ８０１で表される基、
−ＣＯＯＲ８０２で表される基、
ハロゲン原子、
シアノ基、
ニトロ基、
置換もしくは無置換の環形成炭素数６〜５０のアリール基、
置換もしくは無置換の環形成原子数５〜５０の複素環基、又は
前記一般式（１１）で表される基であり、
ただし、Ｒ１０１〜Ｒ１１０の少なくとも１つは、前記一般式（１１）で表される基であり、
前記一般式（１１）で表される基が複数存在する場合、複数の前記一般式（１１）で表される基は、互いに同一であるか又は異なり、
Ｌ１０１は、
単結合、
置換もしくは無置換の環形成炭素数６〜５０のアリーレン基、又は
置換もしくは無置換の環形成原子数５〜５０の２価の複素環基であり、
Ａｒ１０１は、
置換もしくは無置換の環形成炭素数６〜５０のアリール基、又は
置換もしくは無置換の環形成原子数５〜５０の複素環基であり、
ｍｘは、０、１、２、３、４又は５であり、
Ｌ１０１が２以上存在する場合、２以上のＬ１０１は、互いに同一であるか、又は異なり、
Ａｒ１０１が２以上存在する場合、２以上のＡｒ１０１は、互いに同一であるか、又は異なり、
前記一般式（１１）中の＊は、前記一般式（１）中のピレン環との結合位置を示す。）
（前記第一のホスト材料において、Ｒ９０１、Ｒ９０２、Ｒ９０３、Ｒ９０４、Ｒ９０５、Ｒ８０１及びＲ８０２は、それぞれ独立に、
水素原子、
置換もしくは無置換の炭素数１〜５０のアルキル基、
置換もしくは無置換の環形成炭素数３〜５０のシクロアルキル基、
置換もしくは無置換の環形成炭素数６〜５０のアリール基、又は
置換もしくは無置換の環形成原子数５〜５０の複素環基であり、
Ｒ９０１が複数存在する場合、複数のＲ９０１は、互いに同一であるか又は異なり、
Ｒ９０２が複数存在する場合、複数のＲ９０２は、互いに同一であるか又は異なり、
Ｒ９０３が複数存在する場合、複数のＲ９０３は、互いに同一であるか又は異なり、
Ｒ９０４が複数存在する場合、複数のＲ９０４は、互いに同一であるか又は異なり、
Ｒ９０５が複数存在する場合、複数のＲ９０５は、互いに同一であるか又は異なり、
Ｒ８０１が複数存在する場合、複数のＲ８０１は、互いに同一であるか又は異なり、
Ｒ８０２が複数存在する場合、複数のＲ８０２は、互いに同一であるか又は異なる。）
【請求項１０】
請求項１から請求項８のいずれか一項に記載の有機エレクトロルミネッセンス素子において、
前記第一のホスト材料は、下記一般式（１１１Ｘ）で表される基を少なくとも１つ有し、かつ下記一般式（１１Ｘ）で表される化合物である、
有機エレクトロルミネッセンス素子。
【化２】
2022002256.tif 000212
（前記一般式（１１Ｘ）において、
Ｒ１１０１〜Ｒ１１１２は、それぞれ独立に、
水素原子、
置換もしくは無置換の炭素数１〜５０のアルキル基、
置換もしくは無置換の炭素数１〜５０のハロアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｓｉ（Ｒ９０１）（Ｒ９０２）（Ｒ９０３）で表される基、
−Ｏ−（Ｒ９０４）で表される基、
−Ｓ−（Ｒ９０５）で表される基、
置換もしくは無置換の炭素数７〜５０のアラルキル基、
−Ｃ（＝Ｏ）Ｒ８０１で表される基、
−ＣＯＯＲ８０２で表される基、
ハロゲン原子、
シアノ基、
ニトロ基、
置換もしくは無置換の環形成炭素数６〜５０のアリール基、
置換もしくは無置換の環形成原子数５〜５０の複素環基、又は
前記一般式（１１１Ｘ）で表される基であり、
ただし、Ｒ１１０１〜Ｒ１１１２の少なくとも１つは、前記一般式（１１１Ｘ）で表される基であり、
前記一般式（１１１Ｘ）で表される基が複数存在する場合、複数の前記一般式（１１１Ｘ）で表される基は、互いに同一であるか又は異なり、
Ｌ１１０１は、
単結合、
置換もしくは無置換の環形成炭素数６〜５０のアリーレン基、又は
置換もしくは無置換の環形成原子数５〜５０の２価の複素環基であり、
Ａｒ１１０１は、
置換もしくは無置換の環形成炭素数６〜５０のアリール基、又は
置換もしくは無置換の環形成原子数５〜５０の複素環基であり、
ｍｘ１は、１、２、３、４又は５であり、
Ｌ１１０１が２以上存在する場合、２以上のＬ１１０１は、互いに同一であるか、又は異なり、
Ａｒ１１０１が２以上存在する場合、２以上のＡｒ１１０１は、互いに同一であるか、又は異なり、
前記一般式（１１１Ｘ）中の＊は、前記一般式（１１Ｘ）中のベンズ［ａ］アントラセン環との結合位置を示す。）
（前記第一のホスト材料において、Ｒ９０１、Ｒ９０２、Ｒ９０３、Ｒ９０４、Ｒ９０５、Ｒ８０１及びＲ８０２は、それぞれ独立に、
水素原子、
置換もしくは無置換の炭素数１〜５０のアルキル基、
置換もしくは無置換の環形成炭素数３〜５０のシクロアルキル基、
置換もしくは無置換の環形成炭素数６〜５０のアリール基、又は
置換もしくは無置換の環形成原子数５〜５０の複素環基であり、
Ｒ９０１が複数存在する場合、複数のＲ９０１は、互いに同一であるか又は異なり、
Ｒ９０２が複数存在する場合、複数のＲ９０２は、互いに同一であるか又は異なり、
Ｒ９０３が複数存在する場合、複数のＲ９０３は、互いに同一であるか又は異なり、
Ｒ９０４が複数存在する場合、複数のＲ９０４は、互いに同一であるか又は異なり、
Ｒ９０５が複数存在する場合、複数のＲ９０５は、互いに同一であるか又は異なり、
Ｒ８０１が複数存在する場合、複数のＲ８０１は、互いに同一であるか又は異なり、
Ｒ８０２が複数存在する場合、複数のＲ８０２は、互いに同一であるか又は異なる。）
【請求項１１】
請求項１から請求項８のいずれか一項に記載の有機エレクトロルミネッセンス素子において、
前記第一のホスト材料は、下記一般式（１２１Ｘ）で表される基を少なくとも１つ有し、かつ下記一般式（１２Ｘ）で表される化合物である、
有機エレクトロルミネッセンス素子。
【化３】
2022002256.tif 000213
（前記一般式（１２Ｘ）において、
Ｒ１２０１〜Ｒ１２１０のうちの隣接する２つ以上からなる組の１組以上が、
互いに結合して、置換もしくは無置換の単環を形成するか、又は
互いに結合して、置換もしくは無置換の縮合環を形成し、
前記置換もしくは無置換の単環を形成せず、かつ及び前記置換もしくは無置換の縮合環を形成しないＲ１２０１〜Ｒ１２１０は、それぞれ独立に、
水素原子、
置換もしくは無置換の炭素数１〜５０のアルキル基、
置換もしくは無置換の炭素数１〜５０のハロアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｓｉ（Ｒ９０１）（Ｒ９０２）（Ｒ９０３）で表される基、
−Ｏ−（Ｒ９０４）で表される基、
−Ｓ−（Ｒ９０５）で表される基、
置換もしくは無置換の炭素数７〜５０のアラルキル基、
−Ｃ（＝Ｏ）Ｒ８０１で表される基、
−ＣＯＯＲ８０２で表される基、
ハロゲン原子、
シアノ基、
ニトロ基、
置換もしくは無置換の環形成炭素数６〜５０のアリール基、
置換もしくは無置換の環形成原子数５〜５０の複素環基、又は
前記一般式（１２１Ｘ）で表される基であり、
ただし、前記置換もしくは無置換の単環が置換基を有する場合の当該置換基、前記置換もしくは無置換の縮合環が置換基を有する場合の当該置換基、並びにＲ１２０１〜Ｒ１２１０の少なくとも１つが、前記一般式（１２１Ｘ）で表される基であり、
前記一般式（１２１Ｘ）で表される基が複数存在する場合、複数の前記一般式（１２１Ｘ）で表される基は、互いに同一であるか又は異なり、
Ｌ１２０１は、
単結合、
置換もしくは無置換の環形成炭素数６〜５０のアリーレン基、又は
置換もしくは無置換の環形成原子数５〜５０の２価の複素環基であり、
Ａｒ１２０１は、
置換もしくは無置換の環形成炭素数６〜５０のアリール基、又は
置換もしくは無置換の環形成原子数５〜５０の複素環基であり、
ｍｘ２は、１、２、３、４又は５であり、
Ｌ１２０１が２以上存在する場合、２以上のＬ１２０１は、互いに同一であるか、又は異なり、
Ａｒ１２０１が２以上存在する場合、２以上のＡｒ１２０１は、互いに同一であるか、又は異なり、
前記一般式（１２１Ｘ）中の＊は、前記一般式（１２Ｘ）で表される環との結合位置を示す。）
（前記第一のホスト材料において、Ｒ９０１、Ｒ９０２、Ｒ９０３、Ｒ９０４、Ｒ９０５、Ｒ８０１及びＲ８０２は、それぞれ独立に、
水素原子、
置換もしくは無置換の炭素数１〜５０のアルキル基、
置換もしくは無置換の環形成炭素数３〜５０のシクロアルキル基、
置換もしくは無置換の環形成炭素数６〜５０のアリール基、又は
置換もしくは無置換の環形成原子数５〜５０の複素環基であり、
Ｒ９０１が複数存在する場合、複数のＲ９０１は、互いに同一であるか又は異なり、
Ｒ９０２が複数存在する場合、複数のＲ９０２は、互いに同一であるか又は異なり、
Ｒ９０３が複数存在する場合、複数のＲ９０３は、互いに同一であるか又は異なり、
Ｒ９０４が複数存在する場合、複数のＲ９０４は、互いに同一であるか又は異なり、
Ｒ９０５が複数存在する場合、複数のＲ９０５は、互いに同一であるか又は異なり、
Ｒ８０１が複数存在する場合、複数のＲ８０１は、互いに同一であるか又は異なり、
Ｒ８０２が複数存在する場合、複数のＲ８０２は、互いに同一であるか又は異なる。）
【請求項１２】
請求項１から請求項８のいずれか一項に記載の有機エレクトロルミネッセンス素子において、
前記第一のホスト材料は、下記一般式（１３１Ｘ）で表される基を少なくとも１つ有し、かつ下記一般式（１３Ｘ）で表される化合物である、
有機エレクトロルミネッセンス素子。
【化４】
2022002256.tif 000214
（前記一般式（１３Ｘ）において、
Ｒ１３０１〜Ｒ１３１０は、それぞれ独立に、
水素原子、
置換もしくは無置換の炭素数１〜５０のアルキル基、
置換もしくは無置換の炭素数１〜５０のハロアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｓｉ（Ｒ９０１）（Ｒ９０２）（Ｒ９０３）で表される基、
−Ｏ−（Ｒ９０４）で表される基、
−Ｓ−（Ｒ９０５）で表される基、
置換もしくは無置換の炭素数７〜５０のアラルキル基、
−Ｃ（＝Ｏ）Ｒ８０１で表される基、
−ＣＯＯＲ８０２で表される基、
ハロゲン原子、
シアノ基、
ニトロ基、
置換もしくは無置換の環形成炭素数６〜５０のアリール基、
置換もしくは無置換の環形成原子数５〜５０の複素環基、又は
前記一般式（１３１Ｘ）で表される基であり、
ただし、Ｒ１３０１〜Ｒ１３１０の少なくとも１つは、前記一般式（１３１Ｘ）で表される基であり、
前記一般式（１３１Ｘ）で表される基が複数存在する場合、複数の前記一般式（１３１Ｘ）で表される基は、互いに同一であるか又は異なり、
Ｌ１３０１は、
単結合、
置換もしくは無置換の環形成炭素数６〜５０のアリーレン基、又は
置換もしくは無置換の環形成原子数５〜５０の２価の複素環基であり、
Ａｒ１３０１は、
置換もしくは無置換の環形成炭素数６〜５０のアリール基、又は
置換もしくは無置換の環形成原子数５〜５０の複素環基であり、
ｍｘ３は、１、２、３、４又は５であり、
Ｌ１３０１が２以上存在する場合、２以上のＬ１３０１は、互いに同一であるか、又は異なり、
Ａｒ１３０１が２以上存在する場合、２以上のＡｒ１３０１は、互いに同一であるか、又は異なり、
前記一般式（１３１Ｘ）中の＊は、前記一般式（１３Ｘ）中のフルオランテン環との結合位置を示す。）
（前記第一のホスト材料において、Ｒ９０１、Ｒ９０２、Ｒ９０３、Ｒ９０４、Ｒ９０５、Ｒ８０１及びＲ８０２は、それぞれ独立に、
水素原子、
置換もしくは無置換の炭素数１〜５０のアルキル基、
置換もしくは無置換の環形成炭素数３〜５０のシクロアルキル基、
置換もしくは無置換の環形成炭素数６〜５０のアリール基、又は
置換もしくは無置換の環形成原子数５〜５０の複素環基であり、
Ｒ９０１が複数存在する場合、複数のＲ９０１は、互いに同一であるか又は異なり、
Ｒ９０２が複数存在する場合、複数のＲ９０２は、互いに同一であるか又は異なり、
Ｒ９０３が複数存在する場合、複数のＲ９０３は、互いに同一であるか又は異なり、
Ｒ９０４が複数存在する場合、複数のＲ９０４は、互いに同一であるか又は異なり、
Ｒ９０５が複数存在する場合、複数のＲ９０５は、互いに同一であるか又は異なり、
Ｒ８０１が複数存在する場合、複数のＲ８０１は、互いに同一であるか又は異なり、
Ｒ８０２が複数存在する場合、複数のＲ８０２は、互いに同一であるか又は異なる。）
【請求項１３】
請求項１から請求項８のいずれか一項に記載の有機エレクトロルミネッセンス素子において、
前記第一のホスト材料は、下記一般式（１４１Ｘ）で表される基を少なくとも１つ有し、かつ下記一般式（１４Ｘ）で表される化合物である、
有機エレクトロルミネッセンス素子。
【化５】
2022002256.tif 000215
（前記一般式（１４Ｘ）において、
Ｒ１４０１〜Ｒ１４１０は、それぞれ独立に、
水素原子、
置換もしくは無置換の炭素数１〜５０のアルキル基、
置換もしくは無置換の炭素数１〜５０のハロアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｓｉ（Ｒ９０１）（Ｒ９０２）（Ｒ９０３）で表される基、
−Ｏ−（Ｒ９０４）で表される基、
−Ｓ−（Ｒ９０５）で表される基、
置換もしくは無置換の炭素数７〜５０のアラルキル基、
−Ｃ（＝Ｏ）Ｒ８０１で表される基、
−ＣＯＯＲ８０２で表される基、
ハロゲン原子、
シアノ基、
ニトロ基、
置換もしくは無置換の環形成炭素数６〜５０のアリール基、
置換もしくは無置換の環形成原子数５〜５０の複素環基、又は
前記一般式（１４１Ｘ）で表される基であり、
ただし、Ｒ１４０１〜Ｒ１４１０の少なくとも１つは、前記一般式（１４１Ｘ）で表される基であり、
前記一般式（１４１Ｘ）で表される基が複数存在する場合、複数の前記一般式（１４１Ｘ）で表される基は、互いに同一であるか又は異なり、
Ｌ１４０１は、
単結合、
置換もしくは無置換の環形成炭素数６〜５０のアリーレン基、又は
置換もしくは無置換の環形成原子数５〜５０の２価の複素環基であり、
Ａｒ１４０１は、
置換もしくは無置換の環形成炭素数６〜５０のアリール基、又は
置換もしくは無置換の環形成原子数５〜５０の複素環基であり、
ｍｘ４は、１、２、３、４又は５であり、
Ｌ１４０１が２以上存在する場合、２以上のＬ１４０１は、互いに同一であるか、又は異なり、
Ａｒ１４０１が２以上存在する場合、２以上のＡｒ１４０１は、互いに同一であるか、又は異なり、
前記一般式（１４１Ｘ）中の＊は、前記一般式（１４Ｘ）で表される環との結合位置を示す。）
（前記第一のホスト材料において、Ｒ９０１、Ｒ９０２、Ｒ９０３、Ｒ９０４、Ｒ９０５、Ｒ８０１及びＲ８０２は、それぞれ独立に、
水素原子、
置換もしくは無置換の炭素数１〜５０のアルキル基、
置換もしくは無置換の環形成炭素数３〜５０のシクロアルキル基、
置換もしくは無置換の環形成炭素数６〜５０のアリール基、又は
置換もしくは無置換の環形成原子数５〜５０の複素環基であり、
Ｒ９０１が複数存在する場合、複数のＲ９０１は、互いに同一であるか又は異なり、
Ｒ９０２が複数存在する場合、複数のＲ９０２は、互いに同一であるか又は異なり、
Ｒ９０３が複数存在する場合、複数のＲ９０３は、互いに同一であるか又は異なり、
Ｒ９０４が複数存在する場合、複数のＲ９０４は、互いに同一であるか又は異なり、
Ｒ９０５が複数存在する場合、複数のＲ９０５は、互いに同一であるか又は異なり、
Ｒ８０１が複数存在する場合、複数のＲ８０１は、互いに同一であるか又は異なり、
Ｒ８０２が複数存在する場合、複数のＲ８０２は、互いに同一であるか又は異なる。）
【請求項１４】
請求項１から請求項１３のいずれか一項に記載の有機エレクトロルミネッセンス素子において、
前記第一の有機材料は、下記一般式（２１）で表される化合物である、
有機エレクトロルミネッセンス素子。
【化６】
2022002256.tif 000216
（前記一般式（２１）において、
ＬＡ１、ＬＢ１、及びＬＣ１は、それぞれ独立に、
単結合、
置換もしくは無置換の環形成炭素数６〜１８のアリーレン基、又は
置換もしくは無置換の環形成原子数５〜１３の２価の複素環基であり、
Ａ１、Ｂ１、及びＣ１は、それぞれ独立に、
置換もしくは無置換の環形成炭素数６〜３０のアリール基、
置換もしくは無置換の環形成原子数５〜３０の複素環基、又は
−Ｓｉ（Ｒ９２１）（Ｒ９２２）（Ｒ９２３）で表される基であり、
Ｒ９２１、Ｒ９２２及びＲ９２３は、それぞれ独立に、置換もしくは無置換の環形成炭素数６〜３０のアリール基であり、
Ｒ９２１が複数存在する場合、複数のＲ９２１は、互いに同一であるか、又は異なり、
Ｒ９２２が複数存在する場合、複数のＲ９２２は、互いに同一であるか、又は異なり、
Ｒ９２３が複数存在する場合、複数のＲ９２３は、互いに同一であるか、又は異なる。）
【請求項１５】
請求項１から請求項１３のいずれか一項に記載の有機エレクトロルミネッセンス素子において、
前記第一の有機材料は、下記一般式（２２）で表される化合物である、
有機エレクトロルミネッセンス素子。
【化７】
2022002256.tif 000217
（前記一般式（２２）において、
Ａ２１及びＡ２２は、それぞれ独立に、
置換もしくは無置換の環形成炭素数６〜３０のアリール基、又は
置換もしくは無置換の環形成原子数５〜３０の複素環基であり、
Ｙ５〜Ｙ８のうち１つは、＊１に結合する炭素原子であり、
Ｙ９〜Ｙ１２のうち１つは、＊２に結合する炭素原子であり、
Ｙ１〜Ｙ４、Ｙ１３〜Ｙ１６、＊１に結合する炭素原子ではないＹ５〜Ｙ８、及び＊２に結合する炭素原子ではないＹ９〜Ｙ１２は、それぞれ独立に、ＣＲ２０であり、
Ｒ２０が複数存在する場合、複数のＲ２０のうち隣接する２つ以上からなる組の１組以上が、互いに結合して、置換もしくは無置換の単環を形成するか、互いに結合して、置換もしくは無置換の縮合環を形成するか、又は互いに結合せず、
前記置換もしくは無置換の単環を形成せず、かつ、前記置換もしくは無置換の縮合環を形成しないＲ２０は、それぞれ独立に、
水素原子、
シアノ基、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｓｉ（Ｒ９０１）（Ｒ９０２）（Ｒ９０３）で表される基、
−Ｏ−（Ｒ９０４）で表される基、
ハロゲン原子、
ニトロ基、
置換もしくは無置換の環形成炭素数６〜５０のアリール基、又は
置換もしくは無置換の環形成原子数５〜５０の複素環基であり、
Ｌ２１及びＬ２２は、それぞれ独立に、
単結合、
置換もしくは無置換の環形成炭素数６〜３０のアリーレン基、又は
置換もしくは無置換の環形成原子数５〜３０の２価の複素環基である。）
（前記第一の有機材料において、Ｒ９０１、Ｒ９０２、Ｒ９０３及びＲ９０４は、それぞれ独立に、
水素原子、
置換もしくは無置換の炭素数１〜５０のアルキル基、
置換もしくは無置換の環形成炭素数３〜５０のシクロアルキル基、
置換もしくは無置換の環形成炭素数６〜５０のアリール基、又は
置換もしくは無置換の環形成原子数５〜５０の複素環基であり、
Ｒ９０１が複数存在する場合、複数のＲ９０１は、互いに同一であるか又は異なり、
Ｒ９０２が複数存在する場合、複数のＲ９０２は、互いに同一であるか又は異なり、
Ｒ９０３が複数存在する場合、複数のＲ９０３は、互いに同一であるか又は異なり、
Ｒ９０４が複数存在する場合、複数のＲ９０４は、互いに同一であるか又は異なる。）
【請求項１６】
請求項１から請求項１３のいずれか一項に記載の有機エレクトロルミネッセンス素子において、
前記第一の有機材料は、下記一般式（２３）で表される化合物である、
有機エレクトロルミネッセンス素子。
【化８】
2022002256.tif 000218
（前記一般式（２３）において、
Ｒ２３０１〜Ｒ２３１０は、それぞれ独立に、
水素原子、
置換もしくは無置換の炭素数１〜５０のアルキル基、
置換もしくは無置換の炭素数１〜５０のハロアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｓｉ（Ｒ９０１）（Ｒ９０２）（Ｒ９０３）で表される基、
−Ｏ−（Ｒ９０４）で表される基、
−Ｓ−（Ｒ９０５）で表される基、
置換もしくは無置換の炭素数７〜５０のアラルキル基、
−Ｃ（＝Ｏ）Ｒ８０１で表される基、
−ＣＯＯＲ８０２で表される基、
ハロゲン原子、
シアノ基、
ニトロ基、
置換もしくは無置換の環形成炭素数６〜５０のアリール基、
置換もしくは無置換の環形成原子数５〜５０の複素環基、又は
前記一般式（２３１）で表される基であり、
前記一般式（２３１）で表される基が複数存在する場合、複数の前記一般式（２３１）で表される基は、互いに同一であるか又は異なり、
Ｌ２３１は、
単結合、
置換もしくは無置換の環形成炭素数６〜５０のアリーレン基、又は
置換もしくは無置換の環形成原子数５〜５０の２価の複素環基であり、
Ａｒ２３１は、
置換もしくは無置換の環形成炭素数６〜５０のアリール基、又は
置換もしくは無置換の環形成原子数５〜５０の複素環基であり、
ｍ２３は、１、２、３、４又は５であり、
Ｌ２３１が２以上存在する場合、２以上のＬ２３１は、互いに同一であるか、又は異なり、
Ａｒ２３１が２以上存在する場合、２以上のＡｒ２３１は、互いに同一であるか、又は異なり、
前記一般式（２３１）で表される化合物の分子中に複数のピレン環を含む場合、当該複数のピレン環の少なくともいずれかは、置換もしくは無置換の炭素数３〜５０のアルキル基を有し、
前記一般式（２３１）中の＊は、前記一般式（２３）中のピレン環との結合位置を示す。）
（前記第一の有機材料において、Ｒ９０１、Ｒ９０２、Ｒ９０３、Ｒ９０４、Ｒ９０５、Ｒ８０１及びＲ８０２は、それぞれ独立に、
水素原子、
置換もしくは無置換の炭素数１〜５０のアルキル基、
置換もしくは無置換の環形成炭素数３〜５０のシクロアルキル基、
置換もしくは無置換の環形成炭素数６〜５０のアリール基、又は
置換もしくは無置換の環形成原子数５〜５０の複素環基であり、
Ｒ９０１が複数存在する場合、複数のＲ９０１は、互いに同一であるか又は異なり、
Ｒ９０２が複数存在する場合、複数のＲ９０２は、互いに同一であるか又は異なり、
Ｒ９０３が複数存在する場合、複数のＲ９０３は、互いに同一であるか又は異なり、
Ｒ９０４が複数存在する場合、複数のＲ９０４は、互いに同一であるか又は異なり、
Ｒ９０５が複数存在する場合、複数のＲ９０５は、互いに同一であるか又は異なり、
Ｒ８０１が複数存在する場合、複数のＲ８０１は、互いに同一であるか又は異なり、
Ｒ８０２が複数存在する場合、複数のＲ８０２は、互いに同一であるか又は異なる。）
【請求項１７】
請求項１から請求項１３のいずれか一項に記載の有機エレクトロルミネッセンス素子において、
前記第一の有機材料は、下記一般式（２４）で表される化合物である、
有機エレクトロルミネッセンス素子。
【化９】
2022002256.tif 000219
（前記一般式（２４）において、
Ｒ２４０１〜Ｒ２４１２は、それぞれ独立に、
水素原子、
置換もしくは無置換の炭素数１〜５０のアルキル基、
置換もしくは無置換の炭素数１〜５０のハロアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｓｉ（Ｒ９０１）（Ｒ９０２）（Ｒ９０３）で表される基、
−Ｏ−（Ｒ９０４）で表される基、
−Ｓ−（Ｒ９０５）で表される基、
置換もしくは無置換の炭素数７〜５０のアラルキル基、
−Ｃ（＝Ｏ）Ｒ８０１で表される基、
−ＣＯＯＲ８０２で表される基、
ハロゲン原子、
シアノ基、
ニトロ基、
置換もしくは無置換の環形成炭素数６〜５０のアリール基、
置換もしくは無置換の環形成原子数５〜５０の複素環基、又は
前記一般式（２４１）で表される基であり、
ただし、Ｒ２４０１〜Ｒ２４１２の少なくとも１つは、置換もしくは無置換の炭素数３〜５０のアルキル基であり、
前記一般式（２４１）で表される基が複数存在する場合、複数の前記一般式（２４１）で表される基は、互いに同一であるか又は異なり、
Ｌ２４１は、
単結合、
置換もしくは無置換の環形成炭素数６〜５０のアリーレン基、又は
置換もしくは無置換の環形成原子数５〜５０の２価の複素環基であり、
Ａｒ２４１は、
置換もしくは無置換の環形成炭素数６〜５０のアリール基、又は
置換もしくは無置換の環形成原子数５〜５０の複素環基であり、
ｍ２４は、１、２、３、４又は５であり、
Ｌ２４１が２以上存在する場合、２以上のＬ２４１は、互いに同一であるか、又は異なり、
Ａｒ２４１が２以上存在する場合、２以上のＡｒ２４１は、互いに同一であるか、又は異なり、
前記一般式（２４１）中の＊は、前記一般式（２４）中のベンズ［ａ］アントラセン環との結合位置を示す。）
（前記第一の有機材料において、Ｒ９０１、Ｒ９０２、Ｒ９０３、Ｒ９０４、Ｒ９０５、Ｒ８０１及びＲ８０２は、それぞれ独立に、
水素原子、
置換もしくは無置換の炭素数１〜５０のアルキル基、
置換もしくは無置換の環形成炭素数３〜５０のシクロアルキル基、
置換もしくは無置換の環形成炭素数６〜５０のアリール基、又は
置換もしくは無置換の環形成原子数５〜５０の複素環基であり、
Ｒ９０１が複数存在する場合、複数のＲ９０１は、互いに同一であるか又は異なり、
Ｒ９０２が複数存在する場合、複数のＲ９０２は、互いに同一であるか又は異なり、
Ｒ９０３が複数存在する場合、複数のＲ９０３は、互いに同一であるか又は異なり、
Ｒ９０４が複数存在する場合、複数のＲ９０４は、互いに同一であるか又は異なり、
Ｒ９０５が複数存在する場合、複数のＲ９０５は、互いに同一であるか又は異なり、
Ｒ８０１が複数存在する場合、複数のＲ８０１は、互いに同一であるか又は異なり、
Ｒ８０２が複数存在する場合、複数のＲ８０２は、互いに同一であるか又は異なる。）
【請求項１８】
請求項１から請求項１３のいずれか一項に記載の有機エレクトロルミネッセンス素子において、
前記第一の有機材料は、下記一般式（２５）で表される化合物である、
有機エレクトロルミネッセンス素子。
【化１０】
2022002256.tif 000220
（前記一般式（２５）において、
Ｒ２５０１〜Ｒ２５１０のうちの隣接する２つ以上からなる組の１組以上が、
互いに結合して、置換もしくは無置換の単環を形成するか、又は
互いに結合して、置換もしくは無置換の縮合環を形成し、
前記置換もしくは無置換の単環を形成せず、かつ及び前記置換もしくは無置換の縮合環を形成しないＲ２５０１〜Ｒ２５１０は、それぞれ独立に、
水素原子、
置換もしくは無置換の炭素数１〜５０のアルキル基、
置換もしくは無置換の炭素数１〜５０のハロアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｓｉ（Ｒ９０１）（Ｒ９０２）（Ｒ９０３）で表される基、
−Ｏ−（Ｒ９０４）で表される基、
−Ｓ−（Ｒ９０５）で表される基、
置換もしくは無置換の炭素数７〜５０のアラルキル基、
−Ｃ（＝Ｏ）Ｒ８０１で表される基、
−ＣＯＯＲ８０２で表される基、
ハロゲン原子、
シアノ基、
ニトロ基、
置換もしくは無置換の環形成炭素数６〜５０のアリール基、
置換もしくは無置換の環形成原子数５〜５０の複素環基、又は
前記一般式（２５１）で表される基であり、
ただし、前記置換もしくは無置換の単環が置換基を有する場合の当該置換基、前記置換もしくは無置換の縮合環が置換基を有する場合の当該置換基、並びにＲ２５０１〜Ｒ２５１０の少なくとも１つが、置換もしくは無置換の炭素数３〜５０のアルキル基であり、
前記一般式（２５１）で表される基が複数存在する場合、複数の前記一般式（２５１）で表される基は、互いに同一であるか又は異なり、
Ｌ２５１は、
単結合、
置換もしくは無置換の環形成炭素数６〜５０のアリーレン基、又は
置換もしくは無置換の環形成原子数５〜５０の２価の複素環基であり、
Ａｒ２５１は、
置換もしくは無置換の環形成炭素数６〜５０のアリール基、又は
置換もしくは無置換の環形成原子数５〜５０の複素環基であり、
ｍ２５は、１、２、３、４又は５であり、
Ｌ２５１が２以上存在する場合、２以上のＬ２５１は、互いに同一であるか、又は異なり、
Ａｒ２５１が２以上存在する場合、２以上のＡｒ２５１は、互いに同一であるか、又は異なり、
前記一般式（２５１）中の＊は、前記一般式（２５）で表される環との結合位置を示す。）
（前記第一の有機材料において、Ｒ９０１、Ｒ９０２、Ｒ９０３、Ｒ９０４、Ｒ９０５、Ｒ８０１及びＲ８０２は、それぞれ独立に、
水素原子、
置換もしくは無置換の炭素数１〜５０のアルキル基、
置換もしくは無置換の環形成炭素数３〜５０のシクロアルキル基、
置換もしくは無置換の環形成炭素数６〜５０のアリール基、又は
置換もしくは無置換の環形成原子数５〜５０の複素環基であり、
Ｒ９０１が複数存在する場合、複数のＲ９０１は、互いに同一であるか又は異なり、
Ｒ９０２が複数存在する場合、複数のＲ９０２は、互いに同一であるか又は異なり、
Ｒ９０３が複数存在する場合、複数のＲ９０３は、互いに同一であるか又は異なり、
Ｒ９０４が複数存在する場合、複数のＲ９０４は、互いに同一であるか又は異なり、
Ｒ９０５が複数存在する場合、複数のＲ９０５は、互いに同一であるか又は異なり、
Ｒ８０１が複数存在する場合、複数のＲ８０１は、互いに同一であるか又は異なり、
Ｒ８０２が複数存在する場合、複数のＲ８０２は、互いに同一であるか又は異なる。）
【請求項１９】
請求項１から請求項１３のいずれか一項に記載の有機エレクトロルミネッセンス素子において、
前記第一の有機材料は、下記一般式（２６）で表される化合物である、
有機エレクトロルミネッセンス素子。
【化１１】
2022002256.tif 000221
（前記一般式（２６）において、
Ｒ２６０１〜Ｒ２６０３は、それぞれ独立に、
水素原子、
ハロゲン原子、
置換もしくは無置換の炭素数１〜５０のアルキル基、
置換もしくは無置換の炭素数１〜５０のハロゲン化アルキル基、
置換もしくは無置換の環形成炭素数３〜５０のシクロアルキル基、
置換もしくは無置換の炭素数７〜５０のアラルキル基、
−Ｏ−（Ｒ９０４）で表される基、
−Ｓ−（Ｒ９０５）で表される基、
−Ｎ（Ｒ９０６）（Ｒ９０７）で表される基、
置換もしくは無置換の炭素数７〜６０のアラルキルアミノ基、
−Ｃ（＝Ｏ）Ｒ８０１で表される基、
シアノ基、
置換もしくは無置換の環形成炭素数６〜５０のアリール基、又は
置換もしくは無置換の環形成原子数５〜５０の複素環基であり、
Ｒ２６０６〜Ｒ２６１０のうち隣接する２つ以上からなる組の１組以上が、互いに結合して、置換もしくは無置換の単環を形成するか、互いに結合して、置換もしくは無置換の縮合環を形成するか、又は互いに結合せず、
前記置換もしくは無置換の単環を形成せず、かつ、前記置換もしくは無置換の縮合環を形成しないＲ２６０６及びＲ２６１０は、それぞれ独立に、
水素原子、又は
置換もしくは無置換の炭素数１〜５０のアルキル基であり、
前記置換もしくは無置換の単環を形成せず、かつ、前記置換もしくは無置換の縮合環を形成しないＲ２６０７〜Ｒ２６０９は、それぞれ独立に、
水素原子、
ハロゲン原子、
置換もしくは無置換の炭素数１〜５０のアルキル基、
置換もしくは無置換の炭素数１〜５０のハロゲン化アルキル基、
置換もしくは無置換の環形成炭素数３〜５０のシクロアルキル基、
置換もしくは無置換の炭素数７〜５０のアラルキル基、
−Ｏ−（Ｒ９０４）で表される基、
−Ｓ−（Ｒ９０５）で表される基、
−Ｎ（Ｒ９０６）（Ｒ９０７）で表される基、
置換もしくは無置換の炭素数７〜６０のアラルキルアミノ基、
−Ｃ（＝Ｏ）Ｒ８０１で表される基、
シアノ基、
置換もしくは無置換の環形成炭素数６〜５０のアリール基、又は
置換もしくは無置換の環形成原子数５〜５０の複素環基であり、
但し、Ｒ２６０８及びＲ２６０９の組またはＲ２６０８及びＲ２６０７の組が、前記置換もしくは無置換の単環を形成せず、かつ、前記置換もしくは無置換の縮合環を形成しない場合、Ｒ２６０７〜Ｒ２６０９の少なくとも１つは、
置換もしくは無置換の９−カルバゾリル基、
置換もしくは無置換の窒素原子数２〜５のアザカルバゾリル基、
置換もしくは無置換のジベンゾフラニル基、
置換もしくは無置換のジベンゾチオフェニル基、
置換のフェニル基、又は
置換のビフェニル基であり、
当該置換のフェニル基及び置換のビフェニル基は、それぞれ独立に、
置換もしくは無置換の９−カルバゾリル基、
置換もしくは無置換の窒素原子数２〜５のアザカルバゾリル基、
置換もしくは無置換のジベンゾフラニル基、及び
置換もしくは無置換のジベンゾチオフェニル基からなる群から選択される少なくとも１つの基を有し、
ただし、Ｒ２６０８及びＲ２６０９の組、又はＲ２６０８とＲ２６０７の組と、Ｒ２６０７〜Ｒ２６０９が結合しているベンゼン環とでカルバゾリル基を形成する場合はなく、
Ｒ２６０７〜Ｒ２６０９のいずれかが、置換もしくは無置換のジベンゾフラニル基または置換もしくは無置換のジベンゾチオフェニル基である場合、Ｒ２６０１〜Ｒ２６０３は、水素原子であり、
Ｒ２６０１〜Ｒ２６０３およびＲ２６０６〜Ｒ２６１０の各置換基は、末端に重合性官能基を有することはなく、
Ｘ２６は、硫黄原子または酸素原子である。）
（前記第一の有機材料において、Ｒ９０４、Ｒ９０５、Ｒ９０６、Ｒ９０７、及びＲ８０１は、それぞれ独立に、
水素原子、
置換もしくは無置換の炭素数１〜５０のアルキル基、
置換もしくは無置換の環形成炭素数３〜５０のシクロアルキル基、
置換もしくは無置換の環形成炭素数６〜５０のアリール基、又は
置換もしくは無置換の環形成原子数５〜５０の複素環基であり、
Ｒ９０４が複数存在する場合、複数のＲ９０４は、互いに同一であるか又は異なり、
Ｒ９０５が複数存在する場合、複数のＲ９０５は、互いに同一であるか又は異なり、
Ｒ９０６が複数存在する場合、複数のＲ９０６は、互いに同一であるか又は異なり、
Ｒ９０７が複数存在する場合、複数のＲ９０７は、互いに同一であるか又は異なり、
Ｒ８０１が複数存在する場合、複数のＲ８０１は、互いに同一であるか又は異なる。）
【請求項２０】
請求項１から請求項１３のいずれか一項に記載の有機エレクトロルミネッセンス素子において、
前記第一の有機材料は、下記一般式（２７）又は一般式（２８）で表される化合物である、
有機エレクトロルミネッセンス素子。
【化１２】
2022002256.tif 000222
【化１３】
2022002256.tif 000223
（前記一般式（２７）及び一般式（２８）において、
Ａｒ２７１、Ａｒ２７２及びＡｒ２７３は、それぞれ独立に、
置換もしくは無置換の環形成炭素数６の芳香族炭化水素基、又は
置換もしくは無置換の環形成原子数６の芳香族複素環基であり、
ただし、Ａｒ２７１、Ａｒ２７２及びＡｒ２７３は、置換基Ｙを一個又は複数個有していてもよく、複数の置換基Ｙは、互いに同一であるか又は異なり、
置換基Ｙは、
炭素数１〜５０のアルキル基、
置換もしくは無置換の環形成炭素数３〜５０のシクロアルキル基、
炭素数７〜５０のアラルキル基、
−Ｓｉ（Ｒ９０１）（Ｒ９０２）（Ｒ９０３）で表される基、
−Ｏ−（Ｒ９０４）で表される基、
置換もしくは無置換の環形成炭素数６〜５０のアリール基、又は
Ａｒ２７１、Ａｒ２７２及びＡｒ２７３のいずれかと炭素−炭素結合で連結する置換もしくは無置換の環形成原子数５〜２４の複素環基であり、
Ｘ２７１、Ｘ２７２、Ｘ２７３及びＸ２７４は、それぞれ独立に、酸素原子、硫黄原子、Ｎ−Ｒ２７１又はＣＲ２７２Ｒ２７３であり、
Ｒ２７１、Ｒ２７２及びＲ２７３は、それぞれ独立に、
炭素数１〜５０のアルキル基、
置換もしくは無置換の環形成炭素数３〜５０のシクロアルキル基、
炭素数７〜５０のアラルキル基、
−Ｓｉ（Ｒ９０１）（Ｒ９０２）（Ｒ９０３）で表される基、
置換もしくは無置換の環形成炭素数６〜５０のアリール基、又は
置換もしくは無置換の環形成原子数５〜２４の複素環基であり、
ｒ、ｐ及びｑは、それぞれ独立に、０又は１であり、
ｓは、１、２又は３であり、
ｎは、２、３又は４であり、それぞれＬ２７３を連結基とした２量体、３量体、４量体であり、
ただし、Ｘ２７１とＸ２７２が共にＮ−Ｒ２７１であり、かつ、ｒ及びｐが０であり、ｑが１である場合、又は、Ｘ２７１とＸ２７３が共にＮ−Ｒ２７１であり、ｐ及びｑが０であり、ｒが１である場合は、少なくとも１つのＲ２７１は、置換もしくは無置換の環形成原子数８〜２４である１価の縮合芳香族複素環基であり、
Ｌ２７１は、
単結合、
炭素数１〜５０のアルキレン基、
置換もしくは無置換の環形成炭素数３〜５０のシクロアルキレン基、
２価のシリル基もしくは炭素数２〜２０の２価の置換シリル基、
置換もしくは無置換の環形成炭素数６〜５０のアリーレン基、又は
Ａｒ２７１と炭素−炭素結合で連結する置換もしくは無置換の環形成原子数５〜２４の２価の複素環基であり、
Ｌ２７２は、
単結合、
炭素数１〜５０のアルキレン基、
置換もしくは無置換の環形成炭素数３〜５０のシクロアルキレン基、
２価のシリル基もしくは炭素数２〜２０の２価の置換シリル基、
置換もしくは無置換の環形成炭素数６〜５０のアリーレン基、又は
Ａｒ２７３と炭素−炭素結合で連結する置換もしくは無置換の環形成原子数５〜２４の２価の複素環基であり、
ただし、Ｘ２７１とＸ２７２が共にＣＲ２７２Ｒ２７３であり、ｒ及びｐが０であり、ｑが１であり、かつＬ２７１及びＬ２７２が共に置換もしくは無置換の環形成炭素数６〜５０のアリーレン基である場合、又は、Ｘ２７１とＸ２７３が共にＣＲ２７２Ｒ２７３であり、ｐ及びｑが０であり、ｒが１であり、かつＬ２７１及びＬ２７２が共に置換もしくは無置換の環形成炭素数６〜５０のアリーレン基である場合、Ｌ２７１及びＬ２７２は、同時にＡｒ２７２に対してパラ位置に連結する場合は無く、
ｎが２の場合、Ｌ２７３は、
単結合、
炭素数１〜５０のアルキレン基、
置換もしくは無置換の環形成炭素数３〜５０のシクロアルキレン基、
２価のシリル基もしくは炭素数２〜２０の２価の置換シリル基、
置換もしくは無置換の環形成炭素数６〜５０のアリーレン基、又は
Ａｒ２７３と炭素−炭素結合で連結する置換もしくは無置換の環形成原子数５〜２４の２価の複素環基であり、
ｎが３の場合、Ｌ２７３は、
炭素数１〜５０の３価の飽和炭化水素基、
置換もしくは無置換の環形成炭素数３〜５０の３価の環状飽和炭化水素基、
３価のシリル基もしくは炭素数１〜２０の３価の置換シリル基、
置換もしくは無置換の環形成炭素数６〜５０の３価の芳香族炭化水素基、又は
Ａｒ２７３と炭素−炭素結合で連結する置換もしくは無置換の環形成原子数５〜２４の３価の複素環基であり、
ｎが４の場合、Ｌ２７３は、
炭素数１〜５０の４価の飽和炭化水素基、
置換もしくは無置換の環形成炭素数３〜５０の４価の環状飽和炭化水素基、
ケイ素原子、
置換もしくは無置換の環形成炭素数６〜５０の４価の芳香族炭化水素基、又は
Ａｒ２７３と炭素−炭素結合で連結する置換もしくは無置換の環形成原子数５〜２４の４価の複素環基であり、
ただし、Ｘ２７１とＸ２７２が共にＣＲ２７２Ｒ２７３であり、ｒ及びｐが０であり、ｑが１であり、かつＬ２７１及びＬ２７３が共に置換もしくは無置換の環形成炭素数６〜５０の２価、３価あるいは４価の芳香族炭化水素基である場合、又は、Ｘ２７１とＸ２７３が共にＣＲ２７２Ｒ２７３であり、ｐ及びｑが０であり、ｒが１であり、かつＬ２７１及びＬ２７３が共に置換もしくは無置換の環形成炭素数６〜５０の２価、３価あるいは４価の芳香族炭化水素基である場合、Ｌ２７１及びＬ２７３は、同時にＡｒ２７２に対してパラ位置に連結する場合は無く、
Ａ２７１は、
水素原子、
置換もしくは無置換の環形成炭素数３〜５０のシクロアルキル基、
−Ｓｉ（Ｒ９０１）（Ｒ９０２）（Ｒ９０３）で表される基、
置換もしくは無置換の環形成炭素数６〜５０のアリール基、又は
Ｌ２７１と炭素−炭素結合で連結する置換もしくは無置換の環形成原子数５〜２４の複素環基であり、ただし、Ｌ２７１が炭素数１〜５０のアルキレン基である場合、Ａ２７１は、水素原子ではなく、
Ａ２７２は、
水素原子、
置換もしくは無置換の環形成炭素数３〜５０のシクロアルキル基、
−Ｓｉ（Ｒ９０１）（Ｒ９０２）（Ｒ９０３）で表される基、
置換もしくは無置換の環形成炭素数６〜５０のアリール基、又は
Ｌ２７２と炭素−炭素結合で連結する置換もしくは無置換の環形成原子数５〜２４の複素環基であり、
ただし、Ｌ２７２が炭素数１〜５０のアルキレン基である場合、Ａ２７２は、水素原子ではなく、さらに、Ｘ２７１とＸ２７２が酸素原子、硫黄原子、もしくはＣＲ２７２Ｒ２７３であり、ｒ及びｐが０であり、ｑが１であり、Ｌ２７１及びＬ２７２が共に単結合であり、かつＡ２７１及びＡ２７２が共に水素原子である場合、又は、Ｘ２７１とＸ２７３が酸素原子、硫黄原子、もしくはＣＲ２７２Ｒ２７３であり、ｐ及びｑが０であり、ｒが１であり、Ｌ２７１及びＬ２７２が共に単結合であり、かつＡ２７１及びＡ２７２が共に水素原子である場合、Ａｒ２７２は、置換基Ｙを一個又は複数個有し、置換基Ｙがメチル基又は無置換のフェニル基である場合は無く、
Ａ２７１、Ａ２７２、Ｌ２７１、Ｌ２７２及びＬ２７３は、カルボニル基を含まず、
前記一般式（２７）は、下記一般式（２７１）で表される構造ではなく、
前記一般式（２８）は、下記一般式（２８１）で表される構造ではない。）
【化１４】
2022002256.tif 000224
（前記一般式（２７１）において、
Ｘ２７１、Ｘ２７２、Ａ２７１、Ａ２７２、Ｌ２７１及びＬ２７２は、式（２７）におけるＸ２７１、Ｘ２７２、Ａ２７１、Ａ２７２、Ｌ２７１及びＬ２７２と同義であり、
Ｙ２７１、Ｙ２７２及びＹ２７３は、それぞれ独立に、
炭素数１〜２０のアルキル基、
置換もしくは無置換の環形成炭素数３〜２０のシクロアルキル基、
炭素数１〜２０のアルコキシ基、
炭素数７〜２４のアラルキル基、
炭素数３〜２０のシリル基、
置換もしくは無置換の環形成炭素数６〜２４の芳香族炭化水素基、または
ベンゼン環ａ、ｂ及びｃのいずれかと炭素−炭素結合で連結する置換もしくは無置換の環形成原子数５〜２４の複素環基であり、
ｄ及びｆは、３であり、ｅは、２である。）
【化１５】
2022002256.tif 000225
（前記一般式（２８１）において、
Ｘ２７１、Ｘ２７２、Ａ２７１、Ｌ２７１、Ｌ２７３及びｎは、それぞれ、前記一般式（２８）におけるＸ２７１、Ｘ２７２、Ａ２７１、Ｌ２７１、Ｌ２７３及びｎと同義であり、
Ｙ２７１、Ｙ２７２及びＹ２７３は、それぞれ独立に、
炭素数１〜２０のアルキル基、
置換もしくは無置換の環形成炭素数３〜２０のシクロアルキル基、
炭素数１〜２０のアルコキシ基、
炭素数７〜２４のアラルキル基、
炭素数３〜２０のシリル基、
置換もしくは無置換の環形成炭素数６〜２４の芳香族炭化水素基、または
ベンゼン環ａ、ｂ及びｃのいずれかと炭素−炭素結合で連結する置換もしくは無置換の環形成原子数５〜２４の複素環基であり、
ｄ及びｆは、３であり、ｅは、２である。）
（前記第一の有機材料において、Ｒ９０１、Ｒ９０２、Ｒ９０３、及びＲ９０４は、それぞれ独立に、
水素原子、
置換もしくは無置換の炭素数１〜５０のアルキル基、
置換もしくは無置換の環形成炭素数３〜５０のシクロアルキル基、
置換もしくは無置換の環形成炭素数６〜５０のアリール基、又は
置換もしくは無置換の環形成原子数５〜５０の複素環基であり、
Ｒ９０１が複数存在する場合、複数のＲ９０１は、互いに同一であるか又は異なり、
Ｒ９０２が複数存在する場合、複数のＲ９０２は、互いに同一であるか又は異なり、
Ｒ９０３が複数存在する場合、複数のＲ９０３は、互いに同一であるか又は異なり、
Ｒ９０４が複数存在する場合、複数のＲ９０４は、互いに同一であるか又は異なる。）
【請求項２１】
請求項１から請求項２０のいずれか一項に記載の有機エレクトロルミネッセンス素子において、
前記第一のドーパント材料が、主ピーク波長が５００ｎｍ以下の蛍光発光を示す化合物である、
有機エレクトロルミネッセンス素子。
【請求項２２】
請求項１から請求項２１のいずれか一項に記載の有機エレクトロルミネッセンス素子において、
さらに、前記発光層とは異なる他の発光層を有する場合、
前記発光層は、前記他の発光層と直接接していない、
有機エレクトロルミネッセンス素子。
【請求項２３】
請求項１から請求項２２のいずれか一項に記載の有機エレクトロルミネッセンス素子において、
前記発光層中、前記第一のホスト材料及び前記第一の有機材料の合計質量ＭＴと、前記第一のホスト材料の質量Ｍ１とが、下記数式（数１１）の関係を満たす、
有機エレクトロルミネッセンス素子。
５０≦（Ｍ１／ＭＴ）×１００＜１００…（数１１）
【請求項２４】
請求項１から請求項２３のいずれか一項に記載の有機エレクトロルミネッセンス素子において、
前記陽極と前記発光層との間に正孔輸送層を含む、
有機エレクトロルミネッセンス素子。
【請求項２５】
請求項１から請求項２４のいずれか一項に記載の有機エレクトロルミネッセンス素子において、
前記発光層と前記陰極との間に電子輸送層を含む、
有機エレクトロルミネッセンス素子。
【請求項２６】
請求項１から請求項２５のいずれか一項に記載の有機エレクトロルミネッセンス素子において、
前記発光層は、素子駆動時に主ピーク波長が５００ｎｍ以下の光を放射する、
有機エレクトロルミネッセンス素子。
【請求項２７】
請求項１から請求項２６のいずれか一項に記載の有機エレクトロルミネッセンス素子において、
前記有機エレクトロルミネッセンス素子は、素子駆動時に主ピーク波長が５００ｎｍ以下の光を放射する、
有機エレクトロルミネッセンス素子。
【請求項２８】
請求項１から請求項２７のいずれか一項に記載の有機エレクトロルミネッセンス素子を搭載した電子機器。
【発明の詳細な説明】
【技術分野】
【０００１】
本発明は、有機エレクトロルミネッセンス素子及び電子機器に関する。
【背景技術】
【０００２】
有機エレクトロルミネッセンス素子（以下、「有機ＥＬ素子」という場合がある。）は、携帯電話及びテレビ等のフルカラーディスプレイへ応用されている。有機ＥＬ素子に電圧を印加すると、陽極から正孔が発光層に注入され、また陰極から電子が発光層に注入される。そして、発光層において、注入された正孔と電子とが再結合し、励起子が形成される。このとき、電子スピンの統計則により、一重項励起子が２５％の割合で生成し、及び三重項励起子が７５％の割合で生成する。
有機ＥＬ素子の性能向上を図るため、例えば、特許文献１〜３においては、有機ＥＬ素子に用いる化合物について様々な検討がなされている。また、特許文献４には、有機ＥＬ素子の性能向上を図るため、２つの三重項励起子の衝突融合により一重項励起子が生成する現象（以下、Ｔｒｉｐｌｅｔ−Ｔｒｉｐｌｅｔ  Ｆｕｓｉｏｎ＝ＴＴＦ現象と称する場合がある。）が記載されている。
有機ＥＬ素子の性能としては、例えば、輝度、発光波長、色度、発光効率、駆動電圧、及び寿命が挙げられる。
【先行技術文献】
【特許文献】
【０００３】
【特許文献１】特開２０１３−１５７５５２号公報
【特許文献２】特開２００９−０１６４７８号公報
【特許文献３】国際公開第２００７／１３８９０６号
【特許文献４】国際公開第２０１０／１３４３５０号
【発明の概要】
【発明が解決しようとする課題】
【０００４】
本発明は、色度の低下が抑制された有機エレクトロルミネッセンス素子を提供すること、及び当該有機エレクトロルミネッセンス素子を搭載した電子機器を提供することを目的とする。
【課題を解決するための手段】
【０００５】
本発明の一態様によれば、陽極と、陰極と、前記陽極及び前記陰極の間に配置された発光層と、を有し、前記発光層は、第一のホスト材料、第一の有機材料及び第一のドーパント材料を含み、前記第一のホスト材料と前記第一の有機材料は、互いに構造が異なる化合物であり、前記第一のホスト材料及び前記第一の有機材料の少なくともいずれかが、下記数式（数１）及び下記数式（数２）の少なくともいずれかの関係を満たし、前記第一のホスト材料、前記第一の有機材料及び前記第一のドーパント材料は、下記数式（数３）、（数４）、（数５）及び（数６）の関係を満たす有機エレクトロルミネッセンス素子が提供される。
ΔＦＷＨＭ（Ｈ１）＝ＨＷＦ（Ｈ１）−ＨＷＳ（Ｈ１）≦１５  …（数１）
ΔＦＷＨＭ（Ｈ２）＝ＨＷＦ（Ｈ２）−ＨＷＳ（Ｈ２）≦１５  …（数２）
Ｔ１（Ｄ１）＞Ｔ１（Ｈ１）  …（数３）
Ｔ１（Ｄ１）＞Ｔ１（Ｈ２）  …（数４）
Ｓ１（Ｈ１）＞Ｓ１（Ｄ１）  …（数５）
Ｓ１（Ｈ２）＞Ｓ１（Ｄ１）  …（数６）
（前記数式（数１）及び（数２）中、
ＨＷＦ（Ｈ１）は、前記第一のホスト材料の膜のフォトルミネッセンススペクトラムにおけるピーク半値幅（単位：ｎｍ）であり、
ＨＷＳ（Ｈ１）は、前記第一のホスト材料の溶液のフォトルミネッセンススペクトラムにおけるピーク半値幅（単位：ｎｍ）であり、
ΔＦＷＨＭ（Ｈ１）は、ＨＷＦ（Ｈ１）とＨＷＳ（Ｈ１）との差であり、
ＨＷＦ（Ｈ２）は、前記第一の有機材料の膜のフォトルミネッセンススペクトラムにおけるピーク半値幅（単位：ｎｍ）であり、
ＨＷＳ（Ｈ２）は、前記第一の有機材料の溶液のフォトルミネッセンススペクトラムにおけるピーク半値幅（単位：ｎｍ）であり、
ΔＦＷＨＭ（Ｈ２）は、ＨＷＦ（Ｈ２）とＨＷＳ（Ｈ２）との差であり、
前記数式（数３）〜（数６）中、
Ｔ１（Ｈ１）は、前記第一のホスト材料の三重項エネルギー（単位：ｅＶ）であり、
Ｔ１（Ｈ２）は、前記第一の有機材料の三重項エネルギー（単位：ｅＶ）であり、
Ｔ１（Ｄ１）は、前記第一のドーパント材料の三重項エネルギー（単位：ｅＶ）であり、
Ｓ１（Ｈ１）は、前記第一のホスト材料の一重項エネルギー（単位：ｅＶ）であり、
Ｓ１（Ｈ２）は、前記第一の有機材料の一重項エネルギー（単位：ｅＶ）であり、
Ｓ１（Ｄ１）は、前記第一のドーパント材料の一重項エネルギー（単位：ｅＶ）である。）
【０００６】
本発明の一態様によれば、前述の本発明の一態様に係る有機エレクトロルミネッセンス素子を搭載した電子機器が提供される。
【発明の効果】
【０００７】
本発明の一態様によれば、色度の低下が抑制された有機エレクトロルミネッセンス素子を提供できる。また、本発明の一態様によれば、当該有機エレクトロルミネッセンス素子を搭載した電子機器を提供できる。
【図面の簡単な説明】
【０００８】
【図１】本発明の一実施形態に係る有機エレクトロルミネッセンス素子の一例の概略構成を示す図である。
【発明を実施するための形態】
【０００９】
［定義］
本明細書において、水素原子とは、中性子数が異なる同位体、即ち、軽水素（protium）、重水素（deuterium）、及び三重水素（tritium）を包含する。
【００１０】
本明細書において、化学構造式中、「Ｒ」等の記号や重水素原子を表す「Ｄ」が明示されていない結合可能位置には、水素原子、即ち、軽水素原子、重水素原子、又は三重水素原子が結合しているものとする。
【００１１】
本明細書において、環形成炭素数とは、原子が環状に結合した構造の化合物（例えば、単環化合物、縮合環化合物、架橋化合物、炭素環化合物、及び複素環化合物）の当該環自体を構成する原子のうちの炭素原子の数を表す。当該環が置換基によって置換される場合、置換基に含まれる炭素は環形成炭素数には含まない。以下で記される「環形成炭素数」については、別途記載のない限り同様とする。例えば、ベンゼン環は環形成炭素数が６であり、ナフタレン環は環形成炭素数が１０であり、ピリジン環は環形成炭素数５であり、フラン環は環形成炭素数４である。また、例えば、９，９−ジフェニルフルオレニル基の環形成炭素数は１３であり、９，９’−スピロビフルオレニル基の環形成炭素数は２５である。
また、ベンゼン環に置換基として、例えば、アルキル基が置換している場合、当該アルキル基の炭素数は、ベンゼン環の環形成炭素数に含めない。そのため、アルキル基が置換しているベンゼン環の環形成炭素数は、６である。また、ナフタレン環に置換基として、例えば、アルキル基が置換している場合、当該アルキル基の炭素数は、ナフタレン環の環形成炭素数に含めない。そのため、アルキル基が置換しているナフタレン環の環形成炭素数は、１０である。
【００１２】
本明細書において、環形成原子数とは、原子が環状に結合した構造（例えば、単環、縮合環、及び環集合）の化合物（例えば、単環化合物、縮合環化合物、架橋化合物、炭素環化合物、及び複素環化合物）の当該環自体を構成する原子の数を表す。環を構成しない原子（例えば、環を構成する原子の結合を終端する水素原子）や、当該環が置換基によって置換される場合の置換基に含まれる原子は環形成原子数には含まない。以下で記される「環形成原子数」については、別途記載のない限り同様とする。例えば、ピリジン環の環形成原子数は６であり、キナゾリン環の環形成原子数は１０であり、フラン環の環形成原子数は５である。例えば、ピリジン環に結合している水素原子、又は置換基を構成する原子の数は、ピリジン環形成原子数の数に含めない。そのため、水素原子、又は置換基が結合しているピリジン環の環形成原子数は、６である。また、例えば、キナゾリン環の炭素原子に結合している水素原子、又は置換基を構成する原子については、キナゾリン環の環形成原子数の数に含めない。そのため、水素原子、又は置換基が結合しているキナゾリン環の環形成原子数は１０である。
【００１３】
本明細書において、「置換もしくは無置換の炭素数ＸＸ〜ＹＹのＺＺ基」という表現における「炭素数ＸＸ〜ＹＹ」は、ＺＺ基が無置換である場合の炭素数を表し、置換されている場合の置換基の炭素数を含めない。ここで、「ＹＹ」は、「ＸＸ」よりも大きく、「ＸＸ」は、１以上の整数を意味し、「ＹＹ」は、２以上の整数を意味する。
【００１４】
本明細書において、「置換もしくは無置換の原子数ＸＸ〜ＹＹのＺＺ基」という表現における「原子数ＸＸ〜ＹＹ」は、ＺＺ基が無置換である場合の原子数を表し、置換されている場合の置換基の原子数を含めない。ここで、「ＹＹ」は、「ＸＸ」よりも大きく、「ＸＸ」は、１以上の整数を意味し、「ＹＹ」は、２以上の整数を意味する。
【００１５】
本明細書において、無置換のＺＺ基とは「置換もしくは無置換のＺＺ基」が「無置換のＺＺ基」である場合を表し、置換のＺＺ基とは「置換もしくは無置換のＺＺ基」が「置換のＺＺ基」である場合を表す。
本明細書において、「置換もしくは無置換のＺＺ基」という場合における「無置換」とは、ＺＺ基における水素原子が置換基と置き換わっていないことを意味する。「無置換のＺＺ基」における水素原子は、軽水素原子、重水素原子、又は三重水素原子である。
また、本明細書において、「置換もしくは無置換のＺＺ基」という場合における「置換」とは、ＺＺ基における１つ以上の水素原子が、置換基と置き換わっていることを意味する。「ＡＡ基で置換されたＢＢ基」という場合における「置換」も同様に、ＢＢ基における１つ以上の水素原子が、ＡＡ基と置き換わっていることを意味する。
【００１６】
「本明細書に記載の置換基」
以下、本明細書に記載の置換基について説明する。
【００１７】
本明細書に記載の「無置換のアリール基」の環形成炭素数は、本明細書に別途記載のない限り、６〜５０であり、好ましくは６〜３０、より好ましくは６〜１８である。
本明細書に記載の「無置換の複素環基」の環形成原子数は、本明細書に別途記載のない限り、５〜５０であり、好ましくは５〜３０、より好ましくは５〜１８である。
本明細書に記載の「無置換のアルキル基」の炭素数は、本明細書に別途記載のない限り、１〜５０であり、好ましくは１〜２０、より好ましくは１〜６である。
本明細書に記載の「無置換のアルケニル基」の炭素数は、本明細書に別途記載のない限り、２〜５０であり、好ましくは２〜２０、より好ましくは２〜６である。
本明細書に記載の「無置換のアルキニル基」の炭素数は、本明細書に別途記載のない限り、２〜５０であり、好ましくは２〜２０、より好ましくは２〜６である。
本明細書に記載の「無置換のシクロアルキル基」の環形成炭素数は、本明細書に別途記載のない限り、３〜５０であり、好ましくは３〜２０、より好ましくは３〜６である。
本明細書に記載の「無置換のアリーレン基」の環形成炭素数は、本明細書に別途記載のない限り、６〜５０であり、好ましくは６〜３０、より好ましくは６〜１８である。
本明細書に記載の「無置換の２価の複素環基」の環形成原子数は、本明細書に別途記載のない限り、５〜５０であり、好ましくは５〜３０、より好ましくは５〜１８である。
本明細書に記載の「無置換のアルキレン基」の炭素数は、本明細書に別途記載のない限り、１〜５０であり、好ましくは１〜２０、より好ましくは１〜６である。
【００１８】
・「置換もしくは無置換のアリール基」
本明細書に記載の「置換もしくは無置換のアリール基」の具体例（具体例群Ｇ１）としては、以下の無置換のアリール基（具体例群Ｇ１Ａ）及び置換のアリール基（具体例群Ｇ１Ｂ）等が挙げられる。（ここで、無置換のアリール基とは「置換もしくは無置換のアリール基」が「無置換のアリール基」である場合を指し、置換のアリール基とは「置換もしくは無置換のアリール基」が「置換のアリール基」である場合を指す。）本明細書において、単に「アリール基」という場合は、「無置換のアリール基」と「置換のアリール基」の両方を含む。
「置換のアリール基」は、「無置換のアリール基」の１つ以上の水素原子が置換基と置き換わった基を意味する。「置換のアリール基」としては、例えば、下記具体例群Ｇ１Ａの「無置換のアリール基」の１つ以上の水素原子が置換基と置き換わった基、及び下記具体例群Ｇ１Ｂの置換のアリール基の例等が挙げられる。尚、ここに列挙した「無置換のアリール基」の例、及び「置換のアリール基」の例は、一例に過ぎず、本明細書に記載の「置換のアリール基」には、下記具体例群Ｇ１Ｂの「置換のアリール基」におけるアリール基自体の炭素原子に結合する水素原子がさらに置換基と置き換わった基、及び下記具体例群Ｇ１Ｂの「置換のアリール基」における置換基の水素原子がさらに置換基と置き換わった基も含まれる。
【００１９】
・無置換のアリール基（具体例群Ｇ１Ａ）：
フェニル基、
ｐ−ビフェニル基、
ｍ−ビフェニル基、
ｏ−ビフェニル基、
ｐ−ターフェニル−４−イル基、
ｐ−ターフェニル−３−イル基、
ｐ−ターフェニル−２−イル基、
ｍ−ターフェニル−４−イル基、
ｍ−ターフェニル−３−イル基、
ｍ−ターフェニル−２−イル基、
ｏ−ターフェニル−４−イル基、
ｏ−ターフェニル−３−イル基、
ｏ−ターフェニル−２−イル基、
１−ナフチル基、
２−ナフチル基、
アントリル基、
ベンゾアントリル基、
フェナントリル基、
ベンゾフェナントリル基、
フェナレニル基、
ピレニル基、
クリセニル基、
ベンゾクリセニル基、
トリフェニレニル基、
ベンゾトリフェニレニル基、
テトラセニル基、
ペンタセニル基、
フルオレニル基、
９，９’−スピロビフルオレニル基、
ベンゾフルオレニル基、
ジベンゾフルオレニル基、
フルオランテニル基、
ベンゾフルオランテニル基、
ペリレニル基、及び
下記一般式（ＴＥＭＰ−１）〜（ＴＥＭＰ−１５）で表される環構造から１つの水素原子を除くことにより誘導される１価のアリール基。
【００２０】
【化１】
2022002256.tif 000003
【００２１】
【化２】
2022002256.tif 000004
【００２２】
・置換のアリール基（具体例群Ｇ１Ｂ）：ｏ−トリル基、
ｍ−トリル基、
ｐ−トリル基、
パラ−キシリル基、
メタ−キシリル基、
オルト−キシリル基、
パラ−イソプロピルフェニル基、
メタ−イソプロピルフェニル基、
オルト−イソプロピルフェニル基、
パラ−ｔ−ブチルフェニル基、
メタ−ｔ−ブチルフェニル基、
オルト−ｔ−ブチルフェニル基、
３，４，５−トリメチルフェニル基、
９，９−ジメチルフルオレニル基、
９，９−ジフェニルフルオレニル基
９，９−ビス（４−メチルフェニル）フルオレニル基、
９，９−ビス（４−イソプロピルフェニル）フルオレニル基、
９，９−ビス（４−ｔ−ブチルフェニル）フルオレニル基、
シアノフェニル基、
トリフェニルシリルフェニル基、
トリメチルシリルフェニル基、
フェニルナフチル基、
ナフチルフェニル基、及び
前記一般式（ＴＥＭＰ−１）〜（ＴＥＭＰ−１５）で表される環構造から誘導される１価の基の１つ以上の水素原子が置換基と置き換わった基。
【００２３】
・「置換もしくは無置換の複素環基」
本明細書に記載の「複素環基」は、環形成原子にヘテロ原子を少なくとも１つ含む環状の基である。ヘテロ原子の具体例としては、窒素原子、酸素原子、硫黄原子、ケイ素原子、リン原子、及びホウ素原子が挙げられる。
本明細書に記載の「複素環基」は、単環の基であるか、又は縮合環の基である。
本明細書に記載の「複素環基」は、芳香族複素環基であるか、又は非芳香族複素環基である。
本明細書に記載の「置換もしくは無置換の複素環基」の具体例（具体例群Ｇ２）としては、以下の無置換の複素環基（具体例群Ｇ２Ａ）、及び置換の複素環基（具体例群Ｇ２Ｂ）等が挙げられる。（ここで、無置換の複素環基とは「置換もしくは無置換の複素環基」が「無置換の複素環基」である場合を指し、置換の複素環基とは「置換もしくは無置換の複素環基」が「置換の複素環基」である場合を指す。）本明細書において、単に「複素環基」という場合は、「無置換の複素環基」と「置換の複素環基」の両方を含む。
「置換の複素環基」は、「無置換の複素環基」の１つ以上の水素原子が置換基と置き換わった基を意味する。「置換の複素環基」の具体例は、下記具体例群Ｇ２Ａの「無置換の複素環基」の水素原子が置き換わった基、及び下記具体例群Ｇ２Ｂの置換の複素環基の例等が挙げられる。尚、ここに列挙した「無置換の複素環基」の例や「置換の複素環基」の例は、一例に過ぎず、本明細書に記載の「置換の複素環基」には、具体例群Ｇ２Ｂの「置換の複素環基」における複素環基自体の環形成原子に結合する水素原子がさらに置換基と置き換わった基、及び具体例群Ｇ２Ｂの「置換の複素環基」における置換基の水素原子がさらに置換基と置き換わった基も含まれる。
【００２４】
具体例群Ｇ２Ａは、例えば、以下の窒素原子を含む無置換の複素環基（具体例群Ｇ２Ａ１）、酸素原子を含む無置換の複素環基（具体例群Ｇ２Ａ２）、硫黄原子を含む無置換の複素環基（具体例群Ｇ２Ａ３）、及び下記一般式（ＴＥＭＰ−１６）〜（ＴＥＭＰ−３３）で表される環構造から１つの水素原子を除くことにより誘導される１価の複素環基（具体例群Ｇ２Ａ４）を含む。
【００２５】
具体例群Ｇ２Ｂは、例えば、以下の窒素原子を含む置換の複素環基（具体例群Ｇ２Ｂ１）、酸素原子を含む置換の複素環基（具体例群Ｇ２Ｂ２）、硫黄原子を含む置換の複素環基（具体例群Ｇ２Ｂ３）、及び下記一般式（ＴＥＭＰ−１６）〜（ＴＥＭＰ−３３）で表される環構造から誘導される１価の複素環基の１つ以上の水素原子が置換基と置き換わった基（具体例群Ｇ２Ｂ４）を含む。
【００２６】
・窒素原子を含む無置換の複素環基（具体例群Ｇ２Ａ１）：
ピロリル基、
イミダゾリル基、
ピラゾリル基、
トリアゾリル基、
テトラゾリル基、
オキサゾリル基、
イソオキサゾリル基、
オキサジアゾリル基、
チアゾリル基、
イソチアゾリル基、
チアジアゾリル基、
ピリジル基、
ピリダジニル基、
ピリミジニル基、
ピラジニル基、
トリアジニル基、
インドリル基、
イソインドリル基、
インドリジニル基、
キノリジニル基、
キノリル基、
イソキノリル基、
シンノリル基、
フタラジニル基、
キナゾリニル基、
キノキサリニル基、
ベンゾイミダゾリル基、
インダゾリル基、
フェナントロリニル基、
フェナントリジニル基、
アクリジニル基、
フェナジニル基、
カルバゾリル基、
ベンゾカルバゾリル基、
モルホリノ基、
フェノキサジニル基、
フェノチアジニル基、
アザカルバゾリル基、及びジアザカルバゾリル基。
【００２７】
・酸素原子を含む無置換の複素環基（具体例群Ｇ２Ａ２）：
フリル基、
オキサゾリル基、
イソオキサゾリル基、
オキサジアゾリル基、
キサンテニル基、
ベンゾフラニル基、
イソベンゾフラニル基、
ジベンゾフラニル基、
ナフトベンゾフラニル基、
ベンゾオキサゾリル基、
ベンゾイソキサゾリル基、
フェノキサジニル基、
モルホリノ基、
ジナフトフラニル基、
アザジベンゾフラニル基、
ジアザジベンゾフラニル基、
アザナフトベンゾフラニル基、及び
ジアザナフトベンゾフラニル基。
【００２８】
・硫黄原子を含む無置換の複素環基（具体例群Ｇ２Ａ３）：
チエニル基、
チアゾリル基、
イソチアゾリル基、
チアジアゾリル基、
ベンゾチオフェニル基（ベンゾチエニル基）、
イソベンゾチオフェニル基（イソベンゾチエニル基）、
ジベンゾチオフェニル基（ジベンゾチエニル基）、
ナフトベンゾチオフェニル基（ナフトベンゾチエニル基）、
ベンゾチアゾリル基、
ベンゾイソチアゾリル基、
フェノチアジニル基、
ジナフトチオフェニル基（ジナフトチエニル基）、
アザジベンゾチオフェニル基（アザジベンゾチエニル基）、
ジアザジベンゾチオフェニル基（ジアザジベンゾチエニル基）、
アザナフトベンゾチオフェニル基（アザナフトベンゾチエニル基）、及び
ジアザナフトベンゾチオフェニル基（ジアザナフトベンゾチエニル基）。
【００２９】
・下記一般式（ＴＥＭＰ−１６）〜（ＴＥＭＰ−３３）で表される環構造から１つの水素原子を除くことにより誘導される１価の複素環基（具体例群Ｇ２Ａ４）：
【００３０】
【化３】
2022002256.tif 000005
【００３１】
【化４】
2022002256.tif 000006
【００３２】
前記一般式（ＴＥＭＰ−１６）〜（ＴＥＭＰ−３３）において、ＸＡ及びＹＡは、それぞれ独立に、酸素原子、硫黄原子、ＮＨ、又はＣＨ２である。ただし、ＸＡ及びＹＡのうち少なくとも１つは、酸素原子、硫黄原子、又はＮＨである。
前記一般式（ＴＥＭＰ−１６）〜（ＴＥＭＰ−３３）において、ＸＡ及びＹＡの少なくともいずれかがＮＨ、又はＣＨ２である場合、前記一般式（ＴＥＭＰ−１６）〜（ＴＥＭＰ−３３）で表される環構造から誘導される１価の複素環基には、これらＮＨ、又はＣＨ２から１つの水素原子を除いて得られる１価の基が含まれる。
【００３３】
・窒素原子を含む置換の複素環基（具体例群Ｇ２Ｂ１）：
（９−フェニル）カルバゾリル基、
（９−ビフェニリル）カルバゾリル基、
（９−フェニル）フェニルカルバゾリル基、
（９−ナフチル）カルバゾリル基、
ジフェニルカルバゾール−９−イル基、
フェニルカルバゾール−９−イル基、
メチルベンゾイミダゾリル基、
エチルベンゾイミダゾリル基、
フェニルトリアジニル基、
ビフェニリルトリアジニル基、
ジフェニルトリアジニル基、
フェニルキナゾリニル基、及びビフェニリルキナゾリニル基。
【００３４】
・酸素原子を含む置換の複素環基（具体例群Ｇ２Ｂ２）：
フェニルジベンゾフラニル基、
メチルジベンゾフラニル基、
ｔ−ブチルジベンゾフラニル基、及び
スピロ［９Ｈ−キサンテン−９，９’−［９Ｈ］フルオレン］の１価の残基。
【００３５】
・硫黄原子を含む置換の複素環基（具体例群Ｇ２Ｂ３）：
フェニルジベンゾチオフェニル基、
メチルジベンゾチオフェニル基、
ｔ−ブチルジベンゾチオフェニル基、及び
スピロ［９Ｈ−チオキサンテン−９，９’−［９Ｈ］フルオレン］の１価の残基。
【００３６】
・前記一般式（ＴＥＭＰ−１６）〜（ＴＥＭＰ−３３）で表される環構造から誘導される１価の複素環基の１つ以上の水素原子が置換基と置き換わった基（具体例群Ｇ２Ｂ４）：
【００３７】
前記「１価の複素環基の１つ以上の水素原子」とは、該１価の複素環基の環形成炭素原子に結合している水素原子、ＸＡ及びＹＡの少なくともいずれかがＮＨである場合の窒素原子に結合している水素原子、及びＸＡ及びＹＡの一方がＣＨ２である場合のメチレン基の水素原子から選ばれる１つ以上の水素原子を意味する。
【００３８】
・「置換もしくは無置換のアルキル基」
本明細書に記載の「置換もしくは無置換のアルキル基」の具体例（具体例群Ｇ３）としては、以下の無置換のアルキル基（具体例群Ｇ３Ａ）及び置換のアルキル基（具体例群Ｇ３Ｂ）が挙げられる。（ここで、無置換のアルキル基とは「置換もしくは無置換のアルキル基」が「無置換のアルキル基」である場合を指し、置換のアルキル基とは「置換もしくは無置換のアルキル基」が「置換のアルキル基」である場合を指す。）以下、単に「アルキル基」という場合は、「無置換のアルキル基」と「置換のアルキル基」の両方を含む。
「置換のアルキル基」は、「無置換のアルキル基」における１つ以上の水素原子が置換基と置き換わった基を意味する。「置換のアルキル基」の具体例としては、下記の「無置換のアルキル基」（具体例群Ｇ３Ａ）における１つ以上の水素原子が置換基と置き換わった基、及び置換のアルキル基（具体例群Ｇ３Ｂ）の例等が挙げられる。本明細書において、「無置換のアルキル基」におけるアルキル基は、鎖状のアルキル基を意味する。そのため、「無置換のアルキル基」は、直鎖である「無置換のアルキル基」、及び分岐状である「無置換のアルキル基」が含まれる。尚、ここに列挙した「無置換のアルキル基」の例や「置換のアルキル基」の例は、一例に過ぎず、本明細書に記載の「置換のアルキル基」には、具体例群Ｇ３Ｂの「置換のアルキル基」におけるアルキル基自体の水素原子がさらに置換基と置き換わった基、及び具体例群Ｇ３Ｂの「置換のアルキル基」における置換基の水素原子がさらに置換基と置き換わった基も含まれる。
【００３９】
・無置換のアルキル基（具体例群Ｇ３Ａ）：
メチル基、
エチル基、
ｎ−プロピル基、
イソプロピル基、
ｎ−ブチル基、
イソブチル基、
ｓ−ブチル基、及び
ｔ−ブチル基。
【００４０】
・置換のアルキル基（具体例群Ｇ３Ｂ）：
ヘプタフルオロプロピル基（異性体を含む）、
ペンタフルオロエチル基、
２，２，２−トリフルオロエチル基、及び
トリフルオロメチル基。
【００４１】
・「置換もしくは無置換のアルケニル基」
本明細書に記載の「置換もしくは無置換のアルケニル基」の具体例（具体例群Ｇ４）としては、以下の無置換のアルケニル基（具体例群Ｇ４Ａ）、及び置換のアルケニル基（具体例群Ｇ４Ｂ）等が挙げられる。（ここで、無置換のアルケニル基とは「置換もしくは無置換のアルケニル基」が「無置換のアルケニル基」である場合を指し、「置換のアルケニル基」とは「置換もしくは無置換のアルケニル基」が「置換のアルケニル基」である場合を指す。）本明細書において、単に「アルケニル基」という場合は、「無置換のアルケニル基」と「置換のアルケニル基」の両方を含む。
「置換のアルケニル基」は、「無置換のアルケニル基」における１つ以上の水素原子が置換基と置き換わった基を意味する。「置換のアルケニル基」の具体例としては、下記の「無置換のアルケニル基」（具体例群Ｇ４Ａ）が置換基を有する基、及び置換のアルケニル基（具体例群Ｇ４Ｂ）の例等が挙げられる。尚、ここに列挙した「無置換のアルケニル基」の例や「置換のアルケニル基」の例は、一例に過ぎず、本明細書に記載の「置換のアルケニル基」には、具体例群Ｇ４Ｂの「置換のアルケニル基」におけるアルケニル基自体の水素原子がさらに置換基と置き換わった基、及び具体例群Ｇ４Ｂの「置換のアルケニル基」における置換基の水素原子がさらに置換基と置き換わった基も含まれる。
【００４２】
・無置換のアルケニル基（具体例群Ｇ４Ａ）：
ビニル基、
アリル基、
１−ブテニル基、
２−ブテニル基、及び
３−ブテニル基。
【００４３】
・置換のアルケニル基（具体例群Ｇ４Ｂ）：
１，３−ブタンジエニル基、
１−メチルビニル基、
１−メチルアリル基、
１，１−ジメチルアリル基、
２−メチルアリル基、及び
１，２−ジメチルアリル基。
【００４４】
・「置換もしくは無置換のアルキニル基」
本明細書に記載の「置換もしくは無置換のアルキニル基」の具体例（具体例群Ｇ５）としては、以下の無置換のアルキニル基（具体例群Ｇ５Ａ）等が挙げられる。（ここで、無置換のアルキニル基とは、「置換もしくは無置換のアルキニル基」が「無置換のアルキニル基」である場合を指す。）以下、単に「アルキニル基」という場合は、「無置換のアルキニル基」と「置換のアルキニル基」の両方を含む。
「置換のアルキニル基」は、「無置換のアルキニル基」における１つ以上の水素原子が置換基と置き換わった基を意味する。「置換のアルキニル基」の具体例としては、下記の「無置換のアルキニル基」（具体例群Ｇ５Ａ）における１つ以上の水素原子が置換基と置き換わった基等が挙げられる。
【００４５】
・無置換のアルキニル基（具体例群Ｇ５Ａ）：
エチニル基
【００４６】
・「置換もしくは無置換のシクロアルキル基」
本明細書に記載の「置換もしくは無置換のシクロアルキル基」の具体例（具体例群Ｇ６）としては、以下の無置換のシクロアルキル基（具体例群Ｇ６Ａ）、及び置換のシクロアルキル基（具体例群Ｇ６Ｂ）等が挙げられる。（ここで、無置換のシクロアルキル基とは「置換もしくは無置換のシクロアルキル基」が「無置換のシクロアルキル基」である場合を指し、置換のシクロアルキル基とは「置換もしくは無置換のシクロアルキル基」が「置換のシクロアルキル基」である場合を指す。）本明細書において、単に「シクロアルキル基」という場合は、「無置換のシクロアルキル基」と「置換のシクロアルキル基」の両方を含む。
「置換のシクロアルキル基」は、「無置換のシクロアルキル基」における１つ以上の水素原子が置換基と置き換わった基を意味する。「置換のシクロアルキル基」の具体例としては、下記の「無置換のシクロアルキル基」（具体例群Ｇ６Ａ）における１つ以上の水素原子が置換基と置き換わった基、及び置換のシクロアルキル基（具体例群Ｇ６Ｂ）の例等が挙げられる。尚、ここに列挙した「無置換のシクロアルキル基」の例や「置換のシクロアルキル基」の例は、一例に過ぎず、本明細書に記載の「置換のシクロアルキル基」には、具体例群Ｇ６Ｂの「置換のシクロアルキル基」におけるシクロアルキル基自体の炭素原子に結合する１つ以上の水素原子が置換基と置き換わった基、及び具体例群Ｇ６Ｂの「置換のシクロアルキル基」における置換基の水素原子がさらに置換基と置き換わった基も含まれる。
【００４７】
・無置換のシクロアルキル基（具体例群Ｇ６Ａ）：
シクロプロピル基、
シクロブチル基、
シクロペンチル基、
シクロヘキシル基、
１−アダマンチル基、
２−アダマンチル基、
１−ノルボルニル基、及び
２−ノルボルニル基。
【００４８】
・置換のシクロアルキル基（具体例群Ｇ６Ｂ）：
４−メチルシクロヘキシル基。
【００４９】
・「−Ｓｉ（Ｒ９０１）（Ｒ９０２）（Ｒ９０３）で表される基」
本明細書に記載の−Ｓｉ（Ｒ９０１）（Ｒ９０２）（Ｒ９０３）で表される基の具体例（具体例群Ｇ７）としては、
−Ｓｉ（Ｇ１）（Ｇ１）（Ｇ１）、
−Ｓｉ（Ｇ１）（Ｇ２）（Ｇ２）、
−Ｓｉ（Ｇ１）（Ｇ１）（Ｇ２）、
−Ｓｉ（Ｇ２）（Ｇ２）（Ｇ２）、
−Ｓｉ（Ｇ３）（Ｇ３）（Ｇ３）、及び
−Ｓｉ（Ｇ６）（Ｇ６）（Ｇ６）
が挙げられる。ここで、
Ｇ１は、具体例群Ｇ１に記載の「置換もしくは無置換のアリール基」である。
Ｇ２は、具体例群Ｇ２に記載の「置換もしくは無置換の複素環基」である。
Ｇ３は、具体例群Ｇ３に記載の「置換もしくは無置換のアルキル基」である。
Ｇ６は、具体例群Ｇ６に記載の「置換もしくは無置換のシクロアルキル基」である。
−Ｓｉ（Ｇ１）（Ｇ１）（Ｇ１）における複数のＧ１は、互いに同一であるか、又は異なる。
−Ｓｉ（Ｇ１）（Ｇ２）（Ｇ２）における複数のＧ２は、互いに同一であるか、又は異なる。
−Ｓｉ（Ｇ１）（Ｇ１）（Ｇ２）における複数のＧ１は、互いに同一であるか、又は異なる。
−Ｓｉ（Ｇ２）（Ｇ２）（Ｇ２）における複数のＧ２は、互いに同一であるか、又は異なる。
−Ｓｉ（Ｇ３）（Ｇ３）（Ｇ３）における複数のＧ３は、互いに同一であるか、又は異なる。
−Ｓｉ（Ｇ６）（Ｇ６）（Ｇ６）における複数のＧ６は、互いに同一であるか、又は異なる。
【００５０】
・「−Ｏ−（Ｒ９０４）で表される基」
本明細書に記載の−Ｏ−（Ｒ９０４）で表される基の具体例（具体例群Ｇ８）としては、
−Ｏ（Ｇ１）、
−Ｏ（Ｇ２）、
−Ｏ（Ｇ３）、及び
−Ｏ（Ｇ６）
が挙げられる。
ここで、
Ｇ１は、具体例群Ｇ１に記載の「置換もしくは無置換のアリール基」である。
Ｇ２は、具体例群Ｇ２に記載の「置換もしくは無置換の複素環基」である。
Ｇ３は、具体例群Ｇ３に記載の「置換もしくは無置換のアルキル基」である。
Ｇ６は、具体例群Ｇ６に記載の「置換もしくは無置換のシクロアルキル基」である。
【００５１】
・「−Ｓ−（Ｒ９０５）で表される基」
本明細書に記載の−Ｓ−（Ｒ９０５）で表される基の具体例（具体例群Ｇ９）としては、
−Ｓ（Ｇ１）、
−Ｓ（Ｇ２）、
−Ｓ（Ｇ３）、及び
−Ｓ（Ｇ６）
が挙げられる。
ここで、
Ｇ１は、具体例群Ｇ１に記載の「置換もしくは無置換のアリール基」である。
Ｇ２は、具体例群Ｇ２に記載の「置換もしくは無置換の複素環基」である。
Ｇ３は、具体例群Ｇ３に記載の「置換もしくは無置換のアルキル基」である。
Ｇ６は、具体例群Ｇ６に記載の「置換もしくは無置換のシクロアルキル基」である。
【００５２】
・「−Ｎ（Ｒ９０６）（Ｒ９０７）で表される基」
本明細書に記載の−Ｎ（Ｒ９０６）（Ｒ９０７）で表される基の具体例（具体例群Ｇ１０）としては、
−Ｎ（Ｇ１）（Ｇ１）、
−Ｎ（Ｇ２）（Ｇ２）、
−Ｎ（Ｇ１）（Ｇ２）、
−Ｎ（Ｇ３）（Ｇ３）、及び
−Ｎ（Ｇ６）（Ｇ６）
が挙げられる。
ここで、
Ｇ１は、具体例群Ｇ１に記載の「置換もしくは無置換のアリール基」である。
Ｇ２は、具体例群Ｇ２に記載の「置換もしくは無置換の複素環基」である。
Ｇ３は、具体例群Ｇ３に記載の「置換もしくは無置換のアルキル基」である。
Ｇ６は、具体例群Ｇ６に記載の「置換もしくは無置換のシクロアルキル基」である。
−Ｎ（Ｇ１）（Ｇ１）における複数のＧ１は、互いに同一であるか、又は異なる。
−Ｎ（Ｇ２）（Ｇ２）における複数のＧ２は、互いに同一であるか、又は異なる。
−Ｎ（Ｇ３）（Ｇ３）における複数のＧ３は、互いに同一であるか、又は異なる。
−Ｎ（Ｇ６）（Ｇ６）における複数のＧ６は、互いに同一であるか、又は異なる。
【００５３】
・「ハロゲン原子」
本明細書に記載の「ハロゲン原子」の具体例（具体例群Ｇ１１）としては、フッ素原子、塩素原子、臭素原子、及びヨウ素原子等が挙げられる。
【００５４】
・「置換もしくは無置換のフルオロアルキル基」
本明細書に記載の「置換もしくは無置換のフルオロアルキル基」は、「置換もしくは無置換のアルキル基」におけるアルキル基を構成する炭素原子に結合している少なくとも１つの水素原子がフッ素原子と置き換わった基を意味し、「置換もしくは無置換のアルキル基」におけるアルキル基を構成する炭素原子に結合している全ての水素原子がフッ素原子で置き換わった基（パーフルオロ基）も含む。「無置換のフルオロアルキル基」の炭素数は、本明細書に別途記載のない限り、１〜５０であり、好ましくは１〜３０であり、より好ましくは１〜１８である。「置換のフルオロアルキル基」は、「フルオロアルキル基」の１つ以上の水素原子が置換基と置き換わった基を意味する。尚、本明細書に記載の「置換のフルオロアルキル基」には、「置換のフルオロアルキル基」におけるアルキル鎖の炭素原子に結合する１つ以上の水素原子がさらに置換基と置き換わった基、及び「置換のフルオロアルキル基」における置換基の１つ以上の水素原子がさらに置換基と置き換わった基も含まれる。「無置換のフルオロアルキル基」の具体例としては、前記「アルキル基」（具体例群Ｇ３）における１つ以上の水素原子がフッ素原子と置き換わった基の例等が挙げられる。
【００５５】
・「置換もしくは無置換のハロアルキル基」
本明細書に記載の「置換もしくは無置換のハロアルキル基」は、「置換もしくは無置換のアルキル基」におけるアルキル基を構成する炭素原子に結合している少なくとも１つの水素原子がハロゲン原子と置き換わった基を意味し、「置換もしくは無置換のアルキル基」におけるアルキル基を構成する炭素原子に結合している全ての水素原子がハロゲン原子で置き換わった基も含む。「無置換のハロアルキル基」の炭素数は、本明細書に別途記載のない限り、１〜５０であり、好ましくは１〜３０であり、より好ましくは１〜１８である。「置換のハロアルキル基」は、「ハロアルキル基」の１つ以上の水素原子が置換基と置き換わった基を意味する。尚、本明細書に記載の「置換のハロアルキル基」には、「置換のハロアルキル基」におけるアルキル鎖の炭素原子に結合する１つ以上の水素原子がさらに置換基と置き換わった基、及び「置換のハロアルキル基」における置換基の１つ以上の水素原子がさらに置換基と置き換わった基も含まれる。「無置換のハロアルキル基」の具体例としては、前記「アルキル基」（具体例群Ｇ３）における１つ以上の水素原子がハロゲン原子と置き換わった基の例等が挙げられる。ハロアルキル基をハロゲン化アルキル基と称する場合がある。
【００５６】
・「置換もしくは無置換のアルコキシ基」
本明細書に記載の「置換もしくは無置換のアルコキシ基」の具体例としては、−Ｏ（Ｇ３）で表される基であり、ここで、Ｇ３は、具体例群Ｇ３に記載の「置換もしくは無置換のアルキル基」である。「無置換のアルコキシ基」の炭素数は、本明細書に別途記載のない限り、１〜５０であり、好ましくは１〜３０であり、より好ましくは１〜１８である。
【００５７】
・「置換もしくは無置換のアルキルチオ基」
本明細書に記載の「置換もしくは無置換のアルキルチオ基」の具体例としては、−Ｓ（Ｇ３）で表される基であり、ここで、Ｇ３は、具体例群Ｇ３に記載の「置換もしくは無置換のアルキル基」である。「無置換のアルキルチオ基」の炭素数は、本明細書に別途記載のない限り、１〜５０であり、好ましくは１〜３０であり、より好ましくは１〜１８である。
【００５８】
・「置換もしくは無置換のアリールオキシ基」
本明細書に記載の「置換もしくは無置換のアリールオキシ基」の具体例としては、−Ｏ（Ｇ１）で表される基であり、ここで、Ｇ１は、具体例群Ｇ１に記載の「置換もしくは無置換のアリール基」である。「無置換のアリールオキシ基」の環形成炭素数は、本明細書に別途記載のない限り、６〜５０であり、好ましくは６〜３０であり、より好ましくは６〜１８である。
【００５９】
・「置換もしくは無置換のアリールチオ基」
本明細書に記載の「置換もしくは無置換のアリールチオ基」の具体例としては、−Ｓ（Ｇ１）で表される基であり、ここで、Ｇ１は、具体例群Ｇ１に記載の「置換もしくは無置換のアリール基」である。「無置換のアリールチオ基」の環形成炭素数は、本明細書に別途記載のない限り、６〜５０であり、好ましくは６〜３０であり、より好ましくは６〜１８である。
【００６０】
・「置換もしくは無置換のトリアルキルシリル基」
本明細書に記載の「トリアルキルシリル基」の具体例としては、−Ｓｉ（Ｇ３）（Ｇ３）（Ｇ３）で表される基であり、ここで、Ｇ３は、具体例群Ｇ３に記載の「置換もしくは無置換のアルキル基」である。−Ｓｉ（Ｇ３）（Ｇ３）（Ｇ３）における複数のＧ３は、互いに同一であるか、又は異なる。「トリアルキルシリル基」の各アルキル基の炭素数は、本明細書に別途記載のない限り、１〜５０であり、好ましくは１〜２０であり、より好ましくは１〜６である。
【００６１】
・「置換もしくは無置換のアラルキル基」
本明細書に記載の「置換もしくは無置換のアラルキル基」の具体例としては、−（Ｇ３）−（Ｇ１）で表される基であり、ここで、Ｇ３は、具体例群Ｇ３に記載の「置換もしくは無置換のアルキル基」であり、Ｇ１は、具体例群Ｇ１に記載の「置換もしくは無置換のアリール基」である。従って、「アラルキル基」は、「アルキル基」の水素原子が置換基としての「アリール基」と置き換わった基であり、「置換のアルキル基」の一態様である。「無置換のアラルキル基」は、「無置換のアリール基」が置換した「無置換のアルキル基」であり、「無置換のアラルキル基」の炭素数は、本明細書に別途記載のない限り、７〜５０であり、好ましくは７〜３０であり、より好ましくは７〜１８である。
「置換もしくは無置換のアラルキル基」の具体例としては、ベンジル基、１−フェニルエチル基、２−フェニルエチル基、１−フェニルイソプロピル基、２−フェニルイソプロピル基、フェニル−ｔ−ブチル基、α−ナフチルメチル基、１−α−ナフチルエチル基、２−α−ナフチルエチル基、１−α−ナフチルイソプロピル基、２−α−ナフチルイソプロピル基、β−ナフチルメチル基、１−β−ナフチルエチル基、２−β−ナフチルエチル基、１−β−ナフチルイソプロピル基、及び２−β−ナフチルイソプロピル基等が挙げられる。
【００６２】
本明細書に記載の置換もしくは無置換のアリール基は、本明細書に別途記載のない限り、好ましくはフェニル基、ｐ−ビフェニル基、ｍ−ビフェニル基、ｏ−ビフェニル基、ｐ−ターフェニル−４−イル基、ｐ−ターフェニル−３−イル基、ｐ−ターフェニル−２−イル基、ｍ−ターフェニル−４−イル基、ｍ−ターフェニル−３−イル基、ｍ−ターフェニル−２−イル基、ｏ−ターフェニル−４−イル基、ｏ−ターフェニル−３−イル基、ｏ−ターフェニル−２−イル基、１−ナフチル基、２−ナフチル基、アントリル基、フェナントリル基、ピレニル基、クリセニル基、トリフェニレニル基、フルオレニル基、９，９’−スピロビフルオレニル基、９，９−ジメチルフルオレニル基、及び９，９−ジフェニルフルオレニル基等である。
【００６３】
本明細書に記載の置換もしくは無置換の複素環基は、本明細書に別途記載のない限り、好ましくはピリジル基、ピリミジニル基、トリアジニル基、キノリル基、イソキノリル基、キナゾリニル基、ベンゾイミダゾリル基、フェナントロリニル基、カルバゾリル基（１−カルバゾリル基、２−カルバゾリル基、３−カルバゾリル基、４−カルバゾリル基、又は９−カルバゾリル基）、ベンゾカルバゾリル基、アザカルバゾリル基、ジアザカルバゾリル基、ジベンゾフラニル基、ナフトベンゾフラニル基、アザジベンゾフラニル基、ジアザジベンゾフラニル基、ジベンゾチオフェニル基、ナフトベンゾチオフェニル基、アザジベンゾチオフェニル基、ジアザジベンゾチオフェニル基、（９−フェニル）カルバゾリル基（（９−フェニル）カルバゾール−１−イル基、（９−フェニル）カルバゾール−２−イル基、（９−フェニル）カルバゾール−３−イル基、又は（９−フェニル）カルバゾール−４−イル基）、（９−ビフェニリル）カルバゾリル基、（９−フェニル）フェニルカルバゾリル基、ジフェニルカルバゾール−９−イル基、フェニルカルバゾール−９−イル基、フェニルトリアジニル基、ビフェニリルトリアジニル基、ジフェニルトリアジニル基、フェニルジベンゾフラニル基、及びフェニルジベンゾチオフェニル基等である。
【００６４】
本明細書において、カルバゾリル基は、本明細書に別途記載のない限り、具体的には以下のいずれかの基である。
【００６５】
【化５】
2022002256.tif 000007
【００６６】
本明細書において、（９−フェニル）カルバゾリル基は、本明細書に別途記載のない限り、具体的には以下のいずれかの基である。
【００６７】
【化６】
2022002256.tif 000008
【００６８】
前記一般式（ＴＥＭＰ−Ｃｚ１）〜（ＴＥＭＰ−Ｃｚ９）中、＊は、結合位置を表す。
【００６９】
本明細書において、ジベンゾフラニル基、及びジベンゾチオフェニル基は、本明細書に別途記載のない限り、具体的には以下のいずれかの基である。
【００７０】
【化７】
2022002256.tif 000009
【００７１】
前記一般式（ＴＥＭＰ−３４）〜（ＴＥＭＰ−４１）中、＊は、結合位置を表す。
【００７２】
本明細書に記載の置換もしくは無置換のアルキル基は、本明細書に別途記載のない限り、好ましくはメチル基、エチル基、プロピル基、イソプロピル基、ｎ−ブチル基、イソブチル基、及びｔ−ブチル基等である。
【００７３】
・「置換もしくは無置換のアリーレン基」
本明細書に記載の「置換もしくは無置換のアリーレン基」は、別途記載のない限り、上記「置換もしくは無置換のアリール基」からアリール環上の１つの水素原子を除くことにより誘導される２価の基である。「置換もしくは無置換のアリーレン基」の具体例（具体例群Ｇ１２）としては、具体例群Ｇ１に記載の「置換もしくは無置換のアリール基」からアリール環上の１つの水素原子を除くことにより誘導される２価の基等が挙げられる。
【００７４】
・「置換もしくは無置換の２価の複素環基」
本明細書に記載の「置換もしくは無置換の２価の複素環基」は、別途記載のない限り、上記「置換もしくは無置換の複素環基」から複素環上の１つの水素原子を除くことにより誘導される２価の基である。「置換もしくは無置換の２価の複素環基」の具体例（具体例群Ｇ１３）としては、具体例群Ｇ２に記載の「置換もしくは無置換の複素環基」から複素環上の１つの水素原子を除くことにより誘導される２価の基等が挙げられる。
【００７５】
・「置換もしくは無置換のアルキレン基」
本明細書に記載の「置換もしくは無置換のアルキレン基」は、別途記載のない限り、上記「置換もしくは無置換のアルキル基」からアルキル鎖上の１つの水素原子を除くことにより誘導される２価の基である。「置換もしくは無置換のアルキレン基」の具体例（具体例群Ｇ１４）としては、具体例群Ｇ３に記載の「置換もしくは無置換のアルキル基」からアルキル鎖上の１つの水素原子を除くことにより誘導される２価の基等が挙げられる。
【００７６】
本明細書に記載の置換もしくは無置換のアリーレン基は、本明細書に別途記載のない限り、好ましくは下記一般式（ＴＥＭＰ−４２）〜（ＴＥＭＰ−６７）のいずれかの基である。
【００７７】
【化８】
2022002256.tif 000010
【００７８】
【化９】
2022002256.tif 000011
【００７９】
前記一般式（ＴＥＭＰ−４２）〜（ＴＥＭＰ−５２）中、Ｑ１〜Ｑ１０は、それぞれ独立に、水素原子、又は置換基である。
前記一般式（ＴＥＭＰ−４２）〜（ＴＥＭＰ−５２）中、＊は、結合位置を表す。
【００８０】
【化１０】
2022002256.tif 000012
【００８１】
前記一般式（ＴＥＭＰ−５３）〜（ＴＥＭＰ−６２）中、Ｑ１〜Ｑ１０は、それぞれ独立に、水素原子、又は置換基である。
式Ｑ９及びＱ１０は、単結合を介して互いに結合して環を形成してもよい。
前記一般式（ＴＥＭＰ−５３）〜（ＴＥＭＰ−６２）中、＊は、結合位置を表す。
【００８２】
【化１１】
2022002256.tif 000013
【００８３】
前記一般式（ＴＥＭＰ−６３）〜（ＴＥＭＰ−６８）中、Ｑ１〜Ｑ８は、それぞれ独立に、水素原子、又は置換基である。
前記一般式（ＴＥＭＰ−６３）〜（ＴＥＭＰ−６８）中、＊は、結合位置を表す。
【００８４】
本明細書に記載の置換もしくは無置換の２価の複素環基は、本明細書に別途記載のない限り、好ましくは下記一般式（ＴＥＭＰ−６９）〜（ＴＥＭＰ−１０２）のいずれかの基である。
【００８５】
【化１２】
2022002256.tif 000014
【００８６】
【化１３】
2022002256.tif 000015
【００８７】
【化１４】
2022002256.tif 000016
【００８８】
前記一般式（ＴＥＭＰ−６９）〜（ＴＥＭＰ−８２）中、Ｑ１〜Ｑ９は、それぞれ独立に、水素原子、又は置換基である。
【００８９】
【化１５】
2022002256.tif 000017
【００９０】
【化１６】
2022002256.tif 000018
【００９１】
【化１７】
2022002256.tif 000019
【００９２】
【化１８】
2022002256.tif 000020
【００９３】
前記一般式（ＴＥＭＰ−８３）〜（ＴＥＭＰ−１０２）中、Ｑ１〜Ｑ８は、それぞれ独立に、水素原子、又は置換基である。
【００９４】
以上が、「本明細書に記載の置換基」についての説明である。
【００９５】
・「結合して環を形成する場合」
本明細書において、「隣接する２つ以上からなる組の１組以上が、互いに結合して、置換もしくは無置換の単環を形成するか、互いに結合して、置換もしくは無置換の縮合環を形成するか、又は互いに結合せず」という場合は、「隣接する２つ以上からなる組の１組以上が、互いに結合して、置換もしくは無置換の単環を形成する」場合と、「隣接する２つ以上からなる組の１組以上が、互いに結合して、置換もしくは無置換の縮合環を形成する」場合と、「隣接する２つ以上からなる組の１組以上が、互いに結合しない」場合と、を意味する。
本明細書における、「隣接する２つ以上からなる組の１組以上が、互いに結合して、置換もしくは無置換の単環を形成する」場合、及び「隣接する２つ以上からなる組の１組以上が、互いに結合して、置換もしくは無置換の縮合環を形成する」場合（以下、これらの場合をまとめて「結合して環を形成する場合」と称する場合がある。）について、以下、説明する。母骨格がアントラセン環である下記一般式（ＴＥＭＰ−１０３）で表されるアントラセン化合物の場合を例として説明する。
【００９６】
【化１９】
2022002256.tif 000021
【００９７】
例えば、Ｒ９２１〜Ｒ９３０のうちの「隣接する２つ以上からなる組の１組以上が、互いに結合して、環を形成する」場合において、１組となる隣接する２つからなる組とは、Ｒ９２１とＲ９２２との組、Ｒ９２２とＲ９２３との組、Ｒ９２３とＲ９２４との組、Ｒ９２４とＲ９３０との組、Ｒ９３０とＲ９２５との組、Ｒ９２５とＲ９２６との組、Ｒ９２６とＲ９２７との組、Ｒ９２７とＲ９２８との組、Ｒ９２８とＲ９２９との組、並びにＲ９２９とＲ９２１との組である。
【００９８】
上記「１組以上」とは、上記隣接する２つ以上からなる組の２組以上が同時に環を形成してもよいことを意味する。例えば、Ｒ９２１とＲ９２２とが互いに結合して環ＱＡを形成し、同時にＲ９２５とＲ９２６とが互いに結合して環ＱＢを形成した場合は、前記一般式（ＴＥＭＰ−１０３）で表されるアントラセン化合物は、下記一般式（ＴＥＭＰ−１０４）で表される。
【００９９】
【化２０】
2022002256.tif 000022
【０１００】
「隣接する２つ以上からなる組」が環を形成する場合とは、前述の例のように隣接する「２つ」からなる組が結合する場合だけではなく、隣接する「３つ以上」からなる組が結合する場合も含む。例えば、Ｒ９２１とＲ９２２とが互いに結合して環ＱＡを形成し、かつ、Ｒ９２２とＲ９２３とが互いに結合して環ＱＣを形成し、互いに隣接する３つ（Ｒ９２１、Ｒ９２２及びＲ９２３）からなる組が互いに結合して環を形成して、アントラセン母骨格に縮合する場合を意味し、この場合、前記一般式（ＴＥＭＰ−１０３）で表されるアントラセン化合物は、下記一般式（ＴＥＭＰ−１０５）で表される。下記一般式（ＴＥＭＰ−１０５）において、環ＱＡ及び環ＱＣは、Ｒ９２２を共有する。
【０１０１】
【化２１】
2022002256.tif 000023
【０１０２】
形成される「単環」、又は「縮合環」は、形成された環のみの構造として、飽和の環であっても不飽和の環であってもよい。「隣接する２つからなる組の１組」が「単環」、又は「縮合環」を形成する場合であっても、当該「単環」、又は「縮合環」は、飽和の環、又は不飽和の環を形成することができる。例えば、前記一般式（ＴＥＭＰ−１０４）において形成された環ＱＡ及び環ＱＢは、それぞれ、「単環」又は「縮合環」である。また、前記一般式（ＴＥＭＰ−１０５）において形成された環ＱＡ、及び環ＱＣは、「縮合環」である。前記一般式（ＴＥＭＰ−１０５）の環ＱＡと環ＱＣとは、環ＱＡと環ＱＣとが縮合することによって縮合環となっている。前記一般式（ＴＭＥＰ−１０４）の環ＱＡがベンゼン環であれば、環ＱＡは、単環である。前記一般式（ＴＭＥＰ−１０４）の環ＱＡがナフタレン環であれば、環ＱＡは、縮合環である。
【０１０３】
「不飽和の環」とは、芳香族炭化水素環、又は芳香族複素環を意味する。「飽和の環」とは、脂肪族炭化水素環、又は非芳香族複素環を意味する。
芳香族炭化水素環の具体例としては、具体例群Ｇ１において具体例として挙げられた基が水素原子によって終端された構造が挙げられる。
芳香族複素環の具体例としては、具体例群Ｇ２において具体例として挙げられた芳香族複素環基が水素原子によって終端された構造が挙げられる。
脂肪族炭化水素環の具体例としては、具体例群Ｇ６において具体例として挙げられた基が水素原子によって終端された構造が挙げられる。
「環を形成する」とは、母骨格の複数の原子のみ、あるいは母骨格の複数の原子とさらに１以上の任意の元素で環を形成することを意味する。例えば、前記一般式（ＴＥＭＰ−１０４）に示す、Ｒ９２１とＲ９２２とが互いに結合して形成された環ＱＡは、Ｒ９２１が結合するアントラセン骨格の炭素原子と、Ｒ９２２が結合するアントラセン骨格の炭素原子と、１以上の任意の元素とで形成する環を意味する。具体例としては、Ｒ９２１とＲ９２２とで環ＱＡを形成する場合において、Ｒ９２１が結合するアントラセン骨格の炭素原子と、Ｒ９２２とが結合するアントラセン骨格の炭素原子と、４つの炭素原子とで単環の不飽和の環を形成する場合、Ｒ９２１とＲ９２２とで形成する環は、ベンゼン環である。
【０１０４】
ここで、「任意の元素」は、本明細書に別途記載のない限り、好ましくは、炭素元素、窒素元素、酸素元素、及び硫黄元素からなる群から選択される少なくとも１種の元素である。任意の元素において（例えば、炭素元素、又は窒素元素の場合）、環を形成しない結合は、水素原子等で終端されてもよいし、後述する「任意の置換基」で置換されてもよい。炭素元素以外の任意の元素を含む場合、形成される環は複素環である。
単環または縮合環を構成する「１以上の任意の元素」は、本明細書に別途記載のない限り、好ましくは２個以上１５個以下であり、より好ましくは３個以上１２個以下であり、さらに好ましくは３個以上５個以下である。
本明細書に別途記載のない限り、「単環」、及び「縮合環」のうち、好ましくは「単環」である。
本明細書に別途記載のない限り、「飽和の環」、及び「不飽和の環」のうち、好ましくは「不飽和の環」である。
本明細書に別途記載のない限り、「単環」は、好ましくはベンゼン環である。
本明細書に別途記載のない限り、「不飽和の環」は、好ましくはベンゼン環である。
「隣接する２つ以上からなる組の１組以上」が、「互いに結合して、置換もしくは無置換の単環を形成する」場合、又は「互いに結合して、置換もしくは無置換の縮合環を形成する」場合、本明細書に別途記載のない限り、好ましくは、隣接する２つ以上からなる組の１組以上が、互いに結合して、母骨格の複数の原子と、１個以上１５個以下の炭素元素、窒素元素、酸素元素、及び硫黄元素からなる群から選択される少なくとも１種の元素とからなる置換もしくは無置換の「不飽和の環」を形成する。
【０１０５】
上記の「単環」、又は「縮合環」が置換基を有する場合の置換基は、例えば後述する「任意の置換基」である。上記の「単環」、又は「縮合環」が置換基を有する場合の置換基の具体例は、上述した「本明細書に記載の置換基」の項で説明した置換基である。
上記の「飽和の環」、又は「不飽和の環」が置換基を有する場合の置換基は、例えば後述する「任意の置換基」である。上記の「単環」、又は「縮合環」が置換基を有する場合の置換基の具体例は、上述した「本明細書に記載の置換基」の項で説明した置換基である。
以上が、「隣接する２つ以上からなる組の１組以上が、互いに結合して、置換もしくは無置換の単環を形成する」場合、及び「隣接する２つ以上からなる組の１組以上が、互いに結合して、置換もしくは無置換の縮合環を形成する」場合（「結合して環を形成する場合」）についての説明である。
【０１０６】
・「置換もしくは無置換の」という場合の置換基
本明細書における一実施形態においては、前記「置換もしくは無置換の」という場合の置換基（本明細書において、「任意の置換基」と呼ぶことがある。）は、例えば、
無置換の炭素数１〜５０のアルキル基、
無置換の炭素数２〜５０のアルケニル基、
無置換の炭素数２〜５０のアルキニル基、
無置換の環形成炭素数３〜５０のシクロアルキル基、
−Ｓｉ（Ｒ９０１）（Ｒ９０２）（Ｒ９０３）、
−Ｏ−（Ｒ９０４）、
−Ｓ−（Ｒ９０５）、
−Ｎ（Ｒ９０６）（Ｒ９０７）、
ハロゲン原子、シアノ基、ニトロ基、
無置換の環形成炭素数６〜５０のアリール基、及び
無置換の環形成原子数５〜５０の複素環基
からなる群から選択される基等であり、
ここで、Ｒ９０１〜Ｒ９０７は、それぞれ独立に、
水素原子、
置換もしくは無置換の炭素数１〜５０のアルキル基、
置換もしくは無置換の環形成炭素数３〜５０のシクロアルキル基、
置換もしくは無置換の環形成炭素数６〜５０のアリール基、又は置換もしくは無置換の環形成原子数５〜５０の複素環基である。
Ｒ９０１が２個以上存在する場合、２個以上のＲ９０１は、互いに同一であるか、又は異なり、
Ｒ９０２が２個以上存在する場合、２個以上のＲ９０２は、互いに同一であるか、又は異なり、
Ｒ９０３が２個以上存在する場合、２個以上のＲ９０３は、互いに同一であるか、又は異なり、
Ｒ９０４が２個以上存在する場合、２個以上のＲ９０４は、互いに同一であるか、又は異なり、
Ｒ９０５が２個以上存在する場合、２個以上のＲ９０５は、互いに同一であるか、又は異なり、
Ｒ９０６が２個以上存在する場合、２個以上のＲ９０６は、互いに同一であるか、又は異なり、
Ｒ９０７が２個以上存在する場合、２個以上のＲ９０７は、互いに同一であるか又は異なる。
【０１０７】
一実施形態においては、前記「置換もしくは無置換の」という場合の置換基は、
炭素数１〜５０のアルキル基、
環形成炭素数６〜５０のアリール基、及び
環形成原子数５〜５０の複素環基
からなる群から選択される基である。
【０１０８】
一実施形態においては、前記「置換もしくは無置換の」という場合の置換基は、
炭素数１〜１８のアルキル基、
環形成炭素数６〜１８のアリール基、及び
環形成原子数５〜１８の複素環基
からなる群から選択される基である。
【０１０９】
上記任意の置換基の各基の具体例は、上述した「本明細書に記載の置換基」の項で説明した置換基の具体例である。
【０１１０】
本明細書において別途記載のない限り、隣接する任意の置換基同士で、「飽和の環」、又は「不飽和の環」を形成してもよく、好ましくは、置換もしくは無置換の飽和の５員環、置換もしくは無置換の飽和の６員環、置換もしくは無置換の不飽和の５員環、又は置換もしくは無置換の不飽和の６員環を形成し、より好ましくは、ベンゼン環を形成する。
本明細書において別途記載のない限り、任意の置換基は、さらに置換基を有してもよい。任意の置換基がさらに有する置換基としては、上記任意の置換基と同様である。
【０１１１】
本明細書において、「ＡＡ〜ＢＢ」を用いて表される数値範囲は、「ＡＡ〜ＢＢ」の前に記載される数値ＡＡを下限値とし、「ＡＡ〜ＢＢ」の後に記載される数値ＢＢを上限値として含む範囲を意味する。
【０１１２】
〔第一実施形態〕
（有機エレクトロルミネッセンス素子）
本実施形態に係る有機エレクトロルミネッセンス素子は、陽極と、陰極と、前記陽極及び前記陰極の間に配置された発光層と、を有し、前記発光層は、第一のホスト材料、第一の有機材料及び第一のドーパント材料を含み、前記第一のホスト材料と前記第一の有機材料は、互いに構造が異なる化合物であり、前記第一のホスト材料及び前記第一の有機材料の少なくともいずれかが、下記数式（数１）及び下記数式（数２）の少なくともいずれかの関係を満たし、前記第一のホスト材料、前記第一の有機材料及び前記第一のドーパント材料は、下記数式（数３）、（数４）、（数５）及び（数６）の関係を満たす。
ΔＦＷＨＭ（Ｈ１）＝ＨＷＦ（Ｈ１）−ＨＷＳ（Ｈ１）≦１５  …（数１）
ΔＦＷＨＭ（Ｈ２）＝ＨＷＦ（Ｈ２）−ＨＷＳ（Ｈ２）≦１５  …（数２）
Ｔ１（Ｄ１）＞Ｔ１（Ｈ１）  …（数３）
Ｔ１（Ｄ１）＞Ｔ１（Ｈ２）  …（数４）
Ｓ１（Ｈ１）＞Ｓ１（Ｄ１）  …（数５）
Ｓ１（Ｈ２）＞Ｓ１（Ｄ１）  …（数６）
【０１１３】
（前記数式（数１）及び（数２）中、
ＨＷＦ（Ｈ１）は、前記第一のホスト材料の膜のフォトルミネッセンススペクトラムにおけるピーク半値幅（単位：ｎｍ）であり、
ＨＷＳ（Ｈ１）は、前記第一のホスト材料の溶液のフォトルミネッセンススペクトラムにおけるピーク半値幅（単位：ｎｍ）であり、
ΔＦＷＨＭ（Ｈ１）は、ＨＷＦ（Ｈ１）とＨＷＳ（Ｈ１）との差であり、
ＨＷＦ（Ｈ２）は、前記第一の有機材料の膜のフォトルミネッセンススペクトラムにおけるピーク半値幅（単位：ｎｍ）であり、
ＨＷＳ（Ｈ２）は、前記第一の有機材料の溶液のフォトルミネッセンススペクトラムにおけるピーク半値幅（単位：ｎｍ）であり、
ΔＦＷＨＭ（Ｈ２）は、ＨＷＦ（Ｈ２）とＨＷＳ（Ｈ２）との差であり、
前記数式（数３）〜（数６）中、
Ｔ１（Ｈ１）は、前記第一のホスト材料の三重項エネルギー（単位：ｅＶ）であり、
Ｔ１（Ｈ２）は、前記第一の有機材料の三重項エネルギー（単位：ｅＶ）であり、
Ｔ１（Ｄ１）は、前記第一のドーパント材料の三重項エネルギー（単位：ｅＶ）であり、
Ｓ１（Ｈ１）は、前記第一のホスト材料の一重項エネルギー（単位：ｅＶ）であり、
Ｓ１（Ｈ２）は、前記第一の有機材料の一重項エネルギー（単位：ｅＶ）であり、
Ｓ１（Ｄ１）は、前記第一のドーパント材料の一重項エネルギー（単位：ｅＶ）である。）
【０１１４】
本実施形態によれば、色度の低下が抑制された有機エレクトロルミネッセンス素子を提供できる。
【０１１５】
有機ＥＬ素子の色度低下の要因の一つとして、ホスト材料の分子同士のスタックが考えられる。発光層等の膜中でホスト材料の分子同士がスタックしていると、当該膜のフォトルミネッセンススペクトラムの半値全幅（ＦＷＨＭ，ｆｕｌｌ  ｗｉｄｔｈ  ａｔ  ｈａｌｆ  ｍａｘｉｍｕｍ）が、溶液のフォトルミネッセンススペクトラムのＦＷＨＭよりも幅広になる。そのため、膜のＦＷＨＭと溶液のＦＷＨＭとの差が所定値を超える化合物をホスト材料として用いると、発光層中で当該ホスト材料の分子同士がスタックし易く、有機ＥＬ素子の色度が低下すると考えられる。
【０１１６】
・溶液の半値幅（ＨＷＳ)
化合物の溶液の半値幅ＦＷＨＭの測定方法は、次の通りである。（なお、本明細書において、「化合物の溶液中の半値幅ＦＷＨＭ」をＨＷＳと表記する場合がある。）
測定対象となる化合物を５．０×１０−６ｍｏｌ／Ｌの濃度でトルエンに溶解し、測定用試料を調製する。石英セルへ入れた測定用試料に室温（３００Ｋ）で励起光を照射し、蛍光スペクトル（縦軸：蛍光強度、横軸：波長）を測定する。蛍光スペクトル測定には、例えば、日立ハイテクサイエンス社の分光蛍光光度計Ｆ−７０００形を用いる。
測定した蛍光スペクトルのピーク波長の強度の半分の強度となる波長の幅を計測することによりＨＷＳ（単位：ｎｍ）を算出する。
【０１１７】
・膜の半値幅（ＨＷＦ）
化合物の膜の半値幅ＦＷＨＭの測定方法は、次の通りである。（なお、本明細書において、「化合物の膜の半値幅ＦＷＨＭ」をＨＷＦと表記する場合がある。）
２０ｍｍ×１０ｍｍ×１ｍｍ厚の石英基板をイソプロピルアルコール中で、５分間、超音波洗浄した後、３０分間、ＵＶオゾン洗浄する。ＵＶオゾン洗浄後の石英基板を真空蒸着装置の基板ホルダーに装着し、測定対象の化合物を用いて、膜厚５０ｎｍの膜を成膜する。このようにして、半値幅測定用サンプルを作製し、この半値幅測定用サンプルの膜の蛍光スペクトルを測定する。蛍光スペクトル測定には、例えば、日立ハイテクサイエンス社の分光蛍光光度計Ｆ−７０００形を用いる。
測定した蛍光スペクトルのピーク波長の強度の半分の強度となる波長の幅を計測することによりＨＷＦ（単位：ｎｍ）を算出する。
【０１１８】
本実施形態に係る有機ＥＬ素子は、第一のホスト材料が数式（数１）の関係を満たし、第一の有機材料が数式（数２）の関係を満たさない場合、第一のホスト材料が数式（数１）の関係を満たさず、第一の有機材料が数式（数２）の関係を満たす場合、並びに第一のホスト材料が数式（数１）の関係を満たし、第一の有機材料も数式（数２）の関係を満たす場合の少なくともいずれかの場合に該当する。膜のＦＷＨＭと溶液のＦＷＨＭとの差が所定値以下の化合物を、ホスト材料及びドーパント材料に加えてさらにその他の材料を含有する発光層に用いることで、ホスト材料の分子同士のスタックが抑制され、その結果、色度の低下を抑制できると考えられる。
【０１１９】
従来、有機エレクトロルミネッセンス素子の発光効率を向上させるための技術として、Ｔｒｉｐｒｅｔ−Ｔｒｉｐｒｅｔ−Ａｎｎｈｉｌａｔｉｏｎ（ＴＴＡと称する場合がある。）が知られている。ＴＴＡは、三重項励起子と三重項励起子とが衝突して、一重項励起子を生成するという機構（メカニズム）である。なお、ＴＴＡメカニズムは、特許文献４に記載のようにＴＴＦメカニズムと称する場合もある。
【０１２０】
ＴＴＦ現象を説明する。陽極から注入された正孔と、陰極から注入された電子とは、発光層内で再結合し励起子を生成する。そのスピン状態は、従来から知られているように、一重項励起子が２５％、三重項励起子が７５％の比率である。従来知られている蛍光素子においては、２５％の一重項励起子が基底状態に緩和するときに光を発するが、残りの７５％の三重項励起子については光を発することなく熱的失活過程を経て基底状態に戻る。従って、従来の蛍光素子の内部量子効率の理論限界値は２５％といわれていた。
一方、有機物内部で生成した三重項励起子の挙動が理論的に調べられている。Ｓ．Ｍ．Ｂａｃｈｉｌｏらによれば（Ｊ．Ｐｈｙｓ．Ｃｅｍ．Ａ，１０４，７７１１（２０００））、五重項等の高次の励起子がすぐに三重項に戻ると仮定すると、三重項励起子（以下、３Ａ＊と記載する）の密度が上がってきたとき、三重項励起子同士が衝突し下記式のような反応が起きる。ここで、１Ａは、基底状態を表し、１Ａ＊は、最低励起一重項励起子を表す。
３Ａ＊＋３Ａ＊→（４／９）１Ａ＋（１／９）１Ａ＊＋（１３／９）３Ａ＊
即ち、５３Ａ＊→４１Ａ＋１Ａ＊となり、当初生成した７５％の三重項励起子のうち、１／５即ち２０％が一重項励起子に変化することが予測されている。従って、光として寄与する一重項励起子は、当初生成する２５％分に７５％×（１／５）＝１５％を加えた４０％ということになる。このとき、全発光強度中に占めるＴＴＦ由来の発光比率（ＴＴＦ比率）は、１５／４０、すなわち３７．５％となる。また、当初生成した７５％の三重項励起子のお互いが衝突して一重項励起子が生成した（２つの三重項励起子から１つの一重項励起子が生成した）とすると、当初生成する一重項励起子２５％分に７５％×（１／２）＝３７．５％を加えた６２．５％という非常に高い内部量子効率が得られる。このとき、ＴＴＦ比率は、３７．５／６２．５＝６０％である。
【０１２１】
陽極から注入された正孔は正孔輸送帯域を通して発光層へ注入され、陰極から注入された電子は電子輸送帯域を通して発光層へ注入される。その後、発光層で正孔と電子が再結合し、一重項励起子と三重項励起子が生成する。再結合は、ホスト材料の分子上で起こる場合とドーパント材料の分子上で起こる場合の２通りがある。
本実施形態では、第一のホスト材料、第一の有機材料及び第一のドーパント材料の三重項エネルギーが、数式（数３）及び（数４）の関係を満たす。この数式（数３）及び（数４）の関係を満たすことにより、第一のホスト材料及び第一の有機材料の分子上で再結合して生成した三重項励起子は、より高い三重項エネルギーを有する第一のドーパント材料へは移動しない。また、第一のドーパント材料の分子上で再結合して生成した三重項励起子は、速やかに、第一のホスト材料及び第一の有機材料の分子にエネルギー移動する。即ち、第一のホスト材料及び第一の有機材料の三重項励起子が第一のドーパント材料に移動することなく、ＴＴＦ現象によって効率的に第一のホスト材料及び第一の有機材料の分子上で三重項励起子同士が衝突して、一重項励起子が生成する。
さらに、第一のドーパント材料の一重項エネルギーＳ１（Ｄ１）は、数式（数５）及び数式（数６）のとおり、第一のホスト材料の一重項エネルギーＳ１（Ｈ１）及び第一の有機材料の一重項エネルギーＳ１（Ｈ２）よりも小さい。そのため、ＴＴＦ現象によって生成した一重項励起子は、第一のホスト材料及び第一の有機材料から第一のドーパント材料へエネルギー移動し、第一のドーパント材料の蛍光性発光に寄与する。本来、蛍光型素子に用いられるドーパント材料においては、励起三重項状態から基底状態への遷移は、禁制であり、このような遷移では三重項励起子は光学的なエネルギー失活をせず、熱的失活を起こしていた。しかし、発光層中の第一のホスト材料、第一の有機材料及び第１ドーパントの三重項エネルギーが、数式（数３）及び（数４）を満たすことにより、三重項励起子が熱的失活を起こす前に、互いの衝突により効率的に一重項励起子を生成し、発光効率が向上する。
【０１２２】
本実施形態に係る有機ＥＬ素子の一態様において、第一のホスト材料の一重項エネルギーＳ１（Ｈ１）と第一の有機材料の一重項エネルギーＳ１（Ｈ２）とが、下記数式（数５Ａ）の関係を満たす。
Ｓ１（Ｈ１）＞Ｓ１（Ｈ２）  …（数５Ａ）
また、本実施形態に係る有機ＥＬ素子の一態様において、第一のホスト材料の一重項エネルギーＳ１（Ｈ１）と第一の有機材料の一重項エネルギーＳ１（Ｈ２）とが、下記数式（数５Ｂ）の関係を満たす。
Ｓ１（Ｈ１）＜Ｓ１（Ｈ２）  …（数５Ｂ）
【０１２３】
（三重項エネルギーＴ１）
三重項エネルギーＴ１の測定方法としては、下記の方法が挙げられる。
測定対象となる化合物をＥＰＡ（ジエチルエーテル：イソペンタン：エタノール＝５：５：２（容積比））中に、１０−５ｍｏｌ／Ｌ以上１０−４ｍｏｌ／Ｌ以下となるように溶解し、この溶液を石英セル中に入れて測定試料とする。この測定試料について、低温（７７［Ｋ］）で燐光スペクトル（縦軸：燐光発光強度、横軸：波長とする。）を測定し、この燐光スペクトルの短波長側の立ち上がりに対して接線を引き、その接線と横軸との交点の波長値λｅｄｇｅ［ｎｍ］に基づいて、次の換算式（Ｆ１）から算出されるエネルギー量を三重項エネルギーＴ１とする。
換算式（Ｆ１）：Ｔ１［ｅＶ］＝１２３９．８５／λｅｄｇｅ
【０１２４】
燐光スペクトルの短波長側の立ち上がりに対する接線は以下のように引く。燐光スペクトルの短波長側から、スペクトルの極大値のうち、最も短波長側の極大値までスペクトル曲線上を移動する際に、長波長側に向けて曲線上の各点における接線を考える。この接線は、曲線が立ち上がるにつれ（つまり縦軸が増加するにつれ）、傾きが増加する。この傾きの値が極大値をとる点において引いた接線（すなわち変曲点における接線）が、当該燐光スペクトルの短波長側の立ち上がりに対する接線とする。
なお、スペクトルの最大ピーク強度の１５％以下のピーク強度をもつ極大点は、上述の最も短波長側の極大値には含めず、最も短波長側の極大値に最も近い、傾きの値が極大値をとる点において引いた接線を当該燐光スペクトルの短波長側の立ち上がりに対する接線とする。
燐光の測定には、（株）日立ハイテクノロジー製のＦ−４５００形分光蛍光光度計本体を用いることができる。なお、測定装置はこの限りではなく、冷却装置、及び低温用容器と、励起光源と、受光装置とを組み合わせることにより、測定してもよい。
【０１２５】
（一重項エネルギーＳ１）
溶液を用いた一重項エネルギーＳ１の測定方法（溶液法と称する場合がある。）としては、下記の方法が挙げられる。
測定対象となる化合物の１０−５ｍｏｌ／Ｌ以上１０−４ｍｏｌ／Ｌ以下のトルエン溶液を調製して石英セルに入れ、常温（３００Ｋ）でこの試料の吸収スペクトル（縦軸：吸収強度、横軸：波長とする。）を測定する。この吸収スペクトルの長波長側の立ち下がりに対して接線を引き、その接線と横軸との交点の波長値λｅｄｇｅ［ｎｍ］を次に示す換算式（Ｆ２）に代入して一重項エネルギーを算出する。
換算式（Ｆ２）：Ｓ１［ｅＶ］＝１２３９．８５／λｅｄｇｅ
吸収スペクトル測定装置としては、例えば、日立社製の分光光度計（装置名：Ｕ３３１０）が挙げられるが、これに限定されない。
【０１２６】
吸収スペクトルの長波長側の立ち下がりに対する接線は以下のように引く。吸収スペクトルの極大値のうち、最も長波長側の極大値から長波長方向にスペクトル曲線上を移動する際に、曲線上の各点における接線を考える。この接線は、曲線が立ち下がるにつれ（つまり縦軸の値が減少するにつれ）、傾きが減少しその後増加することを繰り返す。傾きの値が最も長波長側（ただし、吸光度が０．１以下となる場合は除く）で極小値をとる点において引いた接線を当該吸収スペクトルの長波長側の立ち下がりに対する接線とする。
なお、吸光度の値が０．２以下の極大点は、上記最も長波長側の極大値には含めない。
【０１２７】
本実施形態に係る有機ＥＬ素子において、第一のホスト材料及び第一の有機材料が、下記数式（数７）の関係を満たすことが好ましい。
Ｉｐ（Ｈ１）≧Ｉｐ（Ｈ２）  …（数７）
（前記数式（数７）中、
Ｉｐ（Ｈ１）は、第一のホスト材料のイオン化ポテンシャル（単位：ｅＶ）であり、
Ｉｐ（Ｈ２）は、第一の有機材料のイオン化ポテンシャル（単位：ｅＶ）である。）
本明細書において、イオン化ポテンシャルは、大気下で、光電子分光装置を用いて測定する。具体的には、実施例に記載の方法によりイオン化ポテンシャルを測定できる。
【０１２８】
本実施形態に係る有機ＥＬ素子において、第一のホスト材料及び第一の有機材料が、下記数式（数８）の関係を満たすことが好ましい。
μＨ（Ｈ１：Ｈ２）＞μＨ（Ｈ１）  …（数８）
（前記数式（数８）中、μＨ（Ｈ１：Ｈ２）は、第一のホスト材料及び第一の有機材料の混合物の正孔移動度（単位：ｍ２／（Ｖ・ｓ））であり、μＨ（Ｈ１）は、第一のホスト材料の正孔移動度（単位：ｍ２／（Ｖ・ｓ））である。）
【０１２９】
本実施形態に係る有機ＥＬ素子において、第一のホスト材料及び第一の有機材料が、下記数式（数９）の関係を満たすことが好ましい。
Ａｆ（Ｈ１）≧Ａｆ（Ｈ２）  …（数９）
（前記数式（数９）中、Ａｆ（Ｈ１）は、第一のホスト材料の電子アフィニティ準位（単位：ｅＶ）であり、Ａｆ（Ｈ２）は、第一の有機材料の電子アフィニティ準位（単位：ｅＶ）である。）
本明細書において、電子アフィニティ準位は、イオン化ポテンシャルＩｐと一重項エネルギーＳ１の測定値から算出する。電子アフィニティ準位の算出式は、次のとおりである。
Ａｆ＝Ｉｐ−Ｓ１
【０１３０】
本実施形態に係る有機ＥＬ素子において、第一のホスト材料及び第一の有機材料が、下記数式（数１０）の関係を満たすことが好ましい。
μＥ（Ｈ１：Ｈ２）＞μＥ（Ｈ１）  …（数１０）
（前記数式（数１０）中、μＥ（Ｈ１：Ｈ２）は、第一のホスト材料及び第一の有機材料の混合物の電子移動度（単位：ｍ２／（Ｖ・ｓ））であり、μＥ（Ｈ１）は、第一のホスト材料の電子移動度（単位：ｍ２／（Ｖ・ｓ））である。）
【０１３１】
（有機ＥＬ素子の発光波長）
本実施形態に係る有機エレクトロルミネッセンス素子は、素子駆動時に主ピーク波長が５００ｎｍ以下の光を放射することが好ましい。
本実施形態に係る有機エレクトロルミネッセンス素子は、素子駆動時に主ピーク波長が、４３０ｎｍ以上４８０ｎｍ以下の光を放射することがより好ましい。
素子駆動時に有機ＥＬ素子が放射する光の主ピーク波長の測定は、以下のようにして行う。電流密度が１０ｍＡ／ｃｍ２となるように有機ＥＬ素子に電圧を印加した時の分光放射輝度スペクトルを分光放射輝度計ＣＳ−２０００（コニカミノルタ社製）で計測する。得られた分光放射輝度スペクトルにおいて、発光強度が最大となる発光スペクトルのピーク波長を測定し、これを主ピーク波長（単位：ｎｍ）とする。
【０１３２】
（発光層）
発光層は、第一のホスト材料、第一の有機材料及び第一のドーパント材料を含む。第一のホスト材料と第一の有機材料とは、互いに異なる構造の化合物である。
【０１３３】
本明細書において、「ホスト材料」とは、例えば「層の５０質量％以上」含まれる材料である。本実施形態においては、第一のホスト材料は、例えば、発光層の全質量の５０質量％以上含まれる。本実施形態においては、第一のホスト材料は、例えば、発光層の全質量の６０質量％以上、発光層の全質量の７０質量％以上、発光層の全質量の８０質量％以上、発光層の全質量の９０質量％以上、又は発光層の全質量の９５質量％以上含まれる。本実施形態において、第一のホスト材料、第一の有機材料及び第一のドーパント材料の合計量の上限は、発光層の全質量の１００質量％である。
【０１３４】
本実施形態に係る有機ＥＬ素子において、発光層中、第一のホスト材料及び第一の有機材料の合計質量ＭＴと、第一のホスト材料の質量Ｍ１とが、下記数式（数１１）の関係を満たすことが好ましい。
５０≦（Ｍ１／ＭＴ）×１００＜１００…（数１１）
【０１３５】
本実施形態に係る有機ＥＬ素子において、第一のドーパント材料は、発光層中に、１．１質量％を超えて、含有されることが好ましい。すなわち、発光層は、第一のドーパント材料を、発光層の全質量の１．１質量％超、含有することが好ましく、発光層の全質量の１．２質量％以上、含有することがより好ましく、発光層の全質量の１．５質量％以上、含有することがさらに好ましい。
発光層は、第一のドーパント材料を、発光層の全質量の１０質量％以下、含有することが好ましく、発光層の全質量の７質量％以下、含有することがより好ましく、発光層の全質量の５質量％以下、含有することがさらに好ましい。
【０１３６】
なお、本実施形態に係る有機ＥＬ素子において、発光層が第一のホスト材料、第一の有機材料及び第一のドーパント材料以外の材料を含有することを除外しない。
発光層は、第一のホスト材料及び第一の有機材料の２種のみ含んでもよいし、３種以上のホスト材料を含んでもよい。発光層は、第一のドーパント材料を１種のみ含んでもよいし、２種以上のドーパント材料を含んでもよい。
【０１３７】
本実施形態に係る有機ＥＬ素子において、第一のドーパント材料は、分子中にアジン環構造を含まない化合物であることが好ましい。
【０１３８】
本実施形態に係る有機ＥＬ素子において、第一のドーパント材料は、ホウ素含有錯体ではないことが好ましく、前記第一のドーパント材料は、錯体ではないことがより好ましい。
【０１３９】
本実施形態に係る有機ＥＬ素子において、発光層は、金属錯体を含有しないことが好ましい。また、本実施形態に係る有機ＥＬ素子において、発光層は、
ホウ素含有錯体を含有しないことも好ましい。
【０１４０】
本実施形態に係る有機ＥＬ素子において、発光層は、燐光発光性材料（ドーパント材料）を含まないことが好ましい。
また、発光層は、重金属錯体及び燐光発光性の希土類金属錯体を含まないことが好ましい。ここで、重金属錯体としては、例えば、イリジウム錯体、オスミウム錯体、及び白金錯体等が挙げられる。
【０１４１】
本実施形態に係る有機ＥＬ素子において、第一のドーパント材料が、主ピーク波長が５００ｎｍ以下の蛍光発光を示す化合物であることが好ましい。
【０１４２】
化合物の主ピーク波長の測定方法は、次の通りである。測定対象となる化合物の５μｍｏｌ／Ｌトルエン溶液を調製して石英セルに入れ、常温（３００Ｋ）でこの試料の発光スペクトル（縦軸：発光強度、横軸：波長とする。）を測定する。発光スペクトルは、株式会社日立ハイテクサイエンス製の分光蛍光光度計（装置名：Ｆ−７０００）により測定できる。なお、発光スペクトル測定装置は、ここで用いた装置に限定されない。
発光スペクトルにおいて、発光強度が最大となる発光スペクトルのピーク波長を主ピーク波長とする。なお、本明細書において、主ピーク波長を蛍光発光主ピーク波長（ＦＬ−ｐｅａｋ）と称する場合がある。
【０１４３】
第一のドーパント材料の発光スペクトルにおいて、発光強度が最大となるピークを主ピークとし、当該主ピークの高さを１としたとき、当該発光スペクトルに現れる他のピークの高さは、０．６未満であることが好ましい。なお、発光スペクトルにおけるピークは、極大値とする。
また、第一のドーパント材料の発光スペクトルにおいて、ピークの数が３つ未満であることが好ましい。
【０１４４】
本実施形態に係る有機ＥＬ素子において、発光層は、素子駆動時に主ピーク波長が５００ｎｍ以下の光を放射することが好ましい。
素子駆動時に発光層から放射される光の主ピーク波長λｐ１は、有機ＥＬ素子の電流密度が１０ｍＡ／ｃｍ２となるように素子に電圧を印加した時の分光放射輝度スペクトルを分光放射輝度計ＣＳ−２０００（コニカミノルタ株式会社製）で計測する。得られた分光放射輝度スペクトルから、主ピーク波長λｐ１（単位：ｎｍ）を算出する。
【０１４５】
・発光層の膜厚
本実施形態の有機ＥＬ素子における発光層の膜厚は、好ましくは５ｎｍ以上５０ｎｍ以下、より好ましくは７ｎｍ以上５０ｎｍ以下、さらに好ましくは１０ｎｍ以上５０ｎｍ以下である。発光層の膜厚が５ｎｍ以上であると、発光層を形成し易く、色度を調整し易い。発光層の膜厚が５０ｎｍ以下であると、駆動電圧の上昇を抑制し易い。
【０１４６】
（有機ＥＬ素子のその他の層）
本実施形態に係る有機ＥＬ素子は、発光層以外に、１以上の有機層を有していてもよい。有機層としては、例えば、正孔注入層、正孔輸送層、発光層、電子注入層、電子輸送層、正孔障壁層及び電子障壁層からなる群から選択される少なくともいずれかの層が挙げられる。
【０１４７】
本実施形態に係る有機ＥＬ素子において、有機層は、発光層だけで構成されていてもよいが、例えば、正孔注入層、正孔輸送層、電子注入層、電子輸送層、正孔障壁層、及び電子障壁層等からなる群から選択される少なくともいずれかの層をさらに有していてもよい。
【０１４８】
本実施形態に係る有機ＥＬ素子が、さらに、前記発光層とは異なる他の発光層を有する場合、前記発光層は、前記他の発光層と直接接していないことが好ましい。すなわち、一実施形態において、有機ＥＬ素子が、有機層として複数の発光層を有する場合、発光層同士が直接接していない。また、一実施形態において、有機ＥＬ素子は、発光層を１つだけ有する。
【０１４９】
図１に、本実施形態に係る有機ＥＬ素子の一例の概略構成を示す。
有機ＥＬ素子１は、透光性の基板２と、陽極３と、陰極４と、陽極３と陰極４との間に配置された有機層１０と、を含む。有機層１０は、陽極３側から順に、正孔注入層６、正孔輸送層７、発光層５、電子輸送層８、及び電子注入層９が、この順番で積層されて構成される。
本発明は、図１に示す有機ＥＬ素子の構成に限定されない。別の構成の有機ＥＬ素子としては、例えば、有機層が、陽極側から順に、正孔注入層、正孔輸送層、第二の発光層、第一の発光層、電子輸送層、及び電子注入層が、この順番で積層されて構成される態様が挙げられる。
【０１５０】
（正孔輸送層）
本実施形態に係る有機ＥＬ素子において、陽極と発光層との間に正孔輸送層を含むことが好ましい。
【０１５１】
（電子輸送層）
本実施形態に係る有機ＥＬ素子において、発光層と陰極との間に電子輸送層を含むことが好ましい。
【０１５２】
有機ＥＬ素子の構成についてさらに説明する。以下、符号の記載は省略することがある。
【０１５３】
（基板）
基板は、有機ＥＬ素子の支持体として用いられる。基板としては、例えば、ガラス、石英、及びプラスチック等を用いることができる。また、可撓性基板を用いてもよい。可撓性基板とは、折り曲げることができる（フレキシブル）基板のことであり、例えば、プラスチック基板等が挙げられる。プラスチック基板を形成する材料としては、例えば、ポリカーボネート、ポリアリレート、ポリエーテルスルフォン、ポリプロピレン、ポリエステル、ポリフッ化ビニル、ポリ塩化ビニル、ポリイミド、及びポリエチレンナフタレート等が挙げられる。また、無機蒸着フィルムを用いることもできる。
【０１５４】
（陽極）
基板上に形成される陽極には、仕事関数の大きい（具体的には４．０ｅＶ以上）金属、合金、電気伝導性化合物、およびこれらの混合物などを用いることが好ましい。具体的には、例えば、酸化インジウム−酸化スズ（ＩＴＯ：Ｉｎｄｉｕｍ  Ｔｉｎ  Ｏｘｉｄｅ）、珪素もしくは酸化珪素を含有した酸化インジウム−酸化スズ、酸化インジウム−酸化亜鉛、酸化タングステン、および酸化亜鉛を含有した酸化インジウム、グラフェン等が挙げられる。この他、金（Ａｕ）、白金（Ｐｔ）、ニッケル（Ｎｉ）、タングステン（Ｗ）、クロム（Ｃｒ）、モリブデン（Ｍｏ）、鉄（Ｆｅ）、コバルト（Ｃｏ）、銅（Ｃｕ）、パラジウム（Ｐｄ）、チタン（Ｔｉ）、または金属材料の窒化物（例えば、窒化チタン）等が挙げられる。
【０１５５】
これらの材料は、通常、スパッタリング法により成膜される。例えば、酸化インジウム−酸化亜鉛は、酸化インジウムに対し１質量％以上１０質量％以下の酸化亜鉛を加えたターゲットを用いることにより、スパッタリング法で形成することができる。また、例えば、酸化タングステン、および酸化亜鉛を含有した酸化インジウムは、酸化インジウムに対し酸化タングステンを０．５質量％以上５質量％以下、酸化亜鉛を０．１質量％以上１質量％以下含有したターゲットを用いることにより、スパッタリング法で形成することができる。その他、真空蒸着法、塗布法、インクジェット法、スピンコート法などにより作製してもよい。
【０１５６】
陽極上に形成されるＥＬ層のうち、陽極に接して形成される正孔注入層は、陽極の仕事関数に関係なく正孔（ホール）注入が容易である複合材料を用いて形成されるため、電極材料として可能な材料（例えば、金属、合金、電気伝導性化合物、およびこれらの混合物、その他、元素周期表の第１族または第２族に属する元素も含む）を用いることができる。
【０１５７】
仕事関数の小さい材料である、元素周期表の第１族または第２族に属する元素、すなわちリチウム（Ｌｉ）やセシウム（Ｃｓ）等のアルカリ金属、およびマグネシウム（Ｍｇ）、カルシウム（Ｃａ）、ストロンチウム（Ｓｒ）等のアルカリ土類金属、およびこれらを含む合金（例えば、ＭｇＡｇ、ＡｌＬｉ）、ユーロピウム（Ｅｕ）、イッテルビウム（Ｙｂ）等の希土類金属およびこれらを含む合金等を用いることもできる。なお、アルカリ金属、アルカリ土類金属、およびこれらを含む合金を用いて陽極を形成する場合には、真空蒸着法やスパッタリング法を用いることができる。さらに、銀ペーストなどを用いる場合には、塗布法やインクジェット法などを用いることができる。
【０１５８】
（陰極）
陰極には、仕事関数の小さい（具体的には３．８ｅＶ以下）金属、合金、電気伝導性化合物、およびこれらの混合物などを用いることが好ましい。このような陰極材料の具体例としては、元素周期表の第１族または第２族に属する元素、すなわちリチウム（Ｌｉ）やセシウム（Ｃｓ）等のアルカリ金属、およびマグネシウム（Ｍｇ）、カルシウム（Ｃａ）、ストロンチウム（Ｓｒ）等のアルカリ土類金属、およびこれらを含む合金（例えば、ＭｇＡｇ、ＡｌＬｉ）、ユーロピウム（Ｅｕ）、イッテルビウム（Ｙｂ）等の希土類金属およびこれらを含む合金等が挙げられる。
【０１５９】
なお、アルカリ金属、アルカリ土類金属、これらを含む合金を用いて陰極を形成する場合には、真空蒸着法やスパッタリング法を用いることができる。また、銀ペーストなどを用いる場合には、塗布法やインクジェット法などを用いることができる。
【０１６０】
なお、電子注入層を設けることにより、仕事関数の大小に関わらず、Ａｌ、Ａｇ、ＩＴＯ、グラフェン、珪素もしくは酸化珪素を含有した酸化インジウム−酸化スズ等様々な導電性材料を用いて陰極を形成することができる。これらの導電性材料は、スパッタリング法やインクジェット法、スピンコート法等を用いて成膜することができる。
【０１６１】
（正孔注入層）
正孔注入層は、正孔注入性の高い物質を含む層である。正孔注入性の高い物質としては、モリブデン酸化物、チタン酸化物、バナジウム酸化物、レニウム酸化物、ルテニウム酸化物、クロム酸化物、ジルコニウム酸化物、ハフニウム酸化物、タンタル酸化物、銀酸化物、タングステン酸化物、マンガン酸化物等を用いることができる。
【０１６２】
また、正孔注入性の高い物質としては、低分子の有機化合物である４，４’，４’’−トリス（Ｎ，Ｎ−ジフェニルアミノ）トリフェニルアミン（略称：ＴＤＡＴＡ）、４，４’，４’’−トリス［Ｎ−（３−メチルフェニル）−Ｎ−フェニルアミノ］トリフェニルアミン（略称：ＭＴＤＡＴＡ）、４，４’−ビス［Ｎ−（４−ジフェニルアミノフェニル）−Ｎ−フェニルアミノ］ビフェニル（略称：ＤＰＡＢ）、４，４’−ビス（Ｎ−｛４−［Ｎ’−（３−メチルフェニル）−Ｎ’−フェニルアミノ］フェニル｝−Ｎ−フェニルアミノ）ビフェニル（略称：ＤＮＴＰＤ）、１，３，５−トリス［Ｎ−（４−ジフェニルアミノフェニル）−Ｎ−フェニルアミノ］ベンゼン（略称：ＤＰＡ３Ｂ）、３−［Ｎ−（９−フェニルカルバゾール−３−イル）−Ｎ−フェニルアミノ］−９−フェニルカルバゾール（略称：ＰＣｚＰＣＡ１）、３，６−ビス［Ｎ−（９−フェニルカルバゾール−３−イル）−Ｎ−フェニルアミノ］−９−フェニルカルバゾール（略称：ＰＣｚＰＣＡ２）、３−［Ｎ−（１−ナフチル）−Ｎ−（９−フェニルカルバゾール−３−イル）アミノ］−９−フェニルカルバゾール（略称：ＰＣｚＰＣＮ１）等の芳香族アミン化合物等やジピラジノ［２，３−ｆ：２０，３０−ｈ］キノキサリン−２，３，６，７，１０，１１−ヘキサカルボニトリル（ＨＡＴ−ＣＮ）も挙げられる。
【０１６３】
また、正孔注入性の高い物質としては、高分子化合物（オリゴマー、デンドリマー、ポリマー等）を用いることもできる。例えば、ポリ（Ｎ−ビニルカルバゾール）（略称：ＰＶＫ）、ポリ（４−ビニルトリフェニルアミン）（略称：ＰＶＴＰＡ）、ポリ［Ｎ−（４−｛Ｎ’−［４−（４−ジフェニルアミノ）フェニル］フェニル−Ｎ’−フェニルアミノ｝フェニル）メタクリルアミド］（略称：ＰＴＰＤＭＡ）、ポリ［Ｎ，Ｎ’−ビス（４−ブチルフェニル）−Ｎ，Ｎ’−ビス（フェニル）ベンジジン］（略称：Ｐｏｌｙ−ＴＰＤ）などの高分子化合物が挙げられる。また、ポリ（３，４−エチレンジオキシチオフェン）／ポリ（スチレンスルホン酸）（ＰＥＤＯＴ／ＰＳＳ）、ポリアニリン／ポリ（スチレンスルホン酸）（ＰＡｎｉ／ＰＳＳ）等の酸を添加した高分子化合物を用いることもできる。
【０１６４】
（正孔輸送層）
正孔輸送層は、正孔輸送性の高い物質を含む層である。正孔輸送層には、芳香族アミン化合物、カルバゾール誘導体、アントラセン誘導体等を使用する事ができる。具体的には、４，４’−ビス［Ｎ−（１−ナフチル）−Ｎ−フェニルアミノ］ビフェニル（略称：ＮＰＢ）やＮ，Ｎ’−ビス（３−メチルフェニル）−Ｎ，Ｎ’−ジフェニル−［１，１’−ビフェニル］−４，４’−ジアミン（略称：ＴＰＤ）、４−フェニル−４’−（９−フェニルフルオレン−９−イル）トリフェニルアミン（略称：ＢＡＦＬＰ）、４，４’−ビス［Ｎ−（９，９−ジメチルフルオレン−２−イル）−Ｎ−フェニルアミノ］ビフェニル（略称：ＤＦＬＤＰＢｉ）、４，４’，４’’−トリス（Ｎ，Ｎ−ジフェニルアミノ）トリフェニルアミン（略称：ＴＤＡＴＡ）、４，４’，４’’−トリス［Ｎ−（３−メチルフェニル）−Ｎ−フェニルアミノ］トリフェニルアミン（略称：ＭＴＤＡＴＡ）、４，４’−ビス［Ｎ−（スピロ−９，９’−ビフルオレン−２−イル）−Ｎ―フェニルアミノ］ビフェニル（略称：ＢＳＰＢ）などの芳香族アミン化合物等を用いることができる。ここに述べた物質は、主に１０−６ｃｍ２／（Ｖ・ｓ）以上の正孔移動度を有する物質である。
【０１６５】
正孔輸送層には、ＣＢＰ、９−［４−（Ｎ−カルバゾリル）］フェニル−１０−フェニルアントラセン（ＣｚＰＡ）、９−フェニル−３−［４−（１０−フェニル−９−アントリル）フェニル］−９Ｈ−カルバゾール（ＰＣｚＰＡ）のようなカルバゾール誘導体や、ｔ−ＢｕＤＮＡ、ＤＮＡ、ＤＰＡｎｔｈのようなアントラセン誘導体を用いても良い。ポリ（Ｎ−ビニルカルバゾール）（略称：ＰＶＫ）やポリ（４−ビニルトリフェニルアミン）（略称：ＰＶＴＰＡ）等の高分子化合物を用いることもできる。
【０１６６】
但し、電子よりも正孔の輸送性の高い物質であれば、これら以外のものを用いてもよい。なお、正孔輸送性の高い物質を含む層は、単層のものだけでなく、上記物質からなる層が二層以上積層したものとしてもよい。
【０１６７】
（電子輸送層）
電子輸送層は、電子輸送性の高い物質を含む層である。電子輸送層には、１）アルミニウム錯体、ベリリウム錯体、亜鉛錯体等の金属錯体、２）イミダゾール誘導体、ベンゾイミダゾール誘導体、アジン誘導体、カルバゾール誘導体、フェナントロリン誘導体等の複素芳香族化合物、３）高分子化合物を使用することができる。具体的には低分子の有機化合物として、Ａｌｑ、トリス（４−メチル−８−キノリノラト）アルミニウム（略称：Ａｌｍｑ３）、ビス（１０−ヒドロキシベンゾ［ｈ］キノリナト）ベリリウム（略称：ＢｅＢｑ２）、ＢＡｌｑ、Ｚｎｑ、ＺｎＰＢＯ、ＺｎＢＴＺなどの金属錯体等を用いることができる。また、金属錯体以外にも、２−（４−ビフェニリル）−５−（４−ｔｅｒｔ−ブチルフェニル）−１，３，４−オキサジアゾール（略称：ＰＢＤ）、１，３−ビス［５−（ｐｔｅｒｔ−ブチルフェニル）−１，３，４−オキサジアゾール−２−イル］ベンゼン（略称：ＯＸＤ−７）、３−（４−ｔｅｒｔ−ブチルフェニル）−４−フェニル−５−（４−ビフェニリル）−１，２，４−トリアゾール（略称：ＴＡＺ）、３−（４−ｔｅｒｔ−ブチルフェニル）−４−（４−エチルフェニル）−５−（４−ビフェニリル）−１，２，４−トリアゾール（略称：ｐ−ＥｔＴＡＺ）、バソフェナントロリン（略称：ＢＰｈｅｎ）、バソキュプロイン（略称：ＢＣＰ）、４，４’−ビス（５−メチルベンゾオキサゾール−２−イル）スチルベン（略称：ＢｚＯｓ）などの複素芳香族化合物も用いることができる。本実施態様においては、ベンゾイミダゾール化合物を好適に用いることができる。ここに述べた物質は、主に１０−６ｃｍ２／（Ｖ・ｓ）以上の電子移動度を有する物質である。なお、正孔輸送性よりも電子輸送性の高い物質であれば、上記以外の物質を電子輸送層として用いてもよい。また、電子輸送層は、単層で構成されていてもよいし、上記物質からなる層が二層以上積層されて構成されていてもよい。
【０１６８】
また、電子輸送層には、高分子化合物を用いることもできる。例えば、ポリ［（９，９−ジヘキシルフルオレン−２，７−ジイル）−ｃｏ−（ピリジン−３，５−ジイル）］（略称：ＰＦ−Ｐｙ）、ポリ［（９，９−ジオクチルフルオレン−２，７−ジイル）−ｃｏ−（２，２’−ビピリジン−６，６’−ジイル）］（略称：ＰＦ−ＢＰｙ）などを用いることができる。
【０１６９】
（電子注入層）
電子注入層は、電子注入性の高い物質を含む層である。電子注入層には、リチウム（Ｌｉ）、セシウム（Ｃｓ）、カルシウム（Ｃａ）、フッ化リチウム（ＬｉＦ）、フッ化セシウム（ＣｓＦ）、フッ化カルシウム（ＣａＦ２）、リチウム酸化物（ＬｉＯｘ）等のようなアルカリ金属、アルカリ土類金属、またはそれらの化合物を用いることができる。その他、電子輸送性を有する物質にアルカリ金属、アルカリ土類金属、またはそれらの化合物を含有させたもの、具体的にはＡｌｑ中にマグネシウム（Ｍｇ）を含有させたもの等を用いてもよい。なお、この場合には、陰極からの電子注入をより効率良く行うことができる。
【０１７０】
あるいは、電子注入層に、有機化合物と電子供与体（ドナー）とを混合してなる複合材料を用いてもよい。このような複合材料は、電子供与体によって有機化合物に電子が発生するため、電子注入性および電子輸送性に優れている。この場合、有機化合物としては、発生した電子の輸送に優れた材料であることが好ましく、具体的には、例えば上述した電子輸送層を構成する物質（金属錯体や複素芳香族化合物等）を用いることができる。電子供与体としては、有機化合物に対し電子供与性を示す物質であればよい。具体的には、アルカリ金属やアルカリ土類金属や希土類金属が好ましく、リチウム、セシウム、マグネシウム、カルシウム、エルビウム、イッテルビウム等が挙げられる。また、アルカリ金属酸化物やアルカリ土類金属酸化物が好ましく、リチウム酸化物、カルシウム酸化物、バリウム酸化物等が挙げられる。また、酸化マグネシウムのようなルイス塩基を用いることもできる。また、テトラチアフルバレン（略称：ＴＴＦ）等の有機化合物を用いることもできる。
【０１７１】
（層形成方法）
本実施形態の有機ＥＬ素子の各層の形成方法としては、上記で特に言及した以外には制限されないが、真空蒸着法、スパッタリング法、プラズマ法、イオンプレーティング法などの乾式成膜法や、スピンコーティング法、ディッピング法、フローコーティング法、インクジェット法などの湿式成膜法などの公知の方法を採用することができる。
【０１７２】
（膜厚）
本実施形態の有機ＥＬ素子の各有機層の膜厚は、上記で特に言及した場合を除いて限定されない。一般に、膜厚が薄すぎるとピンホール等の欠陥が生じやすく、膜厚が厚すぎると高い印加電圧が必要となり効率が悪くなるため、通常、有機ＥＬ素子の各有機層の膜厚は、数ｎｍから１μｍの範囲が好ましい。
【０１７３】
（第一のホスト材料）
本実施形態に係る有機ＥＬ素子において、第一のホスト材料は、アントラセン環を有さない化合物であることが好ましい。
【０１７４】
本実施形態に係る有機ＥＬ素子において、第一のホスト材料は、分子量が２０００以下の化合物であることが好ましい。
【０１７５】
第一のホスト材料が、平面性の高い骨格（例えば、ピレン及びフルオランテン等の骨格）を有する場合に、色度の低下が起こりやすいと考えられるため、このような骨格を有する第一のホスト材料を用いる場合に、第一の有機材料と組み合わせて発光層を構成することがより好ましい。
【０１７６】
本実施形態に係る有機ＥＬ素子において、第一のホスト材料は、例えば、下記一般式（１）、一般式（１１Ｘ）、一般式（１２Ｘ）、一般式（１３Ｘ）又は一般式（１４Ｘ）で表される第一の化合物であることも好ましい。
【０１７７】
（一般式（１）で表される化合物）
本実施形態に係る有機ＥＬ素子において、第一のホスト材料は、一般式（１）で表される化合物であることも好ましい。
【０１７８】
【化２２】
2022002256.tif 000024
【０１７９】
（前記一般式（１）において、
Ｒ１０１〜Ｒ１１０は、それぞれ独立に、
水素原子、
置換もしくは無置換の炭素数１〜５０のアルキル基、
置換もしくは無置換の炭素数１〜５０のハロアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｓｉ（Ｒ９０１）（Ｒ９０２）（Ｒ９０３）で表される基、
−Ｏ−（Ｒ９０４）で表される基、
−Ｓ−（Ｒ９０５）で表される基、
置換もしくは無置換の炭素数７〜５０のアラルキル基、
−Ｃ（＝Ｏ）Ｒ８０１で表される基、
−ＣＯＯＲ８０２で表される基、
ハロゲン原子、
シアノ基、
ニトロ基、
置換もしくは無置換の環形成炭素数６〜５０のアリール基、
置換もしくは無置換の環形成原子数５〜５０の複素環基、又は
前記一般式（１１）で表される基であり、
ただし、Ｒ１０１〜Ｒ１１０の少なくとも１つは、前記一般式（１１）で表される基であり、
前記一般式（１１）で表される基が複数存在する場合、複数の前記一般式（１１）で表される基は、互いに同一であるか又は異なり、
Ｌ１０１は、
単結合、
置換もしくは無置換の環形成炭素数６〜５０のアリーレン基、又は
置換もしくは無置換の環形成原子数５〜５０の２価の複素環基であり、
Ａｒ１０１は、
置換もしくは無置換の環形成炭素数６〜５０のアリール基、又は
置換もしくは無置換の環形成原子数５〜５０の複素環基であり、
ｍｘは、０、１、２、３、４又は５であり、
Ｌ１０１が２以上存在する場合、２以上のＬ１０１は、互いに同一であるか、又は異なり、
Ａｒ１０１が２以上存在する場合、２以上のＡｒ１０１は、互いに同一であるか、又は異なり、
前記一般式（１１）中の＊は、前記一般式（１）中のピレン環との結合位置を示す。）
【０１８０】
本実施形態に係る有機ＥＬ素子において、前記一般式（１１）で表される基は、下記一般式（１１１）で表される基であることが好ましい。
【０１８１】
【化２３】
2022002256.tif 000025
【０１８２】
（前記一般式（１１１）において、
Ｘ１は、ＣＲ１２３Ｒ１２４、酸素原子、硫黄原子、又はＮＲ１２５であり、
Ｌ１１１及びＬ１１２は、それぞれ独立に、
単結合、
置換もしくは無置換の環形成炭素数６〜５０のアリーレン基、又は
置換もしくは無置換の環形成原子数５〜５０の２価の複素環基であり、
ｍａは、０、１、２、３又は４であり、
ｍｂは、０、１、２、３又は４であり、
ｍａ＋ｍｂは、０、１、２、３又は４であり、
Ａｒ１０１は、前記一般式（１１）におけるＡｒ１０１と同義であり、
Ｒ１２１、Ｒ１２２、Ｒ１２３、Ｒ１２４及びＲ１２５は、それぞれ独立に、
水素原子、
置換もしくは無置換の炭素数１〜５０のアルキル基、
置換もしくは無置換の炭素数１〜５０のハロアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｓｉ（Ｒ９０１）（Ｒ９０２）（Ｒ９０３）で表される基、
−Ｏ−（Ｒ９０４）で表される基、
−Ｓ−（Ｒ９０５）で表される基、
置換もしくは無置換の炭素数７〜５０のアラルキル基、
−Ｃ（＝Ｏ）Ｒ８０１で表される基、
−ＣＯＯＲ８０２で表される基、
ハロゲン原子、
シアノ基、
ニトロ基、
置換もしくは無置換の環形成炭素数６〜５０のアリール基、又は
置換もしくは無置換の環形成原子数５〜５０の複素環基であり、
ｍｃは、３であり、
３つのＲ１２１は、互いに同一であるか、又は異なり、
ｍｄは、３であり、
３つのＲ１２２は、互いに同一であるか、又は異なる。）
【０１８３】
前記一般式（１１１）で表される基における下記一般式（１１１ａ）で表される環構造中の炭素原子＊１〜＊８の位置のうち、＊１〜＊４のいずれか１つの位置にＬ１１１が結合し、＊１〜＊４の残りの３つの位置にＲ１２１が結合し、＊５〜＊８のいずれか１つの位置にＬ１１２が結合し、＊５〜＊８の残りの３つの位置にＲ１２２が結合する。
【０１８４】
【化２４】
2022002256.tif 000026
【０１８５】
例えば、前記一般式（１１１）で表される基において、Ｌ１１１が前記一般式（１１１ａ）で表される環構造中の＊２の炭素原子の位置に結合し、Ｌ１１２が前記一般式（１１１ａ）で表される環構造中の＊７の炭素原子の位置に結合する場合、前記一般式（１１１）で表される基は、下記一般式（１１１ｂ）で表される。
【０１８６】
【化２５】
2022002256.tif 000027
【０１８７】
（前記一般式（１１１ｂ）において、
Ｘ１、Ｌ１１１、Ｌ１１２、ｍａ、ｍｂ、Ａｒ１０１、Ｒ１２１、Ｒ１２２、Ｒ１２３、Ｒ１２４及びＲ１２５は、それぞれ独立に、前記一般式（１１１）におけるＸ１、Ｌ１１１、Ｌ１１２、ｍａ、ｍｂ、Ａｒ１０１、Ｒ１２１、Ｒ１２２、Ｒ１２３、Ｒ１２４及びＲ１２５と同義であり、
複数のＲ１２１は、互いに同一であるか、又は異なり、
複数のＲ１２２は、互いに同一であるか、又は異なる。）
【０１８８】
本実施形態に係る有機ＥＬ素子において、前記一般式（１１１）で表される基は、前記一般式（１１１ｂ）で表される基であることが好ましい。
【０１８９】
本実施形態に係る有機ＥＬ素子において、
ｍａは、０、１又は２であり、
ｍｂは、０、１又は２である、ことが好ましい。
【０１９０】
本実施形態に係る有機ＥＬ素子において、
ｍａは、０又は１であり、
ｍｂは、０又は１であることが好ましい。
【０１９１】
本実施形態に係る有機ＥＬ素子において、Ａｒ１０１は、置換もしくは無置換の環形成炭素数６〜５０のアリール基であることが好ましい。
【０１９２】
本実施形態に係る有機ＥＬ素子において、
Ａｒ１０１は、
置換もしくは無置換のフェニル基、
置換もしくは無置換のナフチル基、
置換もしくは無置換のビフェニル基、
置換もしくは無置換のターフェニル基、
置換もしくは無置換のピレニル基、
置換もしくは無置換のフェナントリル基、又は
置換もしくは無置換のフルオレニル基であることが好ましい。
【０１９３】
本実施形態に係る有機ＥＬ素子において、
Ａｒ１０１は、下記一般式（１２）、一般式（１３）又は一般式（１４）で表される基であることも好ましい。
【０１９４】
【化２６】
2022002256.tif 000028
【０１９５】
（前記一般式（１２）、一般式（１３）及び一般式（１４）において、
Ｒ１１１〜Ｒ１２０は、それぞれ独立に、
水素原子、
置換もしくは無置換の炭素数１〜５０のアルキル基、
置換もしくは無置換の炭素数１〜５０のハロアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｓｉ（Ｒ９０１）（Ｒ９０２）（Ｒ９０３）で表される基、
−Ｏ−（Ｒ９０４）で表される基、
−Ｓ−（Ｒ９０５）で表される基、
−Ｎ（Ｒ９０６）（Ｒ９０７）で表される基、
置換もしくは無置換の炭素数７〜５０のアラルキル基、
−Ｃ（＝Ｏ）Ｒ１２４で表される基、
−ＣＯＯＲ１２５で表される基、
ハロゲン原子、
シアノ基、
ニトロ基、
置換もしくは無置換の環形成炭素数６〜５０のアリール基、又は
置換もしくは無置換の環形成原子数５〜５０の複素環基であり、
前記一般式（１２）、一般式（１３）及び一般式（１４）中の＊は、前記一般式（１１）中のＬ１０１との結合位置、又は前記一般式（１１１）もしくは一般式（１１１ｂ）中のＬ１１２との結合位置を示す。）
【０１９６】
本実施形態に係る有機ＥＬ素子において、
前記第一の化合物は、下記一般式（１０１）で表されることが好ましい。
【０１９７】
【化２７】
2022002256.tif 000029
【０１９８】
（前記一般式（１０１）において、
Ｒ１０１〜Ｒ１２０は、それぞれ独立に、
水素原子、
置換もしくは無置換の炭素数１〜５０のアルキル基、
置換もしくは無置換の炭素数１〜５０のハロアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｓｉ（Ｒ９０１）（Ｒ９０２）（Ｒ９０３）で表される基、
−Ｏ−（Ｒ９０４）で表される基、
−Ｓ−（Ｒ９０５）で表される基、
置換もしくは無置換の炭素数７〜５０のアラルキル基、
−Ｃ（＝Ｏ）Ｒ８０１で表される基、
−ＣＯＯＲ８０２で表される基、
ハロゲン原子、
シアノ基、
ニトロ基、
置換もしくは無置換の環形成炭素数６〜５０のアリール基、又は
置換もしくは無置換の環形成原子数５〜５０の複素環基であり、
ただし、Ｒ１０１〜Ｒ１１０のうち１つがＬ１０１との結合位置を示し、Ｒ１１１〜Ｒ１２０のうち１つがＬ１０１との結合位置を示し、
Ｌ１０１は、
単結合、
置換もしくは無置換の環形成炭素数６〜５０のアリーレン基、又は
置換もしくは無置換の環形成原子数５〜５０の２価の複素環基であり、
ｍｘは、０、１、２、３、４又は５であり、
Ｌ１０１が２以上存在する場合、２以上のＬ１０１は、互いに同一であるか、又は異なる。）
【０１９９】
本実施形態に係る有機ＥＬ素子において、
Ｌ１０１は、
単結合、又は
置換もしくは無置換の環形成炭素数６〜５０のアリーレン基であることが好ましい。
【０２００】
本実施形態に係る有機ＥＬ素子において、
前記第一の化合物は、下記一般式（１０２）で表されることが好ましい。
【０２０１】
【化２８】
2022002256.tif 000030
【０２０２】
（前記一般式（１０２）において、
Ｒ１０１〜Ｒ１２０は、それぞれ独立に、前記一般式（１０１）におけるＲ１０１〜Ｒ１２０と同義であり、
ただし、Ｒ１０１〜Ｒ１１０のうち１つがＬ１１１との結合位置を示し、Ｒ１１１〜Ｒ１２０のうち１つがＬ１１２との結合位置を示し、
Ｘ１は、ＣＲ１２３Ｒ１２４、酸素原子、硫黄原子、又はＮＲ１２５であり、
Ｌ１１１及びＬ１１２は、それぞれ独立に、
単結合、
置換もしくは無置換の環形成炭素数６〜５０のアリーレン基、又は
置換もしくは無置換の環形成原子数５〜５０の２価の複素環基であり、
ｍａは、０、１、２、３又は４であり、
ｍｂは、０、１、２、３又は４であり、
ｍａ＋ｍｂは、０、１、２、３又は４であり、
Ｒ１２１、Ｒ１２２、Ｒ１２３、Ｒ１２４及びＲ１２５は、それぞれ独立に、
水素原子、
置換もしくは無置換の炭素数１〜５０のアルキル基、
置換もしくは無置換の炭素数１〜５０のハロアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｓｉ（Ｒ９０１）（Ｒ９０２）（Ｒ９０３）で表される基、
−Ｏ−（Ｒ９０４）で表される基、
−Ｓ−（Ｒ９０５）で表される基、
置換もしくは無置換の炭素数７〜５０のアラルキル基、
−Ｃ（＝Ｏ）Ｒ８０１で表される基、
−ＣＯＯＲ８０２で表される基、
ハロゲン原子、
シアノ基、
ニトロ基、
置換もしくは無置換の環形成炭素数６〜５０のアリール基、又は
置換もしくは無置換の環形成原子数５〜５０の複素環基であり、
ｍｃは、３であり、
３つのＲ１２１は、互いに同一であるか、又は異なり、
ｍｄは、３であり、
３つのＲ１２２は、互いに同一であるか、又は異なる。）
【０２０３】
前記一般式（１０２）で表される化合物において、
ｍａは、０、１又は２であり、
ｍｂは、０、１又は２であることが好ましい。
【０２０４】
前記一般式（１０２）で表される化合物において、
ｍａは、０又は１であり、
ｍｂは、０又は１であることが好ましい。
【０２０５】
本実施形態に係る有機ＥＬ素子において、
Ｒ１０１〜Ｒ１１０のうち２つ以上が、前記一般式（１１）で表される基であることが好ましい。
【０２０６】
本実施形態に係る有機ＥＬ素子において、
Ｒ１０１〜Ｒ１１０のうち２つ以上が、前記一般式（１１）で表される基であり、かつ、Ａｒ１０１は、置換もしくは無置換の環形成炭素数６〜５０のアリール基であることが好ましい。
【０２０７】
本実施形態に係る有機ＥＬ素子において、
Ａｒ１０１は、置換もしくは無置換のピレニル基ではなく、
Ｌ１０１は、置換もしくは無置換のピレニレン基ではなく、
前記一般式（１１）で表される基ではないＲ１０１〜Ｒ１１０としての置換もしくは無置換の環形成炭素数６〜５０のアリール基は、置換もしくは無置換のピレニル基ではないことが好ましい。
【０２０８】
本実施形態に係る有機ＥＬ素子において、
前記一般式（１１）で表される基ではないＲ１０１〜Ｒ１１０は、それぞれ独立に、
水素原子、
置換もしくは無置換の炭素数１〜５０のアルキル基、
置換もしくは無置換の環形成炭素数３〜５０のシクロアルキル基、
置換もしくは無置換の環形成炭素数６〜５０のアリール基、又は
置換もしくは無置換の環形成原子数５〜５０の複素環基であることが好ましい。
【０２０９】
本実施形態に係る有機ＥＬ素子において、
前記一般式（１１）で表される基ではないＲ１０１〜Ｒ１１０は、それぞれ独立に、
水素原子、
置換もしくは無置換の炭素数１〜５０のアルキル基、又は
置換もしくは無置換の環形成炭素数３〜５０のシクロアルキル基であることが好ましい。
【０２１０】
本実施形態に係る有機ＥＬ素子において、前記一般式（１）で表される化合物は、例えば、置換もしくは無置換の炭素数３〜５０のアルキル基を有さない。
【０２１１】
本実施形態に係る有機ＥＬ素子において、前記一般式（１１）で表される基ではないＲ１０１〜Ｒ１１０は、水素原子であることが好ましい。
【０２１２】
（一般式（１１Ｘ）で表される化合物）
本実施形態に係る有機ＥＬ素子において、第一のホスト材料は、下記一般式（１１１Ｘ）で表される基を少なくとも１つ有し、かつ下記一般式（１１Ｘ）で表される化合物であることも好ましい。
【０２１３】
【化２９】
2022002256.tif 000031
【０２１４】
（前記一般式（１１Ｘ）において、
Ｒ１１０１〜Ｒ１１１２は、それぞれ独立に、
水素原子、
置換もしくは無置換の炭素数１〜５０のアルキル基、
置換もしくは無置換の炭素数１〜５０のハロアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｓｉ（Ｒ９０１）（Ｒ９０２）（Ｒ９０３）で表される基、
−Ｏ−（Ｒ９０４）で表される基、
−Ｓ−（Ｒ９０５）で表される基、
置換もしくは無置換の炭素数７〜５０のアラルキル基、
−Ｃ（＝Ｏ）Ｒ８０１で表される基、
−ＣＯＯＲ８０２で表される基、
ハロゲン原子、
シアノ基、
ニトロ基、
置換もしくは無置換の環形成炭素数６〜５０のアリール基、
置換もしくは無置換の環形成原子数５〜５０の複素環基、又は
前記一般式（１１１Ｘ）で表される基であり、
ただし、Ｒ１１０１〜Ｒ１１１２の少なくとも１つは、前記一般式（１１１Ｘ）で表される基であり、
前記一般式（１１１Ｘ）で表される基が複数存在する場合、複数の前記一般式（１１１Ｘ）で表される基は、互いに同一であるか又は異なり、
Ｌ１１０１は、
単結合、
置換もしくは無置換の環形成炭素数６〜５０のアリーレン基、又は
置換もしくは無置換の環形成原子数５〜５０の２価の複素環基であり、
Ａｒ１１０１は、
置換もしくは無置換の環形成炭素数６〜５０のアリール基、又は
置換もしくは無置換の環形成原子数５〜５０の複素環基であり、
ｍｘ１は、１、２、３、４又は５であり、
Ｌ１１０１が２以上存在する場合、２以上のＬ１１０１は、互いに同一であるか、又は異なり、
Ａｒ１１０１が２以上存在する場合、２以上のＡｒ１１０１は、互いに同一であるか、又は異なり、
前記一般式（１１１Ｘ）中の＊は、前記一般式（１１Ｘ）中のベンズ［ａ］アントラセン環との結合位置を示す。）
【０２１５】
前記一般式（１１Ｘ）で表される化合物において、Ａｒ１１０１は、置換もしくは無置換の環形成炭素数６〜５０のアリール基であることが好ましい。
【０２１６】
前記一般式（１１Ｘ）で表される化合物において、Ａｒ１１０１は、
置換もしくは無置換のフェニル基、
置換もしくは無置換のナフチル基、
置換もしくは無置換のビフェニル基、
置換もしくは無置換のターフェニル基、
置換もしくは無置換のベンズ［ａ］アントリル基、
置換もしくは無置換のピレニル基、
置換もしくは無置換のフェナントリル基、又は
置換もしくは無置換のフルオレニル基であることが好ましい。
【０２１７】
前記一般式（１１Ｘ）で表される化合物において、Ｌ１１０１は、単結合、又は置換もしくは無置換の環形成炭素数６〜５０のアリーレン基であることが好ましい。
【０２１８】
前記一般式（１１Ｘ）で表される化合物において、Ｒ１１０１〜Ｒ１１１２のうち２つ以上が、前記一般式（１１１Ｘ）で表される基であることも好ましい。
【０２１９】
前記一般式（１１Ｘ）で表される化合物において、Ｒ１１０１〜Ｒ１１１２のうち２つ以上が、前記一般式（１１１Ｘ）で表される基であり、一般式（１１１Ｘ）中のＡｒ１１０１は、置換もしくは無置換の環形成炭素数６〜５０のアリール基であることが好ましい。
【０２２０】
前記一般式（１１Ｘ）で表される化合物において、Ｒ１１１１及びＲ１１１２が前記一般式（１１１Ｘ）で表される基であることも好ましい。
前記一般式（１１Ｘ）で表される化合物は、下記一般式（１１０１Ｘ）で表されることも好ましい。
【０２２１】
【化３０】
2022002256.tif 000032
【０２２２】
（前記一般式（１１０１Ｘ）において、Ｒ１１０１〜Ｒ１１１０は、それぞれ独立に、前記一般式（１１Ｘ）におけるＲ１１０１〜Ｒ１１１０と同義であり、Ａｒ１１４１及びＡｒ１１４２は、それぞれ独立に、前記一般式（１１Ｘ）におけるＡｒ１１０１と同義であり、Ｌ１１４１及びＬ１１４２は、それぞれ独立に、前記一般式（１１１Ｘ）におけるＬ１１０１と同義である。）
【０２２３】
前記一般式（１１Ｘ）で表される化合物において、
Ａｒ１１０１は、置換もしくは無置換のベンズ［ａ］アントリル基ではなく、
Ｌ１１０１は、置換もしくは無置換のベンズ［ａ］アントリレン基ではなく、
前記一般式（１１Ｘ）で表される基ではないＲ１１０１〜Ｒ１１１０としての置換もしくは無置換の環形成炭素数６〜５０のアリール基は、置換もしくは無置換のベンズ［ａ］アントリル基ではないことも好ましい。
【０２２４】
前記一般式（１１Ｘ）で表される化合物において、前記一般式（１１１Ｘ）で表される基ではないＲ１１０１〜Ｒ１１１２は、それぞれ独立に、
水素原子、
置換もしくは無置換の炭素数１〜５０のアルキル基、
置換もしくは無置換の環形成炭素数３〜５０のシクロアルキル基、
置換もしくは無置換の環形成炭素数６〜５０のアリール基、又は
置換もしくは無置換の環形成原子数５〜５０の複素環基であることが好ましい。
【０２２５】
前記一般式（１１Ｘ）で表される化合物において、前記一般式（１１１Ｘ）で表される基ではないＲ１１０１〜Ｒ１１１２は、
水素原子、
置換もしくは無置換の炭素数１〜５０のアルキル基、又は
置換もしくは無置換の環形成炭素数３〜５０のシクロアルキル基であることが好ましい。
【０２２６】
前記一般式（１１Ｘ）で表される化合物において、前記一般式（１１１Ｘ）で表される基ではないＲ１１０１〜Ｒ１１１２は、水素原子であることが好ましい。
【０２２７】
（一般式（１２Ｘ）で表される化合物）
本実施形態に係る有機ＥＬ素子において、第一のホスト材料は、下記一般式（１２１Ｘ）で表される基を少なくとも１つ有し、かつ下記一般式（１２Ｘ）で表される化合物であることも好ましい。
【０２２８】
【化３１】
2022002256.tif 000033
【０２２９】
（前記一般式（１２Ｘ）において、
Ｒ１２０１〜Ｒ１２１０のうちの隣接する２つ以上からなる組の１組以上が、
互いに結合して、置換もしくは無置換の単環を形成するか、又は
互いに結合して、置換もしくは無置換の縮合環を形成し、
前記置換もしくは無置換の単環を形成せず、かつ及び前記置換もしくは無置換の縮合環を形成しないＲ１２０１〜Ｒ１２１０は、それぞれ独立に、
水素原子、
置換もしくは無置換の炭素数１〜５０のアルキル基、
置換もしくは無置換の炭素数１〜５０のハロアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｓｉ（Ｒ９０１）（Ｒ９０２）（Ｒ９０３）で表される基、
−Ｏ−（Ｒ９０４）で表される基、
−Ｓ−（Ｒ９０５）で表される基、
置換もしくは無置換の炭素数７〜５０のアラルキル基、
−Ｃ（＝Ｏ）Ｒ８０１で表される基、
−ＣＯＯＲ８０２で表される基、
ハロゲン原子、
シアノ基、
ニトロ基、
置換もしくは無置換の環形成炭素数６〜５０のアリール基、
置換もしくは無置換の環形成原子数５〜５０の複素環基、又は
前記一般式（１２１Ｘ）で表される基であり、
ただし、前記置換もしくは無置換の単環が置換基を有する場合の当該置換基、前記置換もしくは無置換の縮合環が置換基を有する場合の当該置換基、並びにＲ１２０１〜Ｒ１２１０の少なくとも１つが、前記一般式（１２１Ｘ）で表される基であり、
前記一般式（１２１Ｘ）で表される基が複数存在する場合、複数の前記一般式（１２１Ｘ）で表される基は、互いに同一であるか又は異なり、
Ｌ１２０１は、
単結合、
置換もしくは無置換の環形成炭素数６〜５０のアリーレン基、又は
置換もしくは無置換の環形成原子数５〜５０の２価の複素環基であり、
Ａｒ１２０１は、
置換もしくは無置換の環形成炭素数６〜５０のアリール基、又は
置換もしくは無置換の環形成原子数５〜５０の複素環基であり、
ｍｘ２は、１、２、３、４又は５であり、
Ｌ１２０１が２以上存在する場合、２以上のＬ１２０１は、互いに同一であるか、又は異なり、
Ａｒ１２０１が２以上存在する場合、２以上のＡｒ１２０１は、互いに同一であるか、又は異なり、
前記一般式（１２１Ｘ）中の＊は、前記一般式（１２Ｘ）で表される環との結合位置を示す。）
【０２３０】
前記一般式（１２Ｘ）において、Ｒ１２０１〜Ｒ１２１０のうちの隣接する２つからなる組とは、Ｒ１２０１とＲ１２０２との組、Ｒ１２０２とＲ１２０３との組、Ｒ１２０３とＲ１２０４との組、Ｒ１２０４とＲ１２０５との組、Ｒ１２０５とＲ１２０６との組、Ｒ１２０７とＲ１２０８との組、Ｒ１２０８とＲ１２０９との組、並びにＲ１２０９とＲ１２１０との組である。
【０２３１】
本実施形態に係る有機ＥＬ素子において、Ｒ１２０１〜Ｒ１２１０のうちの隣接する２つ以上からなる組の１組以上が互いに結合して形成する置換もしくは無置換の単環及び置換もしくは無置換の縮合環の数は、１以上５以下であることが好ましく、１以上３以下であることがより好ましく、１又は２であることがさらに好ましく、１であることがよりさらに好ましい。
【０２３２】
本実施形態に係る有機ＥＬ素子において、Ｒ１２０１〜Ｒ１２１０のうちの隣接する２つ以上からなる組の１組以上が、互いに結合して、置換もしくは無置換の単環を形成することが好ましく、前記置換もしくは無置換の単環は、置換もしくは無置換の５員環又は置換もしくは無置換の６員環であることが好ましく、置換もしくは無置換の６員環であることがより好ましい。
【０２３３】
本実施形態に係る有機ＥＬ素子において、前記一般式（１２Ｘ）で表される第一の化合物は、前記一般式（１２１Ｘ）で表される基を少なくとも１つ有し、かつ下記一般式（１２１）〜（１２４）で表されるいずれかの化合物であることが好ましい。
【０２３４】
【化３２】
2022002256.tif 000034
【０２３５】
【化３３】
2022002256.tif 000035
【０２３６】
（前記一般式（１２１）〜（１２４）において、
Ｒ１２０１〜Ｒ１２１４は、それぞれ独立に、
水素原子、
置換もしくは無置換の炭素数１〜５０のアルキル基、
置換もしくは無置換の炭素数１〜５０のハロアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｓｉ（Ｒ９０１）（Ｒ９０２）（Ｒ９０３）で表される基、
−Ｏ−（Ｒ９０４）で表される基、
−Ｓ−（Ｒ９０５）で表される基、
置換もしくは無置換の炭素数７〜５０のアラルキル基、
−Ｃ（＝Ｏ）Ｒ８０１で表される基、
−ＣＯＯＲ８０２で表される基、
ハロゲン原子、
シアノ基、
ニトロ基、
置換もしくは無置換の環形成炭素数６〜５０のアリール基、
置換もしくは無置換の環形成原子数５〜５０の複素環基、又は
前記一般式（１２１Ｘ）で表される基であり、
ただし、Ｒ１２０１〜Ｒ１２１４の少なくとも１つが、前記一般式（１２１Ｘ）で表される基であり、
前記一般式（１２１Ｘ）で表される基が複数存在する場合、複数の前記一般式（１２１Ｘ）で表される基は、互いに同一であるか又は異なり、
前記一般式（１２１）〜（１２４）中、Ｒ９０１、Ｒ９０２、Ｒ９０３、Ｒ９０４、Ｒ９０５、Ｒ９０６、Ｒ９０７、Ｒ８０１及びＲ８０２は、それぞれ独立に、前記一般式（１２Ｘ）と同義である。）
【０２３７】
本実施形態に係る有機ＥＬ素子において、Ａｒ１２０１は、置換もしくは無置換の環形成炭素数６〜５０のアリール基であることも好ましい。
【０２３８】
本実施形態に係る有機ＥＬ素子において、Ａｒ１２０１は、
置換もしくは無置換のフェニル基、
置換もしくは無置換のナフチル基、
置換もしくは無置換のビフェニル基、
置換もしくは無置換のターフェニル基、
置換もしくは無置換のピレニル基、
置換もしくは無置換のフェナントリル基、又は
置換もしくは無置換のフルオレニル基であることも好ましい。
【０２３９】
本実施形態に係る有機ＥＬ素子において、ｍｘ２は、１又は２であることが好ましい。
【０２４０】
本実施形態に係る有機ＥＬ素子において、Ｌ１２０１は、単結合、又は置換もしくは無置換の環形成炭素数６〜５０のアリーレン基であることが好ましい。
【０２４１】
本実施形態に係る有機ＥＬ素子において、ｍｘ２は、１又は２であり、かつ、Ｌ１２０１は、単結合、又は置換もしくは無置換の環形成炭素数６〜５０のアリーレン基であることが好ましい。
【０２４２】
本実施形態に係る有機ＥＬ素子において、前記一般式（１２１Ｘ）で表される基ではないＲ１２０１〜Ｒ１２１０は、それぞれ独立に、
水素原子、
置換もしくは無置換の炭素数１〜５０のアルキル基、
置換もしくは無置換の環形成炭素数３〜５０のシクロアルキル基、
置換もしくは無置換の環形成炭素数６〜５０のアリール基、又は
置換もしくは無置換の環形成原子数５〜５０の複素環基であることが好ましい。
【０２４３】
本実施形態に係る有機ＥＬ素子において、前記一般式（１２１Ｘ）で表される基ではないＲ１２０１〜Ｒ１２１０は、それぞれ独立に、
水素原子、
置換もしくは無置換の炭素数１〜５０のアルキル基、
置換もしくは無置換の環形成炭素数３〜５０のシクロアルキル基、又は
置換もしくは無置換の環形成炭素数６〜５０のアリール基であることが好ましい。
【０２４４】
本実施形態に係る有機ＥＬ素子において、前記一般式（１２１Ｘ）で表される基ではないＲ１２０１〜Ｒ１２１０は、水素原子又は置換もしくは無置換の環形成炭素数６〜５０のアリール基であることが好ましい。
【０２４５】
（一般式（１３Ｘ）で表される化合物）
本実施形態に係る有機ＥＬ素子において、第一のホスト材料は、下記一般式（１３１Ｘ）で表される基を少なくとも１つ有し、かつ下記一般式（１３Ｘ）で表される化合物であることも好ましい。
【０２４６】
【化３４】
2022002256.tif 000036
【０２４７】
（前記一般式（１３Ｘ）において、
Ｒ１３０１〜Ｒ１３１０は、それぞれ独立に、
水素原子、
置換もしくは無置換の炭素数１〜５０のアルキル基、
置換もしくは無置換の炭素数１〜５０のハロアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｓｉ（Ｒ９０１）（Ｒ９０２）（Ｒ９０３）で表される基、
−Ｏ−（Ｒ９０４）で表される基、
−Ｓ−（Ｒ９０５）で表される基、
置換もしくは無置換の炭素数７〜５０のアラルキル基、
−Ｃ（＝Ｏ）Ｒ８０１で表される基、
−ＣＯＯＲ８０２で表される基、
ハロゲン原子、
シアノ基、
ニトロ基、
置換もしくは無置換の環形成炭素数６〜５０のアリール基、
置換もしくは無置換の環形成原子数５〜５０の複素環基、又は
前記一般式（１３１Ｘ）で表される基であり、
ただし、Ｒ１３０１〜Ｒ１３１０の少なくとも１つは、前記一般式（１３１Ｘ）で表される基であり、
前記一般式（１３１Ｘ）で表される基が複数存在する場合、複数の前記一般式（１３１Ｘ）で表される基は、互いに同一であるか又は異なり、
Ｌ１３０１は、
単結合、
置換もしくは無置換の環形成炭素数６〜５０のアリーレン基、又は
置換もしくは無置換の環形成原子数５〜５０の２価の複素環基であり、
Ａｒ１３０１は、
置換もしくは無置換の環形成炭素数６〜５０のアリール基、又は
置換もしくは無置換の環形成原子数５〜５０の複素環基であり、
ｍｘ３は、１、２、３、４又は５であり、
Ｌ１３０１が２以上存在する場合、２以上のＬ１３０１は、互いに同一であるか、又は異なり、
Ａｒ１３０１が２以上存在する場合、２以上のＡｒ１３０１は、互いに同一であるか、又は異なり、
前記一般式（１３１Ｘ）中の＊は、前記一般式（１３Ｘ）中のフルオランテン環との結合位置を示す。）
【０２４８】
本実施形態に係る有機ＥＬ素子において、前記一般式（１３１Ｘ）で表される基ではないＲ１３０１〜Ｒ１３１０のうち隣接する２つ以上からなる組は、いずれも、互いに結合しない。前記一般式（１３Ｘ）において隣接する２つからなる組とは、Ｒ１３０１とＲ１３０２との組、Ｒ１３０２とＲ１３０３との組、Ｒ１３０３とＲ１３０４との組、Ｒ１３０４とＲ１３０５との組、Ｒ１３０５とＲ１３０６との組、Ｒ１３０７とＲ１３０８との組、Ｒ１３０８とＲ１３０９との組、並びにＲ１３０９とＲ１３１０との組である。
【０２４９】
本実施形態に係る有機ＥＬ素子において、Ａｒ１３０１は、置換もしくは無置換の環形成炭素数６〜５０のアリール基であることが好ましい。
【０２５０】
本実施形態に係る有機ＥＬ素子において、Ａｒ１３０１は、
置換もしくは無置換のフェニル基、
置換もしくは無置換のナフチル基、
置換もしくは無置換のビフェニル基、
置換もしくは無置換のターフェニル基、
置換もしくは無置換のピレニル基、
置換もしくは無置換のフェナントリル基、又は
置換もしくは無置換のフルオレニル基であることが好ましい。
【０２５１】
本実施形態に係る有機ＥＬ素子において、Ａｒ１３０１としての置換もしくは無置換の環形成炭素数６〜５０のアリール基は、置換もしくは無置換のアントリル基ではないことが好ましい。
【０２５２】
本実施形態に係る有機ＥＬ素子において、Ｌ１３０１は、単結合、又は置換もしくは無置換の環形成炭素数６〜５０のアリーレン基であることが好ましい。
【０２５３】
本実施形態に係る有機ＥＬ素子において、前記一般式（１３１Ｘ）で表される基ではないＲ１３０１〜Ｒ１３１０は、それぞれ独立に、
水素原子、
置換もしくは無置換の炭素数１〜５０のアルキル基、
置換もしくは無置換の環形成炭素数３〜５０のシクロアルキル基、
置換もしくは無置換の環形成炭素数６〜５０のアリール基、又は
置換もしくは無置換の環形成原子数５〜５０の複素環基であることが好ましい。
【０２５４】
本実施形態に係る有機ＥＬ素子において、前記一般式（１３１Ｘ）で表される基ではないＲ１３０１〜Ｒ１３１０は、それぞれ独立に、
水素原子、
置換もしくは無置換の炭素数１〜５０のアルキル基、又は
置換もしくは無置換の環形成炭素数３〜５０のシクロアルキル基であることが好ましい。
【０２５５】
本実施形態に係る有機ＥＬ素子において、前記一般式（１３１Ｘ）で表される基ではないＲ１３０１〜Ｒ１３１０は、水素原子であることが好ましい。
【０２５６】
本実施形態に係る有機ＥＬ素子において、ｍｘ３は、１又は２であることが好ましい。
本実施形態に係る有機ＥＬ素子において、ｍｘ３は、１又は２であり、かつ、Ｌ１３０１は、単結合、又は置換もしくは無置換の環形成炭素数６〜５０のアリーレン基であることが好ましい。
【０２５７】
（一般式（１４Ｘ）で表される化合物）
本実施形態に係る有機ＥＬ素子において、第一のホスト材料は、下記一般式（１４１Ｘ）で表される基を少なくとも１つ有し、かつ下記一般式（１４Ｘ）で表される化合物であることも好ましい。
【０２５８】
【化３５】
2022002256.tif 000037
【０２５９】
（前記一般式（１４Ｘ）において、
Ｒ１４０１〜Ｒ１４１０は、それぞれ独立に、
水素原子、
置換もしくは無置換の炭素数１〜５０のアルキル基、
置換もしくは無置換の炭素数１〜５０のハロアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｓｉ（Ｒ９０１）（Ｒ９０２）（Ｒ９０３）で表される基、
−Ｏ−（Ｒ９０４）で表される基、
−Ｓ−（Ｒ９０５）で表される基、
置換もしくは無置換の炭素数７〜５０のアラルキル基、
−Ｃ（＝Ｏ）Ｒ８０１で表される基、
−ＣＯＯＲ８０２で表される基、
ハロゲン原子、
シアノ基、
ニトロ基、
置換もしくは無置換の環形成炭素数６〜５０のアリール基、
置換もしくは無置換の環形成原子数５〜５０の複素環基、又は
前記一般式（１４１Ｘ）で表される基であり、
ただし、Ｒ１４０１〜Ｒ１４１０の少なくとも１つは、前記一般式（１４１Ｘ）で表される基であり、
前記一般式（１４１Ｘ）で表される基が複数存在する場合、複数の前記一般式（１４１Ｘ）で表される基は、互いに同一であるか又は異なり、
Ｌ１４０１は、
単結合、
置換もしくは無置換の環形成炭素数６〜５０のアリーレン基、又は
置換もしくは無置換の環形成原子数５〜５０の２価の複素環基であり、
Ａｒ１４０１は、
置換もしくは無置換の環形成炭素数６〜５０のアリール基、又は
置換もしくは無置換の環形成原子数５〜５０の複素環基であり、
ｍｘ４は、１、２、３、４又は５であり、
Ｌ１４０１が２以上存在する場合、２以上のＬ１４０１は、互いに同一であるか、又は異なり、
Ａｒ１４０１が２以上存在する場合、２以上のＡｒ１４０１は、互いに同一であるか、又は異なり、
前記一般式（１４１Ｘ）中の＊は、前記一般式（１４Ｘ）で表される環との結合位置を示す。）
【０２６０】
本実施形態に係る有機ＥＬ素子において、Ａｒ１４０１は、置換もしくは無置換の環形成炭素数６〜５０のアリール基であることが好ましい。
【０２６１】
本実施形態に係る有機ＥＬ素子において、Ｒ１４０１〜Ｒ１４１０のうち２つ以上が、前記一般式（１４１Ｘ）で表される基であることも好ましい。
【０２６２】
本実施形態に係る有機ＥＬ素子において、Ｒ１４０１〜Ｒ１４１０のうち２つ以上が、前記一般式（１４１）で表される基であり、一般式（１４１）中のＡｒ１４０１は、置換もしくは無置換の環形成炭素数６〜５０のアリール基であることが好ましい。
【０２６３】
本実施形態に係る有機ＥＬ素子において、ｍｘ４は、１又は２であることが好ましい。
【０２６４】
本実施形態に係る有機ＥＬ素子において、Ｌ１４０１は、単結合、又は置換もしくは無置換の環形成炭素数６〜５０のアリーレン基であることが好ましい。
本実施形態に係る有機ＥＬ素子において、ｍｘ４は、１又は２であり、かつ、Ｌ１４０１は、単結合、又は置換もしくは無置換の環形成炭素数６〜５０のアリーレン基であることが好ましい。
【０２６５】
本実施形態に係る有機ＥＬ素子において、前記一般式（１４１）で表される基ではないＲ１４０１〜Ｒ１４１０は、それぞれ独立に、
水素原子、
置換もしくは無置換の炭素数１〜５０のアルキル基、
置換もしくは無置換の環形成炭素数３〜５０のシクロアルキル基、
置換もしくは無置換の環形成炭素数６〜５０のアリール基、又は
置換もしくは無置換の環形成原子数５〜５０の複素環基であることが好ましい。
【０２６６】
本実施形態に係る有機ＥＬ素子において、前記一般式（１４１Ｘ）で表される基ではないＲ１４０１〜Ｒ１４１０は、水素原子であることが好ましい。
【０２６７】
本実施形態に係る有機ＥＬ素子の第一のホスト材料において、Ｒ９０１、Ｒ９０２、Ｒ９０３、Ｒ９０４、Ｒ９０５、Ｒ９０６、Ｒ９０７、Ｒ８０１及びＲ８０２は、それぞれ独立に、
水素原子、
置換もしくは無置換の炭素数１〜５０のアルキル基、
置換もしくは無置換の環形成炭素数３〜５０のシクロアルキル基、
置換もしくは無置換の環形成炭素数６〜５０のアリール基、又は
置換もしくは無置換の環形成原子数５〜５０の複素環基であり、
Ｒ９０１が複数存在する場合、複数のＲ９０１は、互いに同一であるか又は異なり、
Ｒ９０２が複数存在する場合、複数のＲ９０２は、互いに同一であるか又は異なり、
Ｒ９０３が複数存在する場合、複数のＲ９０３は、互いに同一であるか又は異なり、
Ｒ９０４が複数存在する場合、複数のＲ９０４は、互いに同一であるか又は異なり、
Ｒ９０５が複数存在する場合、複数のＲ９０５は、互いに同一であるか又は異なり、
Ｒ９０６が複数存在する場合、複数のＲ９０６は、互いに同一であるか又は異なり、
Ｒ９０７が複数存在する場合、複数のＲ９０７は、互いに同一であるか又は異なり、
Ｒ８０１が複数存在する場合、複数のＲ８０１は、互いに同一であるか又は異なり、
Ｒ８０２が複数存在する場合、複数のＲ８０２は、互いに同一であるか又は異なる。
【０２６８】
本実施形態に係る第一のホスト材料において、「置換もしくは無置換」と記載された基は、いずれも「無置換」の基であることが好ましい。
【０２６９】
（第一の化合物の製造方法）
第一の化合物は、公知の方法により製造できる。また、第一の化合物は、公知の方法に倣い、目的物に合わせた既知の代替反応及び原料を用いることによっても、製造できる。
【０２７０】
（第一の化合物の具体例）
第一の化合物の具体例としては、例えば、以下の化合物挙げられる。ただし、本発明は、これら第一の化合物の具体例に限定されない。
【０２７１】
【化３６】
2022002256.tif 000038
【０２７２】
（第一の有機材料）
本実施形態に係る有機ＥＬ素子において、第一の有機材料は、アントラセン環を有さない化合物であることが好ましい。
【０２７３】
本実施形態に係る有機ＥＬ素子において、第一の有機材料は、分子量が２０００以下の化合物であることが好ましい。
【０２７４】
本実施形態に係る有機ＥＬ素子において、第一の有機材料は、例えば、下記一般式（２１）、一般式（２２）、一般式（２３）、一般式（２４）、一般式（２５）、一般式（２６）、一般式（２７）、又は一般式（２８）で表される第二の化合物であることも好ましい。
【０２７５】
（一般式（２１）で表される化合物）
本実施形態に係る有機ＥＬ素子において、第一の有機材料は、下記一般式（２１）で表される化合物であることも好ましい。
【０２７６】
【化３７】
2022002256.tif 000039
【０２７７】
（前記一般式（２１）において、
ＬＡ１、ＬＢ１、及びＬＣ１は、それぞれ独立に、
単結合、
置換もしくは無置換の環形成炭素数６〜１８のアリーレン基、又は
置換もしくは無置換の環形成原子数５〜１３の２価の複素環基であり、
Ａ１、Ｂ１、及びＣ１は、それぞれ独立に、
置換もしくは無置換の環形成炭素数６〜３０のアリール基、
置換もしくは無置換の環形成原子数５〜３０の複素環基、又は
−Ｓｉ（Ｒ９２１）（Ｒ９２２）（Ｒ９２３）で表される基であり、
Ｒ９２１、Ｒ９２２及びＲ９２３は、それぞれ独立に、置換もしくは無置換の環形成炭素数６〜３０のアリール基であり、
Ｒ９２１が複数存在する場合、複数のＲ９２１は、互いに同一であるか、又は異なり、
Ｒ９２２が複数存在する場合、複数のＲ９２２は、互いに同一であるか、又は異なり、
Ｒ９２３が複数存在する場合、複数のＲ９２３は、互いに同一であるか、又は異なる。）
【０２７８】
前記一般式（２１）で表される化合物が、下記一般式（２１２）で表される化合物であることが好ましい。
【０２７９】
【化３８】
2022002256.tif 000040
【０２８０】
（前記一般式（２１２）において、
ＬＣ１、Ａ１、Ｂ１及びＣ１は、それぞれ、前記一般式（２１）で定義したとおりであり、
ｎ１及びｎ２は、それぞれ独立に、０、１、２、３又は４であり、
Ｒが複数存在する場合、複数のＲは、互いに同一であるか、又は異なり、
Ｒが複数存在する場合、複数のＲのうち隣接する２つ以上からなる組の１組以上が、
互いに結合して、置換もしくは無置換の単環を形成するか、
互いに結合して、置換もしくは無置換の縮合環を形成するか、又は
互いに結合せず、
前記置換もしくは無置換の単環を形成せず、かつ前記置換もしくは無置換の縮合環を形成しないＲは、
シアノ基、
置換もしくは無置換の炭素数１〜５０のアルキル基、
置換もしくは無置換の環形成炭素数３〜５０のシクロアルキル基、
−Ｓｉ（Ｒ９０１）（Ｒ９０２）（Ｒ９０３）、
−Ｏ−（Ｒ９０４）、
置換もしくは無置換の環形成炭素数６〜５０のアリール基、又は
置換もしくは無置換の環形成原子数５〜５０の複素環基である。）
【０２８１】
前記一般式（２１）で表される化合物において、Ａ１、Ｂ１及びＣ１の内、少なくとも１つは、下記一般式（２１ａ）、一般式（２１ｂ）、一般式（２１ｃ）、一般式（２１ｄ）及び一般式（２１ｅ）で表される基からなる群から選択される基であることが好ましい。
【０２８２】
【化３９】
2022002256.tif 000041
【０２８３】
（前記一般式（２１ａ）、一般式（２１ｂ）、一般式（２１ｃ）、一般式（２１ｄ）及び一般式（２１ｅ）において、
Ｘ２１は、ＮＲ２１、ＣＲ２２Ｒ２３、酸素原子又は硫黄原子であり、
Ｘ２１が複数ある場合、複数のＸ２１は、互いに同一であるか、又は異なり、
Ｘ２１がＣＲ２２Ｒ２３である場合、Ｒ２２とＲ２３とからなる組が、
互いに結合して、置換もしくは無置換の単環を形成するか、
互いに結合して、置換もしくは無置換の縮合環を形成するか、又は
互いに結合せず、
Ｒ２１、並びに前記置換もしくは無置換の単環を形成せず、かつ前記置換もしくは無置換の縮合環を形成しないＲ２２及びＲ２３は、それぞれ独立に、
水素原子、
シアノ基、
置換もしくは無置換の炭素数１〜５０のアルキル基、
置換もしくは無置換の炭素数１〜５０のハロゲン化アルキル基、
置換もしくは無置換の環形成炭素数３〜５０のシクロアルキル基、
−Ｓｉ（Ｒ９０１）（Ｒ９０２）（Ｒ９０３）で表される基、
−Ｏ−（Ｒ９０４）で表される基、
置換もしくは無置換の環形成炭素数６〜５０のアリール基、又は
置換もしくは無置換の環形成原子数５〜５０の複素環基であり、
Ｒ２１１〜Ｒ２１８のうち隣接する２つ以上からなる組の１組以上が、
互いに結合して、置換もしくは無置換の単環を形成するか、
互いに結合して、置換もしくは無置換の縮合環を形成するか、
又は互いに結合せず
前記置換もしくは無置換の単環を形成せず、かつ前記置換もしくは無置換の縮合環を形成しないＲ２１１〜Ｒ２１８は、それぞれ独立に、
水素原子、
シアノ基、
置換もしくは無置換の炭素数１〜５０のアルキル基、
置換もしくは無置換の炭素数１〜５０のハロゲン化アルキル基、
置換もしくは無置換の環形成炭素数３〜５０のシクロアルキル基、
−Ｓｉ（Ｒ９０１）（Ｒ９０２）（Ｒ９０３）で表される基、
−Ｏ−（Ｒ９０４）で表される基、
置換もしくは無置換の環形成炭素数６〜５０のアリール基、又は
置換もしくは無置換の環形成原子数５〜５０の複素環基であり、
前記一般式（２１ａ）、一般式（２１ｂ）、一般式（２１ｃ）一般式（２１ｄ）及び一般式（２１ｅ）における＊は、それぞれ独立に、ＬＡ１、ＬＢ１、又はＬＣ１との結合位置である。）
【０２８４】
前記一般式（２１ａ）、一般式（２１ｂ）、一般式（２１ｃ）、一般式（２１ｄ）及び一般式（２１ｅ）で表される基からなる群から選択される基ではない、Ａ１、Ｂ１、及びＣ１は、それぞれ独立に、置換もしくは無置換の環形成炭素数６〜３０のアリール基であることが好ましい。
【０２８５】
（一般式（２２）で表される化合物）
本実施形態に係る有機ＥＬ素子において、第一の有機材料は、下記一般式（２２）で表される化合物であることも好ましい。
【０２８６】
【化４０】
2022002256.tif 000042
【０２８７】
（前記一般式（２２）において、
Ａ２１及びＡ２２は、それぞれ独立に、
置換もしくは無置換の環形成炭素数６〜３０のアリール基、又は
置換もしくは無置換の環形成原子数５〜３０の複素環基であり、
Ｙ５〜Ｙ８のうち１つは、＊１に結合する炭素原子であり、
Ｙ９〜Ｙ１２のうち１つは、＊２に結合する炭素原子であり、
Ｙ１〜Ｙ４、Ｙ１３〜Ｙ１６、＊１に結合する炭素原子ではないＹ５〜Ｙ８、及び＊２に結合する炭素原子ではないＹ９〜Ｙ１２は、それぞれ独立に、ＣＲ２０であり、
Ｒ２０が複数存在する場合、複数のＲ２０のうち隣接する２つ以上からなる組の１組以上が、互いに結合して、置換もしくは無置換の単環を形成するか、互いに結合して、置換もしくは無置換の縮合環を形成するか、又は互いに結合せず、
前記置換もしくは無置換の単環を形成せず、かつ、前記置換もしくは無置換の縮合環を形成しないＲ２０は、それぞれ独立に、
水素原子、
シアノ基、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｓｉ（Ｒ９０１）（Ｒ９０２）（Ｒ９０３）で表される基、
−Ｏ−（Ｒ９０４）で表される基、
ハロゲン原子、
ニトロ基、
置換もしくは無置換の環形成炭素数６〜５０のアリール基、又は
置換もしくは無置換の環形成原子数５〜５０の複素環基であり、
Ｌ２１及びＬ２２は、それぞれ独立に、
単結合、
置換もしくは無置換の環形成炭素数６〜３０のアリーレン基、又は
置換もしくは無置換の環形成原子数５〜３０の２価の複素環基である。）
【０２８８】
例えば、Ｙ６が、＊１に結合する炭素原子であり、Ｙ１１が、＊２に結合する炭素原子である場合、前記一般式（２２）は、下記一般式（２２１）で表される。
前記一般式（２２）で表される化合物は、下記一般式（２２１）で表される化合物であることも好ましい。
【０２８９】
【化４１】
2022002256.tif 000043
【０２９０】
（前記一般式（２２１）において、
Ｙ１〜Ｙ５、Ｙ７〜Ｙ１０、及びＹ１２〜Ｙ１６は、ＣＲ２０であり、
Ａ２１、Ａ２２、Ｌ２１、Ｌ２２、及びＲ２０は、それぞれ、前記一般式（２２）におけるＡ２１、Ａ２２、Ｌ２１、Ｌ２２、及びＲ２０と同義であり、複数のＲ２０は、互いに同一であるか又は異なる。）
【０２９１】
前記一般式（２２）で表される化合物において、Ａ２１及びＡ２２は、それぞれ独立に、置換もしくは無置換の環形成炭素数６〜３０のアリール基であることが好ましい。
【０２９２】
前記一般式（２２）で表される化合物において、Ａ２１及びＡ２２の一方が、置換もしくは無置換の環形成炭素数６〜３０のアリール基であり、Ａ２１及びＡ２２の他方が、置換もしくは無置換のフェニル基、置換もしくは無置換のビフェニル基、置換もしくは無置換のターフェニル基、置換もしくは無置換のナフチル基、ナフチルフェニル基、置換もしくは無置換のトリフェニレニル基、又は９，９−ビフェニルフルオレニル基であることが好ましい。
【０２９３】
前記一般式（２２）で表される化合物において、Ａ２１及びＡ２２の一方が、置換もしくは無置換の環形成炭素数６〜３０のアリール基であり、Ａ２１及びＡ２２のの他方が、置換もしくは無置換のフェニル基、置換もしくは無置換のｐ−ビフェニル基、置換もしくは無置換のｍ−ビフェニル基、置換もしくは無置換のｏ−ビフェニル基、置換もしくは無置換の３−ナフチルフェニル基、トリフェニレニル基、又は９，９−ビフェニルフルオレニル基であることが好ましい。
【０２９４】
前記一般式（２２）で表される化合物において、Ｌ２１及びＬ２２は、それぞれ独立に、単結合、又は置換もしくは無置換の環形成炭素数６〜３０のアリーレン基であることが好ましい。
【０２９５】
（一般式（２３）で表される化合物）
本実施形態に係る有機ＥＬ素子において、第一の有機材料は、下記一般式（２３）で表される化合物であることも好ましい。
【０２９６】
【化４２】
2022002256.tif 000044
【０２９７】
（前記一般式（２３）において、
Ｒ２３０１〜Ｒ２３１０は、それぞれ独立に、
水素原子、
置換もしくは無置換の炭素数１〜５０のアルキル基、
置換もしくは無置換の炭素数１〜５０のハロアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｓｉ（Ｒ９０１）（Ｒ９０２）（Ｒ９０３）で表される基、
−Ｏ−（Ｒ９０４）で表される基、
−Ｓ−（Ｒ９０５）で表される基、
置換もしくは無置換の炭素数７〜５０のアラルキル基、
−Ｃ（＝Ｏ）Ｒ８０１で表される基、
−ＣＯＯＲ８０２で表される基、
ハロゲン原子、
シアノ基、
ニトロ基、
置換もしくは無置換の環形成炭素数６〜５０のアリール基、
置換もしくは無置換の環形成原子数５〜５０の複素環基、又は
前記一般式（２３１）で表される基であり、
前記一般式（２３１）で表される基が複数存在する場合、複数の前記一般式（２３１）で表される基は、互いに同一であるか又は異なり、
Ｌ２３１は、
単結合、
置換もしくは無置換の環形成炭素数６〜５０のアリーレン基、又は
置換もしくは無置換の環形成原子数５〜５０の２価の複素環基であり、
Ａｒ２３１は、
置換もしくは無置換の環形成炭素数６〜５０のアリール基、又は
置換もしくは無置換の環形成原子数５〜５０の複素環基であり、
ｍ２３は、１、２、３、４又は５であり、
Ｌ２３１が２以上存在する場合、２以上のＬ２３１は、互いに同一であるか、又は異なり、
Ａｒ２３１が２以上存在する場合、２以上のＡｒ２３１は、互いに同一であるか、又は異なり、
前記一般式（２３１）で表される化合物の分子中に複数のピレン環を含む場合、当該複数のピレン環の少なくともいずれかは、置換もしくは無置換の炭素数３〜５０のアルキル基を有し、
前記一般式（２３１）中の＊は、前記一般式（２３）中のピレン環との結合位置を示す。）
【０２９８】
前記一般式（２３）で表される化合物は、分子中に複数のピレン環を有する化合物であることも好ましい。前記一般式（２３）で表される化合物が分子中に複数のピレン環を有する場合、当該複数のピレン環のいずれもが、それぞれ独立に、置換もしくは無置換の炭素数３〜５０のアルキル基を有することが好ましい。それぞれのピレン環が有する置換もしくは無置換の炭素数３〜５０のアルキル基の数は、１つ又は複数であり、複数の置換もしくは無置換の炭素数３〜５０のアルキル基は、互いに同一であるか又は異なる。
【０２９９】
前記一般式（２３）で表される化合物において、Ａｒ２３１は、置換もしくは無置換のピレニル基ではなく、Ｌ２３１は、置換もしくは無置換のピレニレン基ではなく、前記一般式（２３１）で表される基ではないＲ２３０１〜Ｒ２３１０としての置換もしくは無置換の環形成炭素数６〜５０のアリール基は、置換もしくは無置換のピレニル基ではないことも好ましい。
【０３００】
前記一般式（２３）で表される化合物は、分子中にピレン環を１つのみ有する化合物であることも好ましい。
【０３０１】
本実施形態に係る有機ＥＬ素子において、
前記一般式（２３１）で表される基ではないＲ２３０１〜Ｒ２３１０は、それぞれ独立に、
水素原子、
置換もしくは無置換の炭素数１〜５０のアルキル基、
置換もしくは無置換の環形成炭素数３〜５０のシクロアルキル基、
置換もしくは無置換の環形成炭素数６〜５０のアリール基、又は
置換もしくは無置換の環形成原子数５〜５０の複素環基であることが好ましい。
【０３０２】
本実施形態に係る有機ＥＬ素子において、
前記一般式（２３１）で表される基ではないＲ２３０１〜Ｒ２３１０は、それぞれ独立に、
水素原子、
置換もしくは無置換の炭素数１〜５０のアルキル基、又は
置換もしくは無置換の環形成炭素数３〜５０のシクロアルキル基であることが好ましい。
【０３０３】
（一般式（２４）で表される化合物）
本実施形態に係る有機ＥＬ素子において、第一の有機材料は、下記一般式（２４）で表される化合物であることも好ましい。
【０３０４】
【化４３】
2022002256.tif 000045
【０３０５】
（前記一般式（２４）において、
Ｒ２４０１〜Ｒ２４１２は、それぞれ独立に、
水素原子、
置換もしくは無置換の炭素数１〜５０のアルキル基、
置換もしくは無置換の炭素数１〜５０のハロアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｓｉ（Ｒ９０１）（Ｒ９０２）（Ｒ９０３）で表される基、
−Ｏ−（Ｒ９０４）で表される基、
−Ｓ−（Ｒ９０５）で表される基、
置換もしくは無置換の炭素数７〜５０のアラルキル基、
−Ｃ（＝Ｏ）Ｒ８０１で表される基、
−ＣＯＯＲ８０２で表される基、
ハロゲン原子、
シアノ基、
ニトロ基、
置換もしくは無置換の環形成炭素数６〜５０のアリール基、
置換もしくは無置換の環形成原子数５〜５０の複素環基、又は
前記一般式（２４１）で表される基であり、
ただし、Ｒ２４０１〜Ｒ２４１２の少なくとも１つは、置換もしくは無置換の炭素数３〜５０のアルキル基であり、
前記一般式（２４１）で表される基が複数存在する場合、複数の前記一般式（２４１）で表される基は、互いに同一であるか又は異なり、
Ｌ２４１は、
単結合、
置換もしくは無置換の環形成炭素数６〜５０のアリーレン基、又は
置換もしくは無置換の環形成原子数５〜５０の２価の複素環基であり、
Ａｒ２４１は、
置換もしくは無置換の環形成炭素数６〜５０のアリール基、又は
置換もしくは無置換の環形成原子数５〜５０の複素環基であり、
ｍ２４は、１、２、３、４又は５であり、
Ｌ２４１が２以上存在する場合、２以上のＬ２４１は、互いに同一であるか、又は異なり、
Ａｒ２４１が２以上存在する場合、２以上のＡｒ２４１は、互いに同一であるか、又は異なり、
前記一般式（２４１）中の＊は、前記一般式（２４）中のベンズ［ａ］アントラセン環との結合位置を示す。）
【０３０６】
（一般式（２５）で表される化合物）
本実施形態に係る有機ＥＬ素子において、第一の有機材料は、下記一般式（２５）で表される化合物であることも好ましい。
【０３０７】
【化４４】
2022002256.tif 000046
【０３０８】
（前記一般式（２５）において、
Ｒ２５０１〜Ｒ２５１０のうちの隣接する２つ以上からなる組の１組以上が、
互いに結合して、置換もしくは無置換の単環を形成するか、又は
互いに結合して、置換もしくは無置換の縮合環を形成し、
前記置換もしくは無置換の単環を形成せず、かつ及び前記置換もしくは無置換の縮合環を形成しないＲ２５０１〜Ｒ２５１０は、それぞれ独立に、
水素原子、
置換もしくは無置換の炭素数１〜５０のアルキル基、
置換もしくは無置換の炭素数１〜５０のハロアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｓｉ（Ｒ９０１）（Ｒ９０２）（Ｒ９０３）で表される基、
−Ｏ−（Ｒ９０４）で表される基、
−Ｓ−（Ｒ９０５）で表される基、
置換もしくは無置換の炭素数７〜５０のアラルキル基、
−Ｃ（＝Ｏ）Ｒ８０１で表される基、
−ＣＯＯＲ８０２で表される基、
ハロゲン原子、
シアノ基、
ニトロ基、
置換もしくは無置換の環形成炭素数６〜５０のアリール基、
置換もしくは無置換の環形成原子数５〜５０の複素環基、又は
前記一般式（２５１）で表される基であり、
ただし、前記置換もしくは無置換の単環が置換基を有する場合の当該置換基、前記置換もしくは無置換の縮合環が置換基を有する場合の当該置換基、並びにＲ２５０１〜Ｒ２５１０の少なくとも１つが、置換もしくは無置換の炭素数３〜５０のアルキル基であり、
前記一般式（２５１）で表される基が複数存在する場合、複数の前記一般式（２５１）で表される基は、互いに同一であるか又は異なり、
Ｌ２５１は、
単結合、
置換もしくは無置換の環形成炭素数６〜５０のアリーレン基、又は
置換もしくは無置換の環形成原子数５〜５０の２価の複素環基であり、
Ａｒ２５１は、
置換もしくは無置換の環形成炭素数６〜５０のアリール基、又は
置換もしくは無置換の環形成原子数５〜５０の複素環基であり、
ｍ２５は、１、２、３、４又は５であり、
Ｌ２５１が２以上存在する場合、２以上のＬ２５１は、互いに同一であるか、又は異なり、
Ａｒ２５１が２以上存在する場合、２以上のＡｒ２５１は、互いに同一であるか、又は異なり、
前記一般式（２５１）中の＊は、前記一般式（２５）で表される環との結合位置を示す。）
【０３０９】
（一般式（２６）で表される化合物）
本実施形態に係る有機ＥＬ素子において、第一の有機材料は、下記一般式（２６）で表される化合物であることも好ましい。
【０３１０】
【化４５】
2022002256.tif 000047
【０３１１】
（前記一般式（２６）において、
Ｒ２６０１〜Ｒ２６０３は、それぞれ独立に、
水素原子、
ハロゲン原子、
置換もしくは無置換の炭素数１〜５０のアルキル基、
置換もしくは無置換の炭素数１〜５０のハロゲン化アルキル基、
置換もしくは無置換の環形成炭素数３〜５０のシクロアルキル基、
置換もしくは無置換の炭素数７〜５０のアラルキル基、
−Ｏ−（Ｒ９０４）で表される基、
−Ｓ−（Ｒ９０５）で表される基、
−Ｎ（Ｒ９０６）（Ｒ９０７）で表される基、
置換もしくは無置換の炭素数７〜６０のアラルキルアミノ基、
−Ｃ（＝Ｏ）Ｒ８０１で表される基、
シアノ基、
置換もしくは無置換の環形成炭素数６〜５０のアリール基、又は
置換もしくは無置換の環形成原子数５〜５０の複素環基であり、
Ｒ２６０６〜Ｒ２６１０のうち隣接する２つ以上からなる組の１組以上が、互いに結合して、置換もしくは無置換の単環を形成するか、互いに結合して、置換もしくは無置換の縮合環を形成するか、又は互いに結合せず、
前記置換もしくは無置換の単環を形成せず、かつ、前記置換もしくは無置換の縮合環を形成しないＲ２６０６及びＲ２６１０は、それぞれ独立に、
水素原子、又は
置換もしくは無置換の炭素数１〜５０のアルキル基であり、
前記置換もしくは無置換の単環を形成せず、かつ、前記置換もしくは無置換の縮合環を形成しないＲ２６０７〜Ｒ２６０９は、それぞれ独立に、
水素原子、
ハロゲン原子、
置換もしくは無置換の炭素数１〜５０のアルキル基、
置換もしくは無置換の炭素数１〜５０のハロゲン化アルキル基、
置換もしくは無置換の環形成炭素数３〜５０のシクロアルキル基、
置換もしくは無置換の炭素数７〜５０のアラルキル基、
−Ｏ−（Ｒ９０４）で表される基、
−Ｓ−（Ｒ９０５）で表される基、
−Ｎ（Ｒ９０６）（Ｒ９０７）で表される基、
置換もしくは無置換の炭素数７〜６０のアラルキルアミノ基、
−Ｃ（＝Ｏ）Ｒ８０１で表される基、
シアノ基、
置換もしくは無置換の環形成炭素数６〜５０のアリール基、又は
置換もしくは無置換の環形成原子数５〜５０の複素環基であり、
但し、Ｒ２６０８及びＲ２６０９の組またはＲ２６０８及びＲ２６０７の組が、前記置換もしくは無置換の単環を形成せず、かつ、前記置換もしくは無置換の縮合環を形成しない場合、Ｒ２６０７〜Ｒ２６０９の少なくとも１つは、
置換もしくは無置換の９−カルバゾリル基、
置換もしくは無置換の窒素原子数２〜５のアザカルバゾリル基、
置換もしくは無置換のジベンゾフラニル基、
置換もしくは無置換のジベンゾチオフェニル基、
置換のフェニル基、又は
置換のビフェニル基であり、
当該置換のフェニル基及び置換のビフェニル基は、それぞれ独立に、
置換もしくは無置換の９−カルバゾリル基、
置換もしくは無置換の窒素原子数２〜５のアザカルバゾリル基、
置換もしくは無置換のジベンゾフラニル基、及び
置換もしくは無置換のジベンゾチオフェニル基からなる群から選択される少なくとも１つの基を有し、
ただし、Ｒ２６０８及びＲ２６０９の組、又はＲ２６０８とＲ２６０７の組と、Ｒ２６０７〜Ｒ２６０９が結合しているベンゼン環とでカルバゾリル基を形成する場合はなく、
Ｒ２６０７〜Ｒ２６０９のいずれかが、置換もしくは無置換のジベンゾフラニル基または置換もしくは無置換のジベンゾチオフェニル基である場合、Ｒ２６０１〜Ｒ２６０３は、水素原子であり、
Ｒ２６０１〜Ｒ２６０３およびＲ２６０６〜Ｒ２６１０の各置換基は、末端に重合性官能基を有することはなく、
Ｘ２６は、硫黄原子または酸素原子である。）
【０３１２】
前記一般式（２６）で表される化合物において、Ｒ２６０８及びＲ２６０９の組、並びにＲ２６０８及びＲ２６０７の組が、置換もしくは無置換の単環を形成せず、かつ、置換もしくは無置換の縮合環を形成しないことが好ましい。
【０３１３】
Ｒ２６０７及びＲ２６０９の少なくとも１つは、置換もしくは無置換の９−カルバゾリル基、置換もしくは無置換の窒素原子数２〜５のアザカルバゾリル基、置換もしくは無置換のジベンゾフラニル基、置換もしくは無置換のジベンゾチオフェニル基、置換のフェニル基、又は置換のビフェニル基であり、当該置換のフェニル基及び置換のビフェニル基は、それぞれ独立に、置換もしくは無置換の９−カルバゾリル基、置換もしくは無置換の窒素原子数２〜５のアザカルバゾリル基、置換もしくは無置換のジベンゾフラニル基、及び置換もしくは無置換のジベンゾチオフェニル基からなる群から選択される少なくとも１つの基を有することが好ましい。
【０３１４】
Ｒ２６０１〜Ｒ２６０３の少なくともいずれかが、置換もしくは無置換の環形成炭素数６〜５０のアリール基、又は置換もしくは無置換の環形成原子数５〜５０の複素環基であることが好ましく、Ｒ２６０３が、置換もしくは無置換の環形成炭素数６〜５０のアリール基、又は置換もしくは無置換の環形成原子数５〜５０の複素環基であることがより好ましい。
【０３１５】
炭素数７〜６０のアラルキルアミノ基は、−Ｎ（Ｒ９６６）（Ｒ９６７）で表される基であり、Ｒ９６６及びＲ９６７は、それぞれ独立に、置換もしくは無置換の炭素数１〜５０のアルキル基、置換もしくは無置換の炭素数７〜５０のアラルキル基、又は置換もしくは無置換の環形成炭素数６〜５０のアリール基であり、Ｒ９６６及びＲ９６７の少なくともいずれかが置換もしくは無置換の炭素数７〜５０のアラルキル基である。
【０３１６】
（一般式（２７）で表される化合物及び一般式（２８）で表される化合物）
本実施形態に係る有機ＥＬ素子において、第一の有機材料は、下記一般式（２７）又は一般式（２８）で表される化合物であることも好ましい。
【０３１７】
【化４６】
2022002256.tif 000048
【０３１８】
【化４７】
2022002256.tif 000049
【０３１９】
（前記一般式（２７）及び一般式（２８）において、
Ａｒ２７１、Ａｒ２７２及びＡｒ２７３は、それぞれ独立に、
置換もしくは無置換の環形成炭素数６の芳香族炭化水素基、又は
置換もしくは無置換の環形成原子数６の芳香族複素環基であり、
ただし、Ａｒ２７１、Ａｒ２７２及びＡｒ２７３は、置換基Ｙを一個又は複数個有していてもよく、複数の置換基Ｙは、互いに同一であるか又は異なり、
置換基Ｙは、
炭素数１〜５０のアルキル基、
置換もしくは無置換の環形成炭素数３〜５０のシクロアルキル基、
炭素数７〜５０のアラルキル基、
−Ｓｉ（Ｒ９０１）（Ｒ９０２）（Ｒ９０３）で表される基、
−Ｏ−（Ｒ９０４）で表される基、
置換もしくは無置換の環形成炭素数６〜５０のアリール基、又は
Ａｒ２７１、Ａｒ２７２及びＡｒ２７３のいずれかと炭素−炭素結合で連結する置換もしくは無置換の環形成原子数５〜２４の複素環基であり、
Ｘ２７１、Ｘ２７２、Ｘ２７３及びＸ２７４は、それぞれ独立に、酸素原子、硫黄原子、Ｎ−Ｒ２７１又はＣＲ２７２Ｒ２７３であり、
Ｒ２７１、Ｒ２７２及びＲ２７３は、それぞれ独立に、
炭素数１〜５０のアルキル基、
置換もしくは無置換の環形成炭素数３〜５０のシクロアルキル基、
炭素数７〜５０のアラルキル基、
−Ｓｉ（Ｒ９０１）（Ｒ９０２）（Ｒ９０３）で表される基、
置換もしくは無置換の環形成炭素数６〜５０のアリール基、又は
置換もしくは無置換の環形成原子数５〜２４の複素環基であり、
ｒ、ｐ及びｑは、それぞれ独立に、０又は１であり、
ｓは、１、２又は３であり、
ｎは、２、３又は４であり、それぞれＬ２７３を連結基とした２量体、３量体、４量体であり、
ただし、Ｘ２７１とＸ２７２が共にＮ−Ｒ２７１であり、かつ、ｒ及びｐが０であり、ｑが１である場合、又は、Ｘ２７１とＸ２７３が共にＮ−Ｒ２７１であり、ｐ及びｑが０であり、ｒが１である場合は、少なくとも１つのＲ２７１は、置換もしくは無置換の環形成原子数８〜２４である１価の縮合芳香族複素環基であり、
Ｌ２７１は、
単結合、
炭素数１〜５０のアルキレン基、
置換もしくは無置換の環形成炭素数３〜５０のシクロアルキレン基、
２価のシリル基もしくは炭素数２〜２０の２価の置換シリル基、
置換もしくは無置換の環形成炭素数６〜５０のアリーレン基、又は
Ａｒ２７１と炭素−炭素結合で連結する置換もしくは無置換の環形成原子数５〜２４の２価の複素環基であり、
Ｌ２７２は、
単結合、
炭素数１〜５０のアルキレン基、
置換もしくは無置換の環形成炭素数３〜５０のシクロアルキレン基、
２価のシリル基もしくは炭素数２〜２０の２価の置換シリル基、
置換もしくは無置換の環形成炭素数６〜５０のアリーレン基、又は
Ａｒ２７３と炭素−炭素結合で連結する置換もしくは無置換の環形成原子数５〜２４の２価の複素環基であり、
ただし、Ｘ２７１とＸ２７２が共にＣＲ２７２Ｒ２７３であり、ｒ及びｐが０であり、ｑが１であり、かつＬ２７１及びＬ２７２が共に置換もしくは無置換の環形成炭素数６〜５０のアリーレン基である場合、又は、Ｘ２７１とＸ２７３が共にＣＲ２７２Ｒ２７３であり、ｐ及びｑが０であり、ｒが１であり、かつＬ２７１及びＬ２７２が共に置換もしくは無置換の環形成炭素数６〜５０のアリーレン基である場合、Ｌ２７１及びＬ２７２は、同時にＡｒ２７２に対してパラ位置に連結する場合は無く、
ｎが２の場合、Ｌ２７３は、
単結合、
炭素数１〜５０のアルキレン基、
置換もしくは無置換の環形成炭素数３〜５０のシクロアルキレン基、
２価のシリル基もしくは炭素数２〜２０の２価の置換シリル基、
置換もしくは無置換の環形成炭素数６〜５０のアリーレン基、又は
Ａｒ２７３と炭素−炭素結合で連結する置換もしくは無置換の環形成原子数５〜２４の２価の複素環基であり、
ｎが３の場合、Ｌ２７３は、
炭素数１〜５０の３価の飽和炭化水素基、
置換もしくは無置換の環形成炭素数３〜５０の３価の環状飽和炭化水素基、
３価のシリル基もしくは炭素数１〜２０の３価の置換シリル基、
置換もしくは無置換の環形成炭素数６〜５０の３価の芳香族炭化水素基、又は
Ａｒ２７３と炭素−炭素結合で連結する置換もしくは無置換の環形成原子数５〜２４の３価の複素環基であり、
ｎが４の場合、Ｌ２７３は、
炭素数１〜５０の４価の飽和炭化水素基、
置換もしくは無置換の環形成炭素数３〜５０の４価の環状飽和炭化水素基、
ケイ素原子、
置換もしくは無置換の環形成炭素数６〜５０の４価の芳香族炭化水素基、又は
Ａｒ２７３と炭素−炭素結合で連結する置換もしくは無置換の環形成原子数５〜２４の４価の複素環基であり、
ただし、Ｘ２７１とＸ２７２が共にＣＲ２７２Ｒ２７３であり、ｒ及びｐが０であり、ｑが１であり、かつＬ２７１及びＬ２７３が共に置換もしくは無置換の環形成炭素数６〜５０の２価、３価あるいは４価の芳香族炭化水素基である場合、又は、Ｘ２７１とＸ２７３が共にＣＲ２７２Ｒ２７３であり、ｐ及びｑが０であり、ｒが１であり、かつＬ２７１及びＬ２７３が共に置換もしくは無置換の環形成炭素数６〜５０の２価、３価あるいは４価の芳香族炭化水素基である場合、Ｌ２７１及びＬ２７３は、同時にＡｒ２７２に対してパラ位置に連結する場合は無く、
Ａ２７１は、
水素原子、
置換もしくは無置換の環形成炭素数３〜５０のシクロアルキル基、
−Ｓｉ（Ｒ９０１）（Ｒ９０２）（Ｒ９０３）で表される基、
置換もしくは無置換の環形成炭素数６〜５０のアリール基、又は
Ｌ２７１と炭素−炭素結合で連結する置換もしくは無置換の環形成原子数５〜２４の複素環基であり、ただし、Ｌ２７１が炭素数１〜５０のアルキレン基である場合、Ａ２７１は、水素原子ではなく、
Ａ２７２は、
水素原子、
置換もしくは無置換の環形成炭素数３〜５０のシクロアルキル基、
−Ｓｉ（Ｒ９０１）（Ｒ９０２）（Ｒ９０３）で表される基、
置換もしくは無置換の環形成炭素数６〜５０のアリール基、又は
Ｌ２７２と炭素−炭素結合で連結する置換もしくは無置換の環形成原子数５〜２４の複素環基であり、
ただし、Ｌ２７２が炭素数１〜５０のアルキレン基である場合、Ａ２７２は、水素原子ではなく、さらに、Ｘ２７１とＸ２７２が酸素原子、硫黄原子、もしくはＣＲ２７２Ｒ２７３であり、ｒ及びｐが０であり、ｑが１であり、Ｌ２７１及びＬ２７２が共に単結合であり、かつＡ２７１及びＡ２７２が共に水素原子である場合、又は、Ｘ２７１とＸ２７３が酸素原子、硫黄原子、もしくはＣＲ２７２Ｒ２７３であり、ｐ及びｑが０であり、ｒが１であり、Ｌ２７１及びＬ２７２が共に単結合であり、かつＡ２７１及びＡ２７２が共に水素原子である場合、Ａｒ２７２は、置換基Ｙを一個又は複数個有し、置換基Ｙがメチル基又は無置換のフェニル基である場合は無く、
Ａ２７１、Ａ２７２、Ｌ２７１、Ｌ２７２及びＬ２７３は、カルボニル基を含まず、
前記一般式（２７）は、下記一般式（２７１）で表される構造ではなく、
前記一般式（２８）は、下記一般式（２８１）で表される構造ではない。）
【０３２０】
【化４８】
2022002256.tif 000050
【０３２１】
（前記一般式（２７１）において、
Ｘ２７１、Ｘ２７２、Ａ２７１、Ａ２７２、Ｌ２７１及びＬ２７２は、式（２７）におけるＸ２７１、Ｘ２７２、Ａ２７１、Ａ２７２、Ｌ２７１及びＬ２７２と同義であり、
Ｙ２７１、Ｙ２７２及びＹ２７３は、それぞれ独立に、
炭素数１〜２０のアルキル基、
置換もしくは無置換の環形成炭素数３〜２０のシクロアルキル基、
炭素数１〜２０のアルコキシ基、
炭素数７〜２４のアラルキル基、
炭素数３〜２０のシリル基、
置換もしくは無置換の環形成炭素数６〜２４の芳香族炭化水素基、または
ベンゼン環ａ、ｂ及びｃのいずれかと炭素−炭素結合で連結する置換もしくは無置換の環形成原子数５〜２４の複素環基であり、
ｄ及びｆは、３であり、ｅは、２である。）
【０３２２】
【化４９】
2022002256.tif 000051
【０３２３】
（前記一般式（２８１）において、
Ｘ２７１、Ｘ２７２、Ａ２７１、Ｌ２７１、Ｌ２７３及びｎは、それぞれ、前記一般式（２８）におけるＸ２７１、Ｘ２７２、Ａ２７１、Ｌ２７１、Ｌ２７３及びｎと同義であり、
Ｙ２７１、Ｙ２７２及びＹ２７３は、それぞれ独立に、
炭素数１〜２０のアルキル基、
置換もしくは無置換の環形成炭素数３〜２０のシクロアルキル基、
炭素数１〜２０のアルコキシ基、
炭素数７〜２４のアラルキル基、
炭素数３〜２０のシリル基、
置換もしくは無置換の環形成炭素数６〜２４の芳香族炭化水素基、または
ベンゼン環ａ、ｂ及びｃのいずれかと炭素−炭素結合で連結する置換もしくは無置換の環形成原子数５〜２４の複素環基であり、
ｄ及びｆは、３であり、ｅは、２である。）
【０３２４】
本実施形態に係る有機ＥＬ素子の第一の有機材料において、Ｒ９０１、Ｒ９０２、Ｒ９０３、Ｒ９０４、Ｒ９０５、Ｒ９０６、Ｒ９０７、Ｒ８０１及びＲ８０２は、それぞれ独立に、
水素原子、
置換もしくは無置換の炭素数１〜５０のアルキル基、
置換もしくは無置換の環形成炭素数３〜５０のシクロアルキル基、
置換もしくは無置換の環形成炭素数６〜５０のアリール基、又は
置換もしくは無置換の環形成原子数５〜５０の複素環基であり、
Ｒ９０１が複数存在する場合、複数のＲ９０１は、互いに同一であるか又は異なり、
Ｒ９０２が複数存在する場合、複数のＲ９０２は、互いに同一であるか又は異なり、
Ｒ９０３が複数存在する場合、複数のＲ９０３は、互いに同一であるか又は異なり、
Ｒ９０４が複数存在する場合、複数のＲ９０４は、互いに同一であるか又は異なり、
Ｒ９０５が複数存在する場合、複数のＲ９０５は、互いに同一であるか又は異なり、
Ｒ９０６が複数存在する場合、複数のＲ９０６は、互いに同一であるか又は異なり、
Ｒ９０７が複数存在する場合、複数のＲ９０７は、互いに同一であるか又は異なり、
Ｒ８０１が複数存在する場合、複数のＲ８０１は、互いに同一であるか又は異なり、
Ｒ８０２が複数存在する場合、複数のＲ８０２は、互いに同一であるか又は異なる。
【０３２５】
本実施形態に係る第一の有機材料において、「置換もしくは無置換」と記載された基は、いずれも「無置換」の基であることが好ましい。
【０３２６】
（第一の有機材料の製造方法）
第一の有機材料は、公知の方法により製造できる。また、第一の有機材料は、公知の方法に倣い、目的物に合わせた既知の代替反応及び原料を用いることによっても、製造できる。
【０３２７】
（第一の有機材料の具体例）
第一の有機材料の具体例としては、例えば、以下の化合物挙げられる。ただし、本発明は、これら第一の有機材料の具体例に限定されない。
【０３２８】
【化５０】
2022002256.tif 000052
【０３２９】
【化５１】
2022002256.tif 000053
【０３３０】
【化５２】
2022002256.tif 000054
【０３３１】
【化５３】
2022002256.tif 000055
【０３３２】
【化５４】
2022002256.tif 000056
【０３３３】
【化５５】
2022002256.tif 000057
【０３３４】
【化５６】
2022002256.tif 000058
【０３３５】
【化５７】
2022002256.tif 000059
【０３３６】
（第一のドーパント材料）
本実施形態に係る有機ＥＬ素子において、第一のドーパント材料は、例えば、下記第三の化合物等が挙げられる。
第三の化合物は、下記一般式（４）で表される化合物、下記一般式（５）で表される化合物、下記一般式（６）で表される化合物、下記一般式（７）で表される化合物、下記一般式（８）で表される化合物、下記一般式（９）で表される化合物、及び下記一般式（１０）で表される化合物からなる群から選択される１以上の化合物である。
【０３３７】
（一般式（４）で表される化合物）
一般式（４）で表される化合物について説明する。
【０３３８】
【化５８】
2022002256.tif 000060
【０３３９】
（前記一般式（４）において、
Ｚは、それぞれ独立に、ＣＲａ又は窒素原子であり、
Ａ１環及びＡ２環は、それぞれ独立に、
置換もしくは無置換の環形成炭素数６〜５０の芳香族炭化水素環、又は
置換もしくは無置換の環形成原子数５〜５０の複素環であり、
Ｒａが複数存在する場合、複数のＲａのうちの隣接する２つ以上からなる組の１組以上が、
互いに結合して、置換もしくは無置換の単環を形成するか、
互いに結合して、置換もしくは無置換の縮合環を形成するか、又は
互いに結合せず、
ｎ２１及びｎ２２は、それぞれ独立に、０、１、２、３又は４であり、
Ｒｂが複数存在する場合、複数のＲｂのうちの隣接する２つ以上からなる組の１組以上が、
互いに結合して、置換もしくは無置換の単環を形成するか、
互いに結合して、置換もしくは無置換の縮合環を形成するか、又は
互いに結合せず、
Ｒｃが複数存在する場合、複数のＲｃのうちの隣接する２つ以上からなる組の１組以上が、
互いに結合して、置換もしくは無置換の単環を形成するか、
互いに結合して、置換もしくは無置換の縮合環を形成するか、又は
互いに結合せず、
前記単環を形成せず、かつ前記縮合環を形成しないＲａ、Ｒｂ及びＲｃは、それぞれ独立に、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｓｉ（Ｒ９０１）（Ｒ９０２）（Ｒ９０３）で表される基、
−Ｏ−（Ｒ９０４）で表される基、
−Ｓ−（Ｒ９０５）で表される基、
−Ｎ（Ｒ９０６）（Ｒ９０７）で表される基、
ハロゲン原子、
シアノ基、
ニトロ基、
置換もしくは無置換の環形成炭素数６〜５０のアリール基、又は
置換もしくは無置換の環形成原子数５〜５０の複素環基である。）
【０３４０】
第三の化合物中、Ｒ９０１、Ｒ９０２、Ｒ９０３、Ｒ９０４、Ｒ９０５、Ｒ９０６及びＲ９０７は、それぞれ独立に、
水素原子、
置換もしくは無置換の炭素数１〜５０のアルキル基、
置換もしくは無置換の環形成炭素数３〜５０のシクロアルキル基、
置換もしくは無置換の環形成炭素数６〜５０のアリール基、又は
置換もしくは無置換の環形成原子数５〜５０の複素環基であり、
置換もしくは無置換の炭素数１〜５０のアルキル基、又は
置換もしくは無置換の環形成炭素数６〜５０のアリール基であり、
Ｒ９０１が複数存在する場合、複数のＲ９０１は、互いに同一であるか又は異なり、
Ｒ９０２が複数存在する場合、複数のＲ９０２は、互いに同一であるか又は異なり、
Ｒ９０３が複数存在する場合、複数のＲ９０３は、互いに同一であるか又は異なり、
Ｒ９０４が複数存在する場合、複数のＲ９０４は、互いに同一であるか又は異なり、
Ｒ９０５が複数存在する場合、複数のＲ９０５は、互いに同一であるか又は異なり、
Ｒ９０６が複数存在する場合、複数のＲ９０６は、互いに同一であるか又は異なり、
Ｒ９０７が複数存在する場合、複数のＲ９０７は、互いに同一であるか又は異なる。
【０３４１】
Ａ１環及びＡ２環の「芳香族炭化水素環」は、上述した「アリール基」に水素原子を導入した化合物と同じ構造である。
Ａ１環及びＡ２環の「芳香族炭化水素環」は、前記一般式（４）中央の縮合２環構造上の炭素原子２つを環形成原子として含む。
「置換もしくは無置換の環形成炭素数６〜５０の芳香族炭化水素環」の具体例としては、具体例群Ｇ１に記載の「アリール基」に水素原子を導入した化合物等が挙げられる。
【０３４２】
Ａ１環及びＡ２環の「複素環」は、上述した「複素環基」に水素原子を導入した化合物と同じ構造である。
Ａ１環及びＡ２環の「複素環」は、前記一般式（４）中央の縮合２環構造上の炭素原子２つを環形成原子として含む。
「置換もしくは無置換の環形成原子数５〜５０の複素環」の具体例としては、具体例群Ｇ２に記載の「複素環基」に水素原子を導入した化合物等が挙げられる。
【０３４３】
Ｒｂは、Ａ１環としての芳香族炭化水素環を形成する炭素原子のいずれか、又は、Ａ１環としての複素環を形成する原子のいずれかに結合する。
【０３４４】
Ｒｃは、Ａ２環としての芳香族炭化水素環を形成する炭素原子のいずれか、又は、Ａ２環としての複素環を形成する原子のいずれかに結合する。
【０３４５】
Ｒａ、Ｒｂ及びＲｃのうち、少なくとも１つが、下記一般式（４ａ）で表される基であることが好ましく、少なくとも２つが、下記一般式（４ａ）で表される基であることがより好ましい。
【０３４６】
【化５９】
2022002256.tif 000061
【０３４７】
（前記一般式（４ａ）において、
Ｌ４０１は、
単結合、
置換もしくは無置換の環形成炭素数６〜３０のアリーレン基、又は
置換もしくは無置換の環形成原子数５〜３０の２価の複素環基であり、
Ａｒ４０１は、
置換もしくは無置換の環形成炭素数６〜５０のアリール基、
置換もしくは無置換の環形成原子数５〜５０の複素環基、又は
下記一般式（４ｂ）で表される基である。
【０３４８】
【化６０】
2022002256.tif 000062
【０３４９】
（前記一般式（４ｂ）において、
Ｌ４０２及びＬ４０３は、それぞれ独立に、
単結合、
置換もしくは無置換の環形成炭素数６〜３０のアリーレン基、又は
置換もしくは無置換の環形成原子数５〜３０の２価の複素環基であり、
Ａｒ４０２及びＡｒ４０３からなる組は、
互いに結合して、置換もしくは無置換の単環を形成するか、
互いに結合して、置換もしくは無置換の縮合環を形成するか、又は
互いに結合せず、
前記単環を形成せず、かつ前記縮合環を形成しないＡｒ４０２及びＡｒ４０３は、それぞれ独立に、
置換もしくは無置換の環形成炭素数６〜５０のアリール基、又は
置換もしくは無置換の環形成原子数５〜５０の複素環基である。）
【０３５０】
一実施形態において、前記一般式（４）で表される化合物は下記一般式（４２）で表される。
【０３５１】
【化６１】
2022002256.tif 000063
【０３５２】
（前記一般式（４２）において、
Ｒ４０１〜Ｒ４１１のうちの隣接する２つ以上からなる組の１組以上が、
互いに結合して、置換もしくは無置換の単環を形成するか、
互いに結合して、置換もしくは無置換の縮合環を形成するか、又は
互いに結合せず、
前記単環を形成せず、かつ前記縮合環を形成しないＲ４０１〜Ｒ４１１は、それぞれ独立に、
水素原子、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｓｉ（Ｒ９０１）（Ｒ９０２）（Ｒ９０３）で表される基、
−Ｏ−（Ｒ９０４）で表される基、
−Ｓ−（Ｒ９０５）で表される基、
−Ｎ（Ｒ９０６）（Ｒ９０７）で表される基、
ハロゲン原子、
シアノ基、
ニトロ基、
置換もしくは無置換の環形成炭素数６〜５０のアリール基、又は
置換もしくは無置換の環形成原子数５〜５０の複素環基である。）
【０３５３】
Ｒ４０１〜Ｒ４１１のうち、少なくとも１つが、前記一般式（４ａ）で表される基であることが好ましく、少なくとも２つ前記一般式（４ａ）で表される基であることがより好ましい。
Ｒ４０４及びＲ４１１が前記一般式（４ａ）で表される基であることが好ましい。
【０３５４】
一実施形態において、前記一般式（４）で表される化合物は、Ａ１環に下記一般式（４−１）又は一般式（４−２）で表される構造が結合した化合物である。
また、一実施形態において、前記一般式（４２）で表される化合物は、Ｒ４０４〜Ｒ４０７が結合する環に下記一般式（４−１）又は一般式（４−２）で表される構造が結合した化合物である。
【０３５５】
【化６２】
2022002256.tif 000064
【０３５６】
（前記一般式（４−１）において、２つの＊は、それぞれ独立に、前記一般式（４）のＡ１環としての芳香族炭化水素環の環形成炭素原子もしくは複素環の環形成原子と結合するか、又は前記一般式（４２）のＲ４０４〜Ｒ４０７のいずれかと結合し、
前記一般式（４−２）の３つの＊は、それぞれ独立に、前記一般式（４）のＡ１環としての芳香族炭化水素環の環形成炭素原子もしくは複素環の環形成原子と結合するか、又は前記一般式（４２）のＲ４０４〜Ｒ４０７のいずれかと結合し、
Ｒ４２１〜Ｒ４２７のうちの隣接する２つ以上からなる組の１組以上が、
互いに結合して、置換もしくは無置換の単環を形成するか、
互いに結合して、置換もしくは無置換の縮合環を形成するか、又は
互いに結合せず、
Ｒ４３１〜Ｒ４３８のうちの隣接する２つ以上からなる組の１組以上が、
互いに結合して、置換もしくは無置換の単環を形成するか、
互いに結合して、置換もしくは無置換の縮合環を形成するか、又は
互いに結合せず、
前記単環を形成せず、かつ前記縮合環を形成しないＲ４２１〜Ｒ４２７並びにＲ４３１〜Ｒ４３８は、それぞれ独立に、
水素原子、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｓｉ（Ｒ９０１）（Ｒ９０２）（Ｒ９０３）で表される基、
−Ｏ−（Ｒ９０４）で表される基、
−Ｓ−（Ｒ９０５）で表される基、
−Ｎ（Ｒ９０６）（Ｒ９０７）で表される基、
ハロゲン原子、
シアノ基、
ニトロ基、
置換もしくは無置換の環形成炭素数６〜５０のアリール基、又は
置換もしくは無置換の環形成原子数５〜５０の複素環基である。）
【０３５７】
一実施形態においては、前記一般式（４）で表される化合物は、下記一般式（４１−３）、一般式（４１−４）又は一般式（４１−５）で表される化合物である。
【０３５８】
【化６３】
2022002256.tif 000065
【０３５９】
【化６４】
2022002256.tif 000066
【０３６０】
【化６５】
2022002256.tif 000067
【０３６１】
（前記一般式（４１−３）、式（４１−４）及び式（４１−５）中、
Ａ１環は、前記一般式（４）で定義した通りであり、
Ｒ４２１〜Ｒ４２７は、それぞれ独立に、前記一般式（４−１）におけるＲ４２１〜Ｒ４２７と同義であり、
Ｒ４４０〜Ｒ４４８は、それぞれ独立に、前記一般式（４２）におけるＲ４０１〜Ｒ４１１と同義である。）
【０３６２】
一実施形態においては、前記一般式（４１−５）のＡ１環としての置換もしくは無置換の環形成炭素数６〜５０の芳香族炭化水素環は、
置換もしくは無置換のナフタレン環、又は
置換もしくは無置換のフルオレン環である。
【０３６３】
一実施形態においては、前記一般式（４１−５）のＡ１環としての置換もしくは無置換の環形成原子数５〜５０の複素環は、
置換もしくは無置換のジベンゾフラン環、
置換もしくは無置換のカルバゾール環、又は
置換もしくは無置換のジベンゾチオフェン環である。
【０３６４】
一実施形態においては、前記一般式（４）又は前記一般式（４２）で表される化合物は、下記一般式（４６１）〜一般式（４６７）で表される化合物からなる群から選択される。
【０３６５】
【化６６】
2022002256.tif 000068
【０３６６】
【化６７】
2022002256.tif 000069
【０３６７】
【化６８】
2022002256.tif 000070
【０３６８】
【化６９】
2022002256.tif 000071
【０３６９】
【化７０】
2022002256.tif 000072
【０３７０】
（前記一般式（４６１）、一般式（４６２）、一般式（４６３）、一般式（４６４）、一般式（４６５）、一般式（４６６）及び一般式（４６７）中、
Ｒ４２１〜Ｒ４２７は、それぞれ独立に、前記一般式（４−１）におけるＲ４２１〜Ｒ４２７と同義であり、
Ｒ４３１〜Ｒ４３８は、それぞれ独立に、前記一般式（４−２）におけるＲ４３１〜Ｒ４３８と同義であり、
Ｒ４４０〜Ｒ４４８並びにＲ４５１〜Ｒ４５４は、それぞれ独立に、前記一般式（４２）におけるＲ４０１〜Ｒ４１１と同義であり、
Ｘ４は、酸素原子、ＮＲ８０１、又はＣ（Ｒ８０２）（Ｒ８０３）であり、
Ｒ８０１、Ｒ８０２及びＲ８０３は、それぞれ独立に、
水素原子、
置換もしくは無置換の炭素数１〜５０のアルキル基、
置換もしくは無置換の環形成炭素数３〜５０のシクロアルキル基、
置換もしくは無置換の環形成炭素数６〜５０のアリール基、又は
置換もしくは無置換の環形成原子数５〜５０の複素環基であり、
置換もしくは無置換の炭素数１〜５０のアルキル基、又は
置換もしくは無置換の環形成炭素数６〜５０のアリール基であり、
Ｒ８０１が複数存在する場合、複数のＲ８０１は、互いに同一であるか又は異なり、
Ｒ８０２が複数存在する場合、複数のＲ８０２は、互いに同一であるか又は異なり、
Ｒ８０３が複数存在する場合、複数のＲ８０３は、互いに同一であるか又は異なる。）
【０３７１】
一実施形態において、前記一般式（４２）で表される化合物は、Ｒ４０１〜Ｒ４１１のうちの隣接する２つ以上からなる組の１組以上が、互いに結合して、置換もしくは無置換の単環を形成するか、又は互いに結合して、置換もしくは無置換の縮合環を形成し、当該実施形態について、以下一般式（４５）で表される化合物として詳述する。
【０３７２】
（一般式（４５）で表される化合物）
一般式（４５）で表される化合物について説明する。
【０３７３】
【化７１】
2022002256.tif 000073
【０３７４】
（前記一般式（４５）において、
Ｒ４６１とＲ４６２とからなる組、Ｒ４６２とＲ４６３とからなる組、Ｒ４６４とＲ４６５とからなる組、Ｒ４６５とＲ４６６とからなる組、Ｒ４６６とＲ４６７とからなる組、Ｒ４６８とＲ４６９とからなる組、Ｒ４６９とＲ４７０とからなる組、及び、Ｒ４７０とＲ４７１とからなる組からなる群から選択される組のうち２以上は、互いに結合して、置換もしくは無置換の単環又は置換もしくは無置換の縮合環を形成し、
ただし、
Ｒ４６１とＲ４６２とからなる組及びＲ４６２とＲ４６３とからなる組；
Ｒ４６４とＲ４６５とからなる組及びＲ４６５とＲ４６６とからなる組；
Ｒ４６５とＲ４６６とからなる組及びＲ４６６とＲ４６７とからなる組；
Ｒ４６８とＲ４６９とからなる組及びＲ４６９とＲ４７０とからなる組；並びに
Ｒ４６９とＲ４７０とからなる組及びＲ４７０とＲ４７１とからなる組が、同時に環を形成することはなく、
Ｒ４６１〜Ｒ４７１が形成する２つ以上の環は、互いに同一であるか、又は異なり、
前記単環を形成せず、かつ前記縮合環を形成しないＲ４６１〜Ｒ４７１は、それぞれ独立に、
水素原子、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｓｉ（Ｒ９０１）（Ｒ９０２）（Ｒ９０３）で表される基、
−Ｏ−（Ｒ９０４）で表される基、
−Ｓ−（Ｒ９０５）、−Ｎ（Ｒ９０６）（Ｒ９０７）で表される基、
ハロゲン原子、
シアノ基、
ニトロ基、
置換もしくは無置換の環形成炭素数６〜５０のアリール基、又は
置換もしくは無置換の環形成原子数５〜５０の複素環基である。）
【０３７５】
前記一般式（４５）において、ＲｎとＲｎ＋１（ｎは４６１、４６２、４６４〜４６６、及び４６８〜４７０から選ばれる整数を表す）は互いに結合して、ＲｎとＲｎ＋１が結合する２つの環形成炭素原子と共に、置換もしくは無置換の単環又は置換もしくは無置換の縮合環を形成する。当該環は、好ましくは、炭素原子、酸素原子、硫黄原子及び窒素原子からなる群から選択される原子で構成され、当該環の原子数は、好ましくは３〜７であり、より好ましくは５又は６である。
【０３７６】
前記一般式（４５）で表される化合物における上記の環構造の数は、例えば、２つ、３つ、又は４つである。２つ以上の環構造は、それぞれ前記一般式（４５）の母骨格上の同一のベンゼン環上に存在してもよいし、異なるベンゼン環上に存在してもよい。例えば、環構造を３つ有する場合、前記一般式（４５）の３つのベンゼン環のそれぞれに１つずつ環構造が存在してもよい。
【０３７７】
前記一般式（４５）で表される化合物における上記の環構造としては、例えば、下記一般式（４５１）〜（４６０）で表される構造等が挙げられる。
【０３７８】
【化７２】
2022002256.tif 000074
【０３７９】
（前記一般式（４５１）〜（４５７）において、
＊１と＊２、＊３と＊４、＊５と＊６、＊７と＊８、＊９と＊１０、＊１１と＊１２及び＊１３と＊１４のそれぞれは、ＲｎとＲｎ＋１が結合する前記２つの環形成炭素原子を表し、
Ｒｎが結合する環形成炭素原子は、＊１と＊２、＊３と＊４、＊５と＊６、＊７と＊８、＊９と＊１０、＊１１と＊１２及び＊１３と＊１４が表す２つの環形成炭素原子のどちらであってもよく、
Ｘ４５は、Ｃ（Ｒ４５１２）（Ｒ４５１３）、ＮＲ４５１４、酸素原子又は硫黄原子であり、
Ｒ４５０１〜Ｒ４５０６及びＲ４５１２〜Ｒ４５１３のうちの隣接する２つ以上からなる組の１組以上が、
互いに結合して、置換もしくは無置換の単環を形成するか、
互いに結合して、置換もしくは無置換の縮合環を形成するか、又は
互いに結合せず、
前記単環を形成せず、かつ前記縮合環を形成しないＲ４５０１〜Ｒ４５１４は、それぞれ独立に、前記一般式（４５）におけるＲ４６１〜Ｒ４７１と同義である。）
【０３８０】
【化７３】
2022002256.tif 000075
【０３８１】
（前記一般式（４５８）〜（４６０）において、
＊１と＊２、及び＊３と＊４のそれぞれは、ＲｎとＲｎ＋１が結合する前記２つの環形成炭素原子を表し、
Ｒｎが結合する環形成炭素原子は、＊１と＊２、又は＊３と＊４が表す２つの環形成炭素原子のどちらであってもよく、
Ｘ４５は、Ｃ（Ｒ４５１２）（Ｒ４５１３）、ＮＲ４５１４、酸素原子又は硫黄原子であり、
Ｒ４５１２〜Ｒ４５１３及びＲ４５１５〜〜Ｒ４５２５のうちの隣接する２つ以上からなる組の１組以上が、
互いに結合して、置換もしくは無置換の単環を形成するか、
互いに結合して、置換もしくは無置換の縮合環を形成するか、又は
互いに結合せず、
前記単環を形成せず、かつ前記縮合環を形成しないＲ４５１２〜Ｒ４５１３、Ｒ４５１５〜Ｒ４５２１及びＲ４５２２〜Ｒ４５２５、並びにＲ４５１４は、それぞれ独立に、前記一般式（４５）におけるＲ４６１〜Ｒ４７１と同義である。）
【０３８２】
前記一般式（４５）において、Ｒ４６２、Ｒ４６４、Ｒ４６５、Ｒ４７０及びＲ４７１の少なくとも１つ（好ましくは、Ｒ４６２、Ｒ４６５及びＲ４７０の少なくとも１つ、さらに好ましくはＲ４６２）が、環構造を形成しない基であると好ましい。
【０３８３】
（ｉ）前記一般式（４５）において、ＲｎとＲｎ＋１により形成される環構造が置換基を有する場合の置換基、
（ｉｉ）前記一般式（４５）において、環構造を形成しないＲ４６１〜Ｒ４７１、及び
（ｉｉｉ）式（４５１）〜（４６０）におけるＲ４５０１〜Ｒ４５１４、Ｒ４５１５〜〜Ｒ４５２５は、好ましくは、それぞれ独立に、
水素原子、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｎ（Ｒ９０６）（Ｒ９０７）で表される基、
置換もしくは無置換の環形成炭素数６〜５０のアリール基、
置換もしくは無置換の環形成原子数５〜５０の複素環基、又は
下記一般式（４６１）〜一般式（４６４）で表される基からなる群から選択される基のいずれかである。
【０３８４】
【化７４】
2022002256.tif 000076
【０３８５】
（前記一般式（４６１）〜（４６４）中、
Ｒｄは、それぞれ独立に、
水素原子、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｓｉ（Ｒ９０１）（Ｒ９０２）（Ｒ９０３）で表される基、
−Ｏ−（Ｒ９０４）で表される基、
−Ｓ−（Ｒ９０５）で表される基、
−Ｎ（Ｒ９０６）（Ｒ９０７）で表される基、
ハロゲン原子、
シアノ基、
ニトロ基、
置換もしくは無置換の環形成炭素数６〜５０のアリール基、又は
置換もしくは無置換の環形成原子数５〜５０の複素環基であり、
Ｘ４６は、Ｃ（Ｒ８０１）（Ｒ８０２）、ＮＲ８０３、酸素原子又は硫黄原子であり、
Ｒ８０１、Ｒ８０２及びＲ８０３は、それぞれ独立に、
水素原子、
置換もしくは無置換の炭素数１〜５０のアルキル基、
置換もしくは無置換の環形成炭素数３〜５０のシクロアルキル基、
置換もしくは無置換の環形成炭素数６〜５０のアリール基、又は
置換もしくは無置換の環形成原子数５〜５０の複素環基であり、
置換もしくは無置換の炭素数１〜５０のアルキル基、又は
置換もしくは無置換の環形成炭素数６〜５０のアリール基であり、
Ｒ８０１が複数存在する場合、複数のＲ８０１は、互いに同一であるか又は異なり、
Ｒ８０２が複数存在する場合、複数のＲ８０２は、互いに同一であるか又は異なり、
Ｒ８０３が複数存在する場合、複数のＲ８０３は、互いに同一であるか又は異なり、
ｐ１は、５であり、
ｐ２は、４であり、
ｐ３は、３であり、
ｐ４は、７であり、
前記一般式（４６１）〜（４６４）中の＊は、それぞれ独立に、環構造との結合位置を示す。）
第三の化合物において、Ｒ９０１〜Ｒ９０７は、前述のように定義した通りである。
【０３８６】
一実施形態において、前記一般式（４５）で表される化合物は、下記一般式（４５−１）〜（４５−６）のいずれかで表される。
【０３８７】
【化７５】
2022002256.tif 000077
【０３８８】
【化７６】
2022002256.tif 000078
【０３８９】
（前記一般式（４５−１）〜（４５−６）において、
環ｄ〜ｉは、それぞれ独立に、置換もしくは無置換の単環又は置換もしくは無置換の縮合環であり、
Ｒ４６１〜Ｒ４７１は、それぞれ独立に、前記一般式（４５）におけるＲ４６１〜Ｒ４７１と同義である。）
【０３９０】
一実施形態において、前記一般式（４５）で表される化合物は、下記一般式（４５−７）〜（４５−１２）のいずれかで表される。
【０３９１】
【化７７】
2022002256.tif 000079
【０３９２】
【化７８】
2022002256.tif 000080
【０３９３】
（前記一般式（４５−７）〜（４５−１２）において、
環ｄ〜ｆ、ｋ、ｊは、それぞれ独立に、置換もしくは無置換の単環又は置換もしくは無置換の縮合環であり、
Ｒ４６１〜Ｒ４７１は、それぞれ独立に、前記一般式（４５）におけるＲ４６１〜Ｒ４７１と同義である。）
【０３９４】
一実施形態において、前記一般式（４５）で表される化合物は、下記一般式（４５−１３）〜（４５−２１）のいずれかで表される。
【０３９５】
【化７９】
2022002256.tif 000081
【０３９６】
【化８０】
2022002256.tif 000082
【０３９７】
【化８１】
2022002256.tif 000083
【０３９８】
（前記一般式（４５−１３）〜（４５−２１）において、
環ｄ〜ｋは、それぞれ独立に、置換もしくは無置換の単環又は置換もしくは無置換の縮合環であり、
Ｒ４６１〜Ｒ４７１は、それぞれ独立に、前記一般式（４５）におけるＲ４６１〜Ｒ４７１と同義である。）
【０３９９】
前記環ｇ又は前記環ｈがさらに置換基を有する場合の置換基としては、例えば、
置換もしくは無置換の炭素数１〜５０のアルキル基、
置換もしくは無置換の環形成炭素数６〜５０のアリール基、
前記一般式（４６１）で表される基、
前記一般式（４６３）で表される基、又は
前記一般式（４６４）で表される基が挙げられる。
【０４００】
一実施形態において、前記一般式（４５）で表される化合物は、下記一般式（４５−２２）〜（４５−２５）のいずれかで表される。
【０４０１】
【化８２】
2022002256.tif 000084
【０４０２】
（前記一般式（４５−２２）〜（４５−２５）において、
Ｘ４６及びＸ４７は、それぞれ独立に、Ｃ（Ｒ８０１）（Ｒ８０２）、ＮＲ８０３、酸素原子又は硫黄原子であり、
Ｒ４６１〜Ｒ４７１並びにＲ４８１〜Ｒ４８８は、それぞれ独立に、前記一般式（４５）におけるＲ４６１〜Ｒ４７１と同義である。
Ｒ８０１、Ｒ８０２及びＲ８０３は、それぞれ独立に、
水素原子、
置換もしくは無置換の炭素数１〜５０のアルキル基、
置換もしくは無置換の環形成炭素数３〜５０のシクロアルキル基、
置換もしくは無置換の環形成炭素数６〜５０のアリール基、又は
置換もしくは無置換の環形成原子数５〜５０の複素環基であり、
置換もしくは無置換の炭素数１〜５０のアルキル基、又は
置換もしくは無置換の環形成炭素数６〜５０のアリール基であり、
Ｒ８０１が複数存在する場合、複数のＲ８０１は、互いに同一であるか又は異なり、
Ｒ８０２が複数存在する場合、複数のＲ８０２は、互いに同一であるか又は異なり、
Ｒ８０３が複数存在する場合、複数のＲ８０３は、互いに同一であるか又は異なる。）
【０４０３】
一実施形態において、前記一般式（４５）で表される化合物は、下記一般式（４５−２６）で表される。
【０４０４】
【化８３】
2022002256.tif 000085
【０４０５】
（前記一般式（４５−２６）において、
Ｘ４６は、Ｃ（Ｒ８０１）（Ｒ８０２）、ＮＲ８０３、酸素原子又は硫黄原子であり、
Ｒ４６３、Ｒ４６４、Ｒ４６７、Ｒ４６８、Ｒ４７１、及びＲ４８１〜Ｒ４９２は、それぞれ独立に、前記一般式（４５）におけるＲ４６１〜Ｒ４７１と同義である。
Ｒ８０１、Ｒ８０２及びＲ８０３は、それぞれ独立に、
水素原子、
置換もしくは無置換の炭素数１〜５０のアルキル基、
置換もしくは無置換の環形成炭素数３〜５０のシクロアルキル基、
置換もしくは無置換の環形成炭素数６〜５０のアリール基、又は
置換もしくは無置換の環形成原子数５〜５０の複素環基であり、
置換もしくは無置換の炭素数１〜５０のアルキル基、又は
置換もしくは無置換の環形成炭素数６〜５０のアリール基であり、
Ｒ８０１が複数存在する場合、複数のＲ８０１は、互いに同一であるか又は異なり、
Ｒ８０２が複数存在する場合、複数のＲ８０２は、互いに同一であるか又は異なり、
Ｒ８０３が複数存在する場合、複数のＲ８０３は、互いに同一であるか又は異なる。）
【０４０６】
（一般式（４）で表される化合物の具体例）
前記一般式（４）で表される化合物としては、例えば、以下に示す化合物が具体例として挙げられる。下記具体例中、Ｐｈは、フェニル基を示し、Ｄは、重水素原子を示す。
【０４０７】
【化８４】
2022002256.tif 000086
【０４０８】
【化８５】
2022002256.tif 000087
【０４０９】
【化８６】
2022002256.tif 000088
【０４１０】
【化８７】
2022002256.tif 000089
【０４１１】
【化８８】
2022002256.tif 000090
【０４１２】
【化８９】
2022002256.tif 000091
【０４１３】
【化９０】
2022002256.tif 000092
【０４１４】
【化９１】
2022002256.tif 000093
【０４１５】
【化９２】
2022002256.tif 000094
【０４１６】
【化９３】
2022002256.tif 000095
【０４１７】
（一般式（５）で表される化合物）
一般式（５）で表される化合物について説明する。一般式（５）で表される化合物は、上述した一般式（４１−３）で表される化合物に対応する化合物である。
【０４１８】
【化９４】
2022002256.tif 000096
【０４１９】
（前記一般式（５）において、
Ｒ５０１〜Ｒ５０７及びＲ５１１〜Ｒ５１７のうち隣接する２つ以上からなる組の１組以上が、
互いに結合して、置換もしくは無置換の単環を形成するか、
互いに結合して、置換もしくは無置換の縮合環を形成するか、又は
互いに結合せず、
前記単環を形成せず、かつ前記縮合環を形成しないＲ５０１〜Ｒ５０７及びＲ５１１〜Ｒ５１７は、それぞれ独立に、
水素原子、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｓｉ（Ｒ９０１）（Ｒ９０２）（Ｒ９０３）で表される基、
−Ｏ−（Ｒ９０４）で表される基、
−Ｓ−（Ｒ９０５）で表される基、
−Ｎ（Ｒ９０６）（Ｒ９０７）で表される基、
ハロゲン原子、
シアノ基、
ニトロ基、
置換もしくは無置換の環形成炭素数６〜５０のアリール基、又は
置換もしくは無置換の環形成原子数５〜５０の複素環基である。
Ｒ５２１及びＲ５２２は、それぞれ独立に、
水素原子、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｓｉ（Ｒ９０１）（Ｒ９０２）（Ｒ９０３）で表される基、
−Ｏ−（Ｒ９０４）で表される基、
−Ｓ−（Ｒ９０５）で表される基、
−Ｎ（Ｒ９０６）（Ｒ９０７）で表される基、
ハロゲン原子、
シアノ基、
ニトロ基、
置換もしくは無置換の環形成炭素数６〜５０のアリール基、又は
置換もしくは無置換の環形成原子数５〜５０の複素環基である。）
【０４２０】
「Ｒ５０１〜Ｒ５０７及びＲ５１１〜Ｒ５１７のうちの隣接する２つ以上からなる組の１組」は、例えば、Ｒ５０１とＲ５０２からなる組、Ｒ５０２とＲ５０３からなる組、Ｒ５０３とＲ５０４からなる組、Ｒ５０５とＲ５０６からなる組、Ｒ５０６とＲ５０７からなる組、Ｒ５０１とＲ５０２とＲ５０３からなる組等の組合せである。
【０４２１】
一実施形態において、Ｒ５０１〜Ｒ５０７及びＲ５１１〜Ｒ５１７の少なくとも１つ、好ましくは２つが−Ｎ（Ｒ９０６）（Ｒ９０７）で表される基である。
【０４２２】
一実施形態においては、Ｒ５０１〜Ｒ５０７及びＲ５１１〜Ｒ５１７は、それぞれ独立に、
水素原子、
置換もしくは無置換の環形成炭素数６〜５０のアリール基、又は
置換もしくは無置換の環形成原子数５〜５０の複素環基である。
【０４２３】
一実施形態においては、前記一般式（５）で表される化合物は、下記一般式（５２）で表される化合物である。
【０４２４】
【化９５】
2022002256.tif 000097
【０４２５】
（前記一般式（５２）において、
Ｒ５３１〜Ｒ５３４及びＲ５４１〜Ｒ５４４のうちの隣接する２つ以上からなる組の１組以上が、
互いに結合して、置換もしくは無置換の単環を形成するか、
互いに結合して、置換もしくは無置換の縮合環を形成するか、又は
互いに結合せず、
前記単環を形成せず、かつ前記縮合環を形成しないＲ５３１〜Ｒ５３４、Ｒ５４１〜Ｒ５４４、並びにＲ５５１及びＲ５５２は、それぞれ独立に、
水素原子、
置換もしくは無置換の環形成炭素数６〜５０のアリール基、又は
置換もしくは無置換の環形成原子数５〜５０の複素環基であり、
Ｒ５６１〜Ｒ５６４は、それぞれ独立に、
置換もしくは無置換の環形成炭素数６〜５０のアリール基、又は
置換もしくは無置換の環形成原子数５〜５０の複素環基である。）
【０４２６】
一実施形態においては、前記一般式（５）で表される化合物は、下記一般式（５３）で表される化合物である。
【０４２７】
【化９６】
2022002256.tif 000098
【０４２８】
（前記一般式（５３）において、Ｒ５５１、Ｒ５５２及びＲ５６１〜Ｒ５６４は、それぞれ独立に、前記一般式（５２）におけるＲ５５１、Ｒ５５２及びＲ５６１〜Ｒ５６４と同義である。）
【０４２９】
一実施形態においては、前記一般式（５２）及び一般式（５３）におけるＲ５６１〜Ｒ５６４は、それぞれ独立に、置換もしくは無置換の環形成炭素数６〜５０のアリール基（好ましくはフェニル基）である。
【０４３０】
一実施形態においては、前記一般式（５）におけるＲ５２１及びＲ５２２、前記一般式（５２）及び一般式（５３）におけるＲ５５１及びＲ５５２は、水素原子である。
【０４３１】
一実施形態においては、前記一般式（５）、一般式（５２）及び一般式（５３）における、「置換もしくは無置換の」という場合における置換基は、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
置換もしくは無置換の環形成炭素数６〜５０のアリール基、又は
置換もしくは無置換の環形成原子数５〜５０の複素環基である。
【０４３２】
（一般式（５）で表される化合物の具体例）
前記一般式（５）で表される化合物としては、例えば、以下に示す化合物が具体例として挙げられる。
【０４３３】
【化９７】
2022002256.tif 000099
【０４３４】
【化９８】
2022002256.tif 000100
【０４３５】
【化９９】
2022002256.tif 000101
【０４３６】
【化１００】
2022002256.tif 000102
【０４３７】
【化１０１】
2022002256.tif 000103
【０４３８】
【化１０２】
2022002256.tif 000104
【０４３９】
【化１０３】
2022002256.tif 000105
【０４４０】
【化１０４】
2022002256.tif 000106
【０４４１】
【化１０５】
2022002256.tif 000107
【０４４２】
【化１０６】
2022002256.tif 000108
【０４４３】
【化１０７】
2022002256.tif 000109
【０４４４】
【化１０８】
2022002256.tif 000110
【０４４５】
【化１０９】
2022002256.tif 000111
【０４４６】
【化１１０】
2022002256.tif 000112
【０４４７】
【化１１１】
2022002256.tif 000113
【０４４８】
【化１１２】
2022002256.tif 000114
【０４４９】
（一般式（６）で表される化合物）
一般式（６）で表される化合物について説明する。
【０４５０】
【化１１３】
2022002256.tif 000115
【０４５１】
（前記一般式（６）において、
ａ環、ｂ環及びｃ環は、それぞれ独立に、
置換もしくは無置換の環形成炭素数６〜５０の芳香族炭化水素環、又は
置換もしくは無置換の環形成原子数５〜５０の複素環であり、
Ｒ６０１及びＲ６０２は、それぞれ独立に、前記ａ環、ｂ環又はｃ環と結合して、置換もしくは無置換の複素環を形成するか、あるいは置換もしくは無置換の複素環を形成せず、
前記置換もしくは無置換の複素環を形成しないＲ６０１及びＲ６０２は、それぞれ独立に、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
置換もしくは無置換の環形成炭素数６〜５０のアリール基、又は
置換もしくは無置換の環形成原子数５〜５０の複素環基である。）
【０４５２】
ａ環、ｂ環及びｃ環は、ホウ素原子及び２つの窒素原子から構成される前記一般式（６）中央の縮合２環構造に縮合する環（置換もしくは無置換の環形成炭素数６〜５０の芳香族炭化水素環、又は置換もしくは無置換の環形成原子数５〜５０の複素環）である。
【０４５３】
ａ環、ｂ環及びｃ環の「芳香族炭化水素環」は、上述した「アリール基」に水素原子を導入した化合物と同じ構造である。
ａ環の「芳香族炭化水素環」は、前記一般式（６）中央の縮合２環構造上の炭素原子３つを環形成原子として含む。
ｂ環及びｃ環の「芳香族炭化水素環」は、前記一般式（６）中央の縮合２環構造上の炭素原子２つを環形成原子として含む。
【０４５４】
「置換もしくは無置換の環形成炭素数６〜５０の芳香族炭化水素環」の具体例としては、具体例群Ｇ１に記載の「アリール基」に水素原子を導入した化合物等が挙げられる。
ａ環、ｂ環及びｃ環の「複素環」は、上述した「複素環基」に水素原子を導入した化合物と同じ構造である。
ａ環の「複素環」は、前記一般式（６）中央の縮合２環構造上の炭素原子３つを環形成原子として含む。ｂ環及びｃ環の「複素環」は、前記一般式（６）中央の縮合２環構造上の炭素原子２つを環形成原子として含む。「置換もしくは無置換の環形成原子数５〜５０の複素環」の具体例としては、具体例群Ｇ２に記載の「複素環基」に水素原子を導入した化合物等が挙げられる。
【０４５５】
Ｒ６０１及びＲ６０２は、それぞれ独立に、ａ環、ｂ環又はｃ環と結合して、置換もしくは無置換の複素環を形成してもよい。この場合における複素環は、前記一般式（６）中央の縮合２環構造上の窒素原子を含む。この場合における複素環は、窒素原子以外のヘテロ原子を含んでいてもよい。Ｒ６０１及びＲ６０２がａ環、ｂ環又はｃ環と結合するとは、具体的には、ａ環、ｂ環又はｃ環を構成する原子とＲ６０１及びＲ６０２を構成する原子が結合することを意味する。例えば、Ｒ６０１がａ環と結合して、Ｒ６０１を含む環とａ環が縮合した２環縮合（又は３環縮合以上）の含窒素複素環を形成してもよい。当該含窒素複素環の具体例としては、具体例群Ｇ２のうち、窒素を含む２環縮合以上の複素環基に対応する化合物等が挙げられる。
Ｒ６０１がｂ環と結合する場合、Ｒ６０２がａ環と結合する場合、及びＲ６０２がｃ環と結合する場合も上記と同じである。
【０４５６】
一実施形態において、前記一般式（６）におけるａ環、ｂ環及びｃ環は、それぞれ独立に、置換もしくは無置換の環形成炭素数６〜５０の芳香族炭化水素環である。
一実施形態において、前記一般式（６）におけるａ環、ｂ環及びｃ環は、それぞれ独立に、置換もしくは無置換のベンゼン環又はナフタレン環である。
【０４５７】
一実施形態において、前記一般式（６）におけるＲ６０１及びＲ６０２は、それぞれ独立に、
置換もしくは無置換の環形成炭素数６〜５０のアリール基、又は
置換もしくは無置換の環形成原子数５〜５０の複素環基であり、
好ましくは置換もしくは無置換の環形成炭素数６〜５０のアリール基である。
【０４５８】
一実施形態において、前記一般式（６）で表される化合物は下記一般式（６２）で表される化合物である。
【０４５９】
【化１１４】
2022002256.tif 000116
【０４６０】
（前記一般式（６２）において、
Ｒ６０１Ａは、Ｒ６１１及びＲ６２１からなる群から選択される１以上と結合して、置換もしくは無置換の複素環を形成するか、あるいは置換もしくは無置換の複素環を形成せず、
Ｒ６０２Ａは、Ｒ６１３及びＲ６１４からなる群から選択される１以上と結合して、置換もしくは無置換の複素環を形成するか、あるいは置換もしくは無置換の複素環を形成せず、
前記置換もしくは無置換の複素環を形成しないＲ６０１Ａ及びＲ６０２Ａは、それぞれ独立に、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
置換もしくは無置換の環形成炭素数６〜５０のアリール基、又は
置換もしくは無置換の環形成原子数５〜５０の複素環基であり、
Ｒ６１１〜Ｒ６２１のうちの隣接する２つ以上からなる組の１組以上が、
互いに結合して、置換もしくは無置換の単環を形成するか、
互いに結合して、置換もしくは無置換の縮合環を形成するか、又は
互いに結合せず、
前記置換もしくは無置換の複素環を形成せず、前記単環を形成せず、かつ前記縮合環を形成しないＲ６１１〜Ｒ６２１は、それぞれ独立に、
水素原子、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｓｉ（Ｒ９０１）（Ｒ９０２）（Ｒ９０３）で表される基、
−Ｏ−（Ｒ９０４）で表される基、
−Ｓ−（Ｒ９０５）で表される基、
−Ｎ（Ｒ９０６）（Ｒ９０７）で表される基、
ハロゲン原子、
シアノ基、
ニトロ基、
置換もしくは無置換の環形成炭素数６〜５０のアリール基、又は
置換もしくは無置換の環形成原子数５〜５０の複素環基である。）
【０４６１】
前記一般式（６２）のＲ６０１Ａ及びＲ６０２Ａは、それぞれ、前記一般式（６）のＲ６０１及びＲ６０２に対応する基である。
例えば、Ｒ６０１ＡとＲ６１１が結合して、これらを含む環とａ環に対応するベンゼン環が縮合した２環縮合（又は３環縮合以上）の含窒素複素環を形成してもよい。当該含窒素複素環の具体例としては、具体例群Ｇ２のうち、窒素を含む２環縮合以上の複素環基に対応する化合物等が挙げられる。Ｒ６０１ＡとＲ６２１が結合する場合、Ｒ６０２ＡとＲ６１３が結合する場合、及びＲ６０２ＡとＲ６１４が結合する場合も上記と同じである。
【０４６２】
Ｒ６１１〜Ｒ６２１のうちの隣接する２つ以上からなる組の１組以上が、
互いに結合して、置換もしくは無置換の単環を形成するか、又は
互いに結合して、置換もしくは無置換の縮合環を形成してもよい。
例えば、Ｒ６１１とＲ６１２が結合して、これらが結合する６員環に対して、ベンゼン環、インドール環、ピロール環、ベンゾフラン環又はベンゾチオフェン環等が縮合した構造を形成してもよく、形成された縮合環は、ナフタレン環、カルバゾール環、インドール環、ジベンゾフラン環又はジベンゾチオフェン環となる。
【０４６３】
一実施形態において、環形成に寄与しないＲ６１１〜Ｒ６２１は、それぞれ独立に、
水素原子、
置換もしくは無置換の炭素数１〜５０のアルキル基、
置換もしくは無置換の環形成炭素数６〜５０のアリール基、又は
置換もしくは無置換の環形成原子数５〜５０の複素環基である。
【０４６４】
一実施形態において、環形成に寄与しないＲ６１１〜Ｒ６２１は、それぞれ独立に、
水素原子、
置換もしくは無置換の環形成炭素数６〜５０のアリール基、又は
置換もしくは無置換の環形成原子数５〜５０の複素環基である。
【０４６５】
一実施形態において、環形成に寄与しないＲ６１１〜Ｒ６２１は、それぞれ独立に、
水素原子、又は
置換もしくは無置換の炭素数１〜５０のアルキル基である。
【０４６６】
一実施形態において、環形成に寄与しないＲ６１１〜Ｒ６２１は、それぞれ独立に、
水素原子、又は
置換もしくは無置換の炭素数１〜５０のアルキル基であり、
Ｒ６１１〜Ｒ６２１のうち少なくとも１つは、置換もしくは無置換の炭素数１〜５０のアルキル基である。
【０４６７】
一実施形態において、前記一般式（６２）で表される化合物は、下記一般式（６３）で表される化合物である。
【０４６８】
【化１１５】
2022002256.tif 000117
【０４６９】
（前記一般式（６３）において、
Ｒ６３１は、Ｒ６４６と結合して、置換もしくは無置換の複素環を形成するか、あるいは置換もしくは無置換の複素環を形成せず、
Ｒ６３３は、Ｒ６４７と結合して、置換もしくは無置換の複素環を形成するか、あるいは置換もしくは無置換の複素環を形成せず、
Ｒ６３４は、Ｒ６５１と結合して、置換もしくは無置換の複素環を形成するか、あるいは置換もしくは無置換の複素環を形成せず、
Ｒ６４１は、Ｒ６４２と結合して、置換もしくは無置換の複素環を形成するか、あるいは置換もしくは無置換の複素環を形成せず、
Ｒ６３１〜Ｒ６５１のうちの隣接する２つ以上からなる組の１組以上が、
互いに結合して、置換もしくは無置換の単環を形成するか、
互いに結合して、置換もしくは無置換の縮合環を形成するか、又は
互いに結合せず、
前記置換もしくは無置換の複素環を形成せず、前記単環を形成せず、かつ前記縮合環を形成しないＲ６３１〜Ｒ６５１は、それぞれ独立に、
水素原子、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｓｉ（Ｒ９０１）（Ｒ９０２）（Ｒ９０３）で表される基、
−Ｏ−（Ｒ９０４）で表される基、
−Ｓ−（Ｒ９０５）で表される基、
−Ｎ（Ｒ９０６）（Ｒ９０７）で表される基、
ハロゲン原子、
シアノ基、
ニトロ基、
置換もしくは無置換の環形成炭素数６〜５０のアリール基、又は
置換もしくは無置換の環形成原子数５〜５０の複素環基である。）
【０４７０】
Ｒ６３１は、Ｒ６４６と結合して、置換もしくは無置換の複素環を形成してもよい。例えば、Ｒ６３１とＲ６４６が結合して、Ｒ６４６が結合するベンゼン環と、Ｎを含む環と、ａ環に対応するベンゼン環とが縮合した３環縮合以上の含窒素複素環を形成してもよい。当該含窒素複素環の具体例としては、具体例群Ｇ２のうち、窒素を含む３環縮合以上の複素環基に対応する化合物等が挙げられる。Ｒ６３３とＲ６４７が結合する場合、Ｒ６３４とＲ６５１が結合する場合、及びＲ６４１とＲ６４２が結合する場合も上記と同じである。
【０４７１】
一実施形態において、環形成に寄与しないＲ６３１〜Ｒ６５１は、それぞれ独立に、
水素原子、
置換もしくは無置換の炭素数１〜５０のアルキル基、
置換もしくは無置換の環形成炭素数６〜５０のアリール基、又は
置換もしくは無置換の環形成原子数５〜５０の複素環基である。
【０４７２】
一実施形態において、環形成に寄与しないＲ６３１〜Ｒ６５１は、それぞれ独立に、
水素原子、
置換もしくは無置換の環形成炭素数６〜５０のアリール基、又は
置換もしくは無置換の環形成原子数５〜５０の複素環基である。
【０４７３】
一実施形態において、環形成に寄与しないＲ６３１〜Ｒ６５１は、それぞれ独立に、
水素原子、又は
置換もしくは無置換の炭素数１〜５０のアルキル基である。
【０４７４】
一実施形態において、環形成に寄与しないＲ６３１〜Ｒ６５１は、それぞれ独立に、
水素原子、又は
置換もしくは無置換の炭素数１〜５０のアルキル基であり、
Ｒ６３１〜Ｒ６５１のうち少なくとも１つは置換もしくは無置換の炭素数１〜５０のアルキル基である。
【０４７５】
一実施形態において、前記一般式（６３）で表される化合物は、下記一般式（６３Ａ）で表される化合物である。
【０４７６】
【化１１６】
2022002256.tif 000118
【０４７７】
（前記一般式（６３Ａ）において、
Ｒ６６１は、
水素原子、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、又は
置換もしくは無置換の環形成炭素数６〜５０のアリール基であり、
Ｒ６６２〜Ｒ６６５は、それぞれ独立に、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、又は
置換もしくは無置換の環形成炭素数６〜５０のアリール基である。）
【０４７８】
一実施形態において、Ｒ６６１〜Ｒ６６５は、それぞれ独立に、
置換もしくは無置換の炭素数１〜５０のアルキル基、又は
置換もしくは無置換の環形成炭素数６〜５０のアリール基である。
【０４７９】
一実施形態において、Ｒ６６１〜Ｒ６６５は、それぞれ独立に、置換もしくは無置換の炭素数１〜５０のアルキル基である。
【０４８０】
一実施形態において、前記一般式（６３）で表される化合物は、下記一般式（６３Ｂ）で表される化合物である。
【０４８１】
【化１１７】
2022002256.tif 000119
【０４８２】
（前記一般式（６３Ｂ）において、
Ｒ６７１及びＲ６７２は、それぞれ独立に、
水素原子、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｎ（Ｒ９０６）（Ｒ９０７）で表される基、又は
置換もしくは無置換の環形成炭素数６〜５０のアリール基であり、
Ｒ６７３〜Ｒ６７５は、それぞれ独立に、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｎ（Ｒ９０６）（Ｒ９０７）で表される基、又は
置換もしくは無置換の環形成炭素数６〜５０のアリール基である。）
【０４８３】
一実施形態において、前記一般式（６３）で表される化合物は、下記一般式（６３Ｂ’）で表される化合物である。
【０４８４】
【化１１８】
2022002256.tif 000120
【０４８５】
（前記一般式（６３Ｂ’）において、Ｒ６７２〜Ｒ６７５は、それぞれ独立に、前記一般式（６３Ｂ）におけるＲ６７２〜Ｒ６７５と同義である。）
【０４８６】
一実施形態において、Ｒ６７１〜Ｒ６７５のうち少なくとも１つは、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｎ（Ｒ９０６）（Ｒ９０７）で表される基、又は
置換もしくは無置換の環形成炭素数６〜５０のアリール基である。
【０４８７】
一実施形態において、
Ｒ６７２は、
水素原子、
置換もしくは無置換の炭素数１〜５０のアルキル基、
−Ｎ（Ｒ９０６）（Ｒ９０７）で表される基、又は
置換もしくは無置換の環形成炭素数６〜５０のアリール基であり、
Ｒ６７１及びＲ６７３〜Ｒ６７５は、それぞれ独立に、
置換もしくは無置換の炭素数１〜５０のアルキル基、
−Ｎ（Ｒ９０６）（Ｒ９０７）で表される基、又は
置換もしくは無置換の環形成炭素数６〜５０のアリール基である。
【０４８８】
一実施形態において、前記一般式（６３）で表される化合物は、下記一般式（６３Ｃ）で表される化合物である。
【０４８９】
【化１１９】
2022002256.tif 000121
【０４９０】
（前記一般式（６３Ｃ）において、
Ｒ６８１及びＲ６８２は、それぞれ独立に、
水素原子、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、又は
置換もしくは無置換の環形成炭素数６〜５０のアリール基である。
Ｒ６８３〜Ｒ６８６は、それぞれ独立に、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、又は
置換もしくは無置換の環形成炭素数６〜５０のアリール基である。）
【０４９１】
一実施形態において、前記一般式（６３）で表される化合物は、下記一般式（６３Ｃ’）で表される化合物である。
【０４９２】
【化１２０】
2022002256.tif 000122
【０４９３】
（前記一般式（６３Ｃ’）において、Ｒ６８３〜Ｒ６８６は、それぞれ独立に、前記一般式（６３Ｃ）におけるＲ６８３〜Ｒ６８６と同義である。）
【０４９４】
一実施形態において、Ｒ６８１〜Ｒ６８６は、それぞれ独立に、
置換もしくは無置換の炭素数１〜５０のアルキル基、又は
置換もしくは無置換の環形成炭素数６〜５０のアリール基である。
【０４９５】
一実施形態において、Ｒ６８１〜Ｒ６８６は、それぞれ独立に、置換もしくは無置換の環形成炭素数６〜５０のアリール基である。
【０４９６】
前記一般式（６）で表される化合物は、まずａ環、ｂ環及びｃ環を連結基（Ｎ−Ｒ６０１を含む基及びＮ−Ｒ６０２を含む基）で結合させることで中間体を製造し（第１反応）、ａ環、ｂ環及びｃ環を連結基（ホウ素原子を含む基）で結合させることで最終生成物を製造することができる（第２反応）。第１反応ではバッハブルト−ハートウィッグ反応等のアミノ化反応を適用できる。第２反応では、タンデムヘテロフリーデルクラフツ反応等を適用できる。
【０４９７】
（一般式（６）で表される化合物の具体例）
以下に、前記一般式（６）で表される化合物の具体例を記載するが、これらは例示に過ぎず、前記一般式（６）で表される化合物は下記具体例に限定されない。
【０４９８】
【化１２１】
2022002256.tif 000123
【０４９９】
【化１２２】
2022002256.tif 000124
【０５００】
【化１２３】
2022002256.tif 000125
【０５０１】
【化１２４】
2022002256.tif 000126
【０５０２】
【化１２５】
2022002256.tif 000127
【０５０３】
【化１２６】
2022002256.tif 000128
【０５０４】
【化１２７】
2022002256.tif 000129
【０５０５】
【化１２８】
2022002256.tif 000130
【０５０６】
【化１２９】
2022002256.tif 000131
【０５０７】
【化１３０】
2022002256.tif 000132
【０５０８】
【化１３１】
2022002256.tif 000133
【０５０９】
【化１３２】
2022002256.tif 000134
【０５１０】
（一般式（７）で表される化合物）
一般式（７）で表される化合物について説明する。
【０５１１】
【化１３３】
2022002256.tif 000135
【０５１２】
【化１３４】
2022002256.tif 000136
【０５１３】
（前記一般式（７）において、
ｒ環は、隣接環の任意の位置で縮合する前記一般式（７２）又は一般式（７３）で表される環であり、
ｑ環及びｓ環は、それぞれ独立に、隣接環の任意の位置で縮合する前記一般式（７４）で表される環であり、
ｐ環及びｔ環は、それぞれ独立に、隣接環の任意の位置で縮合する前記一般式（７５）又は一般式（７６）で表される構造であり、
Ｘ７は、酸素原子、硫黄原子、又はＮＲ７０２である。
Ｒ７０１が複数存在する場合、隣接する複数のＲ７０１は、
互いに結合して、置換もしくは無置換の単環を形成するか、
互いに結合して、置換もしくは無置換の縮合環を形成するか、又は
互いに結合せず、
前記単環を形成せず、かつ前記縮合環を形成しないＲ７０１及びＲ７０２は、それぞれ独立に、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｓｉ（Ｒ９０１）（Ｒ９０２）（Ｒ９０３）で表される基、
−Ｏ−（Ｒ９０４）で表される基、
−Ｓ−（Ｒ９０５）で表される基、
−Ｎ（Ｒ９０６）（Ｒ９０７）で表される基、
ハロゲン原子、
シアノ基、
ニトロ基、
置換もしくは無置換の環形成炭素数６〜５０のアリール基、又は
置換もしくは無置換の環形成原子数５〜５０の複素環基であり、
Ａｒ７０１及びＡｒ７０２は、それぞれ独立に、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
置換もしくは無置換の環形成炭素数６〜５０のアリール基、又は
置換もしくは無置換の環形成原子数５〜５０の複素環基であり、
Ｌ７０１は、
置換もしくは無置換の炭素数１〜５０のアルキレン基、
置換もしくは無置換の炭素数２〜５０のアルケニレン基、
置換もしくは無置換の炭素数２〜５０のアルキニレン基、
置換もしくは無置換の環形成炭素数３〜５０のシクロアルキレン基、
置換もしくは無置換の環形成炭素数６〜５０のアリーレン基、又は
置換もしくは無置換の環形成原子数５〜５０の２価の複素環基であり、
ｍ１は、０、１又は２であり、
ｍ２は、０、１、２、３又は４であり、
ｍ３は、それぞれ独立に、０、１、２又は３であり、
ｍ４は、それぞれ独立に、０、１、２、３、４又は５であり、
Ｒ７０１が複数存在する場合、複数のＲ７０１は、互いに同一であるか、又は異なり、
Ｘ７が複数存在する場合、複数のＸ７は、互いに同一であるか、又は異なり、
Ｒ７０２が複数存在する場合、複数のＲ７０２は、互いに同一であるか、又は異なり、
Ａｒ７０１が複数存在する場合、複数のＡｒ７０１は、互いに同一であるか、又は異なり、
Ａｒ７０２が複数存在する場合、複数のＡｒ７０２は、互いに同一であるか、又は異なり、
Ｌ７０１が複数存在する場合、複数のＬ７０１は、互いに同一であるか、又は異なる。）
【０５１４】
前記一般式（７）において、ｐ環、ｑ環、ｒ環、ｓ環及びｔ環の各環は、隣接環と炭素原子２つを共有して縮合する。縮合する位置及び向きは限定されず、任意の位置及び向きで縮合可能である。
【０５１５】
一実施形態において、ｒ環としての前記一般式（７２）又は一般式（７３）において、ｍ１＝０又はｍ２＝０である。
【０５１６】
一実施形態において、前記一般式（７）で表される化合物は、下記一般式（７１−１）〜（７１−６）のいずれかで表される。
【０５１７】
【化１３５】
2022002256.tif 000137
【０５１８】
【化１３６】
2022002256.tif 000138
【０５１９】
【化１３７】
2022002256.tif 000139
【０５２０】
【化１３８】
2022002256.tif 000140
【０５２１】
【化１３９】
2022002256.tif 000141
【０５２２】
【化１４０】
2022002256.tif 000142
【０５２３】
（前記一般式（７１−１）〜一般式（７１−６）において、Ｒ７０１、Ｘ７、Ａｒ７０１、Ａｒ７０２、Ｌ７０１、ｍ１及びｍ３は、それぞれ、前記一般式（７）におけるＲ７０１、Ｘ７、Ａｒ７０１、Ａｒ７０２、Ｌ７０１、ｍ１及びｍ３と同義である。）
【０５２４】
一実施形態において、前記一般式（７）で表される化合物は下記一般式（７１−１１）〜一般式（７１−１３）のいずれかで表される。
【０５２５】
【化１４１】
2022002256.tif 000143
【０５２６】
【化１４２】
2022002256.tif 000144
【０５２７】
【化１４３】
2022002256.tif 000145
【０５２８】
（前記一般式（７１−１１）〜一般式（７１−１３）において、Ｒ７０１、Ｘ７、Ａｒ７０１、Ａｒ７０２、Ｌ７０１、ｍ１、ｍ３及びｍ４は、それぞれ、前記一般式（７）におけるＲ７０１、Ｘ７、Ａｒ７０１、Ａｒ７０２、Ｌ７０１、ｍ１、ｍ３及びｍ４と同義である。）
【０５２９】
一実施形態において、前記一般式（７）で表される化合物は下記一般式（７１−２１）〜（７１−２５）のいずれかで表される。
【０５３０】
【化１４４】
2022002256.tif 000146
【０５３１】
【化１４５】
2022002256.tif 000147
【０５３２】
【化１４６】
2022002256.tif 000148
【０５３３】
【化１４７】
2022002256.tif 000149
【０５３４】
【化１４８】
2022002256.tif 000150
【０５３５】
（前記一般式（７１−２１）〜一般式（７１−２５）において、Ｒ７０１、Ｘ７、Ａｒ７０１、Ａｒ７０２、Ｌ７０１、ｍ１及びｍ４は、それぞれ、前記一般式（７）におけるＲ７０１、Ｘ７、Ａｒ７０１、Ａｒ７０２、Ｌ７０１、ｍ１及びｍ４と同義である。）
【０５３６】
一実施形態において、前記一般式（７）で表される化合物は下記一般式（７１−３１）〜一般式（７１−３３）のいずれかで表される。
【０５３７】
【化１４９】
2022002256.tif 000151
【０５３８】
【化１５０】
2022002256.tif 000152
【０５３９】
【化１５１】
2022002256.tif 000153
【０５４０】
（前記一般式（７１−３１）〜一般式（７１−３３）において、Ｒ７０１、Ｘ７、Ａｒ７０１、Ａｒ７０２、Ｌ７０１、ｍ２〜ｍ４は、それぞれ、前記一般式（７）におけるＲ７０１、Ｘ７、Ａｒ７０１、Ａｒ７０２、Ｌ７０１、ｍ２〜ｍ４と同義である。）
【０５４１】
一実施形態においては、Ａｒ７０１及びＡｒ７０２が、それぞれ独立に、置換もしくは無置換の環形成炭素数６〜５０のアリール基である。
【０５４２】
一実施形態においては、Ａｒ７０１及びＡｒ７０２の一方が置換もしくは無置換の環形成炭素数６〜５０のアリール基であり、Ａｒ７０１及びＡｒ７０２の他方が置換もしくは無置換の環形成原子数５〜５０の複素環基である。
【０５４３】
（一般式（７）で表される化合物の具体例）
前記一般式（７）で表される化合物としては、例えば、以下に示す化合物が具体例として挙げられる。
【０５４４】
【化１５２】
2022002256.tif 000154
【０５４５】
【化１５３】
2022002256.tif 000155
【０５４６】
【化１５４】
2022002256.tif 000156
【０５４７】
【化１５５】
2022002256.tif 000157
【０５４８】
【化１５６】
2022002256.tif 000158
【０５４９】
【化１５７】
2022002256.tif 000159
【０５５０】
（一般式（８）で表される化合物）
一般式（８）で表される化合物について説明する。
【０５５１】
【化１５８】
2022002256.tif 000160
【０５５２】
（前記一般式（８）において、
Ｒ８０１とＲ８０２、Ｒ８０２とＲ８０３、及びＲ８０３とＲ８０４の少なくとも一組は、互いに結合して下記一般式（８２）で示される２価の基を形成し、
Ｒ８０５とＲ８０６、Ｒ８０６とＲ８０７、及びＲ８０７とＲ８０８の少なくとも一組は、互いに結合して下記一般式（８３）で示される２価の基を形成する。）
【０５５３】
【化１５９】
2022002256.tif 000161
【０５５４】
（前記一般式（８２）で示される２価の基を形成しないＲ８０１〜Ｒ８０４、及びＲ８１１〜Ｒ８１４の少なくとも１つは下記一般式（８４）で表される１価の基であり、
前記一般式（８３）で示される２価の基を形成しないＲ８０５〜Ｒ８０８、及びＲ８２１〜Ｒ８２４の少なくとも１つは下記一般式（８４）で表される１価の基であり、
Ｘ８は、酸素原子、硫黄原子、又はＮＲ８０９であり、
前記一般式（８２）及び一般式（８３）で表される２価の基を形成せず、かつ、前記一般式（８４）で表される１価の基ではないＲ８０１〜Ｒ８０８、前記一般式（８４）で表される１価の基ではないＲ８１１〜Ｒ８１４及びＲ８２１〜Ｒ８２４、並びにＲ８０９は、それぞれ独立に、
水素原子、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｓｉ（Ｒ９０１）（Ｒ９０２）（Ｒ９０３）で表される基、
−Ｏ−（Ｒ９０４）で表される基、
−Ｓ−（Ｒ９０５）で表される基、
−Ｎ（Ｒ９０６）（Ｒ９０７）で表される基、
ハロゲン原子、
シアノ基、
ニトロ基、
置換もしくは無置換の環形成炭素数６〜５０のアリール基、又は
置換もしくは無置換の環形成原子数５〜５０の複素環基である。）
【０５５５】
【化１６０】
2022002256.tif 000162
【０５５６】
（前記一般式（８４）において、
Ａｒ８０１及びＡｒ８０２は、それぞれ独立に、
置換もしくは無置換の環形成炭素数６〜５０のアリール基、又は
置換もしくは無置換の環形成原子数５〜５０の複素環基であり、
Ｌ８０１〜Ｌ８０３は、それぞれ独立に、
単結合、
置換もしくは無置換の環形成炭素数６〜３０のアリーレン基、
置換もしくは無置換の環形成原子数５〜３０の２価の複素環基、又は
置換もしくは無置換の環形成炭素数６〜３０のアリーレン基及び置換もしくは無置換の環形成原子数５〜３０の２価の複素環基からなる群から選択される２〜４個の基が結合して形成される２価の連結基であり、
前記一般式（８４）中の＊は、前記一般式（８）で表される環構造、一般式（８２）又は一般式（８３）で表される基との結合位置を示す。）
【０５５７】
前記一般式（８）において、前記一般式（８２）で示される２価の基及び一般式（８３）で示される２価の基が形成される位置は特に限定されず、Ｒ８０１〜Ｒ８０８の可能な位置において当該基を形成し得る。
【０５５８】
一実施形態において、前記一般式（８）で表される化合物は、下記一般式（８１−１）〜（８１−６）のいずれかで表される。
【０５５９】
【化１６１】
2022002256.tif 000163
【０５６０】
【化１６２】
2022002256.tif 000164
【０５６１】
【化１６３】
2022002256.tif 000165
【０５６２】
（前記一般式（８１−１）〜一般式（８１−６）において、
Ｘ８は、前記一般式（８）におけるＸ８と同義であり、
Ｒ８０１〜Ｒ８２４のうち少なくとも２つは、前記一般式（８４）で表される１価の基であり、
前記一般式（８４）で表される１価の基ではないＲ８０１〜Ｒ８２４は、それぞれ独立に、
水素原子、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｓｉ（Ｒ９０１）（Ｒ９０２）（Ｒ９０３）で表される基、
−Ｏ−（Ｒ９０４）で表される基、
−Ｓ−（Ｒ９０５）で表される基、
−Ｎ（Ｒ９０６）（Ｒ９０７）で表される基、
ハロゲン原子、
シアノ基、
ニトロ基、
置換もしくは無置換の環形成炭素数６〜５０のアリール基、又は
置換もしくは無置換の環形成原子数５〜５０の複素環基である。）
【０５６３】
一実施形態において、前記一般式（８）で表される化合物は、下記一般式（８１−７）〜（８１−１８）のいずれかで表される。
【０５６４】
【化１６４】
2022002256.tif 000166
【０５６５】
【化１６５】
2022002256.tif 000167
【０５６６】
【化１６６】
2022002256.tif 000168
【０５６７】
【化１６７】
2022002256.tif 000169
【０５６８】
【化１６８】
2022002256.tif 000170
【０５６９】
【化１６９】
2022002256.tif 000171
【０５７０】
（前記一般式（８１−７）〜一般式（８１−１８）において、
Ｘ８は、前記一般式（８）におけるＸ８と同義であり、
＊は、前記一般式（８４）で表される１価の基と結合する単結合であり、
Ｒ８０１〜Ｒ８２４は、それぞれ独立に、前記一般式（８１−１）〜一般式（８１−６）における前記一般式（８４）で表される１価の基ではないＲ８０１〜Ｒ８２４とと同義である。）
【０５７１】
前記一般式（８２）及び一般式（８３）で表される２価の基を形成せず、かつ、前記一般式（８４）で表される１価の基ではないＲ８０１〜Ｒ８０８、及び、前記一般式（８４）で表される１価の基ではないＲ８１１〜Ｒ８１４及びＲ８２１〜Ｒ８２４は、好ましくは、それぞれ独立に、
水素原子、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
置換もしくは無置換の環形成炭素数６〜５０のアリール基、又は
置換もしくは無置換の環形成原子数５〜５０の複素環基である。
【０５７２】
前記一般式（８４）で表される１価の基は、好ましくは下記一般式（８５）又は一般式（８６）で表される。
【０５７３】
【化１７０】
2022002256.tif 000172
【０５７４】
（前記一般式（８５）において、
Ｒ８３１〜Ｒ８４０は、それぞれ独立に、
水素原子、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｓｉ（Ｒ９０１）（Ｒ９０２）（Ｒ９０３）で表される基、
−Ｏ−（Ｒ９０４）で表される基、
−Ｓ−（Ｒ９０５）で表される基、
−Ｎ（Ｒ９０６）（Ｒ９０７）で表される基、
ハロゲン原子、
シアノ基、
ニトロ基、
置換もしくは無置換の環形成炭素数６〜５０のアリール基、又は
置換もしくは無置換の環形成原子数５〜５０の複素環基であり、
前記一般式（８５）中の＊は、前記一般式（８４）中の＊と同義である。）
【０５７５】
【化１７１】
2022002256.tif 000173
【０５７６】
（前記一般式（８６）において、
Ａｒ８０１、Ｌ８０１及びＬ８０３は、前記一般式（８４）におけるＡｒ８０１、Ｌ８０１及びＬ８０３と同義であり、
ＨＡｒ８０１は、下記一般式（８７）で表される構造である。）
【０５７７】
【化１７２】
2022002256.tif 000174
【０５７８】
（前記一般式（８７）において、
Ｘ８１は、酸素原子又は硫黄原子であり、
Ｒ８４１〜Ｒ８４８のいずれか１つは、Ｌ８０３に結合する単結合であり、
単結合ではないＲ８４１〜Ｒ８４８は、それぞれ独立に、
水素原子、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｓｉ（Ｒ９０１）（Ｒ９０２）（Ｒ９０３）で表される基、
−Ｏ−（Ｒ９０４）で表される基、
−Ｓ−（Ｒ９０５）で表される基、
−Ｎ（Ｒ９０６）（Ｒ９０７）で表される基、
ハロゲン原子、
シアノ基、
ニトロ基、
置換もしくは無置換の環形成炭素数６〜５０のアリール基、又は
置換もしくは無置換の環形成原子数５〜５０の複素環基である。）
【０５７９】
（一般式（８）で表される化合物の具体例）
前記一般式（８）で表される化合物としては、国際公開第２０１４／１０４１４４号に記載の化合物の他、例えば、以下に示す化合物が具体例として挙げられる。
【０５８０】
【化１７３】
2022002256.tif 000175
【０５８１】
【化１７４】
2022002256.tif 000176
【０５８２】
【化１７５】
2022002256.tif 000177
【０５８３】
【化１７６】
2022002256.tif 000178
【０５８４】
【化１７７】
2022002256.tif 000179
【０５８５】
【化１７８】
2022002256.tif 000180
【０５８６】
（一般式（９）で表される化合物）
一般式（９）で表される化合物について説明する。
【０５８７】
【化１７９】
2022002256.tif 000181
【０５８８】
（前記一般式（９）において、
Ａ９１環及びＡ９２環は、それぞれ独立に、
置換もしくは無置換の環形成炭素数６〜５０の芳香族炭化水素環、又は、
置換もしくは無置換の環形成原子数５〜５０の複素環であり、
Ａ９１環及びＡ９２環からなる群から選択される１以上の環は、
下記一般式（９２）で表される構造の＊と結合する。
【０５８９】
【化１８０】
2022002256.tif 000182
【０５９０】
（前記一般式（９２）において、
Ａ９３環は、
置換もしくは無置換の環形成炭素数６〜５０の芳香族炭化水素環、又は、
置換もしくは無置換の環形成原子数５〜５０の複素環であり、
Ｘ９は、ＮＲ９３、Ｃ（Ｒ９４）（Ｒ９５）、Ｓｉ（Ｒ９６）（Ｒ９７）、Ｇｅ（Ｒ９８）（Ｒ９９）、酸素原子、硫黄原子又はセレン原子であり、
Ｒ９１及びＲ９２は、
互いに結合して、置換もしくは無置換の単環を形成するか、
互いに結合して、置換もしくは無置換の縮合環を形成するか、又は
互いに結合せず、
前記単環を形成せず、かつ前記縮合環を形成しないＲ９１及びＲ９２、並びにＲ９３〜Ｒ９９は、それぞれ独立に、
水素原子、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｓｉ（Ｒ９０１）（Ｒ９０２）（Ｒ９０３）で表される基、
−Ｏ−（Ｒ９０４）で表される基、
−Ｓ−（Ｒ９０５）で表される基、
−Ｎ（Ｒ９０６）（Ｒ９０７）で表される基、
ハロゲン原子、
シアノ基、
ニトロ基、
置換もしくは無置換の環形成炭素数６〜５０のアリール基、又は
置換もしくは無置換の環形成原子数５〜５０の複素環基である。）
【０５９１】
Ａ９１環及びＡ９２環からなる群から選択される１以上の環は、前記一般式（９２）で表される構造の＊と結合する。即ち、一実施形態において、Ａ９１環の前記芳香族炭化水素環の環形成炭素原子、又は前記複素環の環形成原子は、前記一般式（９２）で表される構造の＊と結合する。また、一実施形態において、Ａ９２環の前記芳香族炭化水素環の環形成炭素原子、又は前記複素環の環形成原子は、前記一般式（９２）で表される構造の＊と結合する。
【０５９２】
一実施形態において、Ａ９１環及びＡ９２環のいずれか又は両方に下記一般式（９３）で表される基が結合する。
【０５９３】
【化１８１】
2022002256.tif 000183
【０５９４】
（前記一般式（９３）において、
Ａｒ９１及びＡｒ９２は、それぞれ独立に、
置換もしくは無置換の環形成炭素数６〜５０のアリール基、又は
置換もしくは無置換の環形成原子数５〜５０の複素環基であり、
Ｌ９１〜Ｌ９３は、それぞれ独立に、
単結合、
置換もしくは無置換の環形成炭素数６〜３０のアリーレン基、
置換もしくは無置換の環形成原子数５〜３０の２価の複素環基、又は
置換もしくは無置換の環形成炭素数６〜３０のアリーレン基及び置換もしくは無置換の環形成原子数５〜３０の２価の複素環基からなる群から選択される２〜４個結合して形成される２価の連結基であり、
前記一般式（９３）中の＊は、Ａ９１環及びＡ９２環のいずれかとの結合位置を示す。）
【０５９５】
一実施形態において、Ａ９１環に加えて、Ａ９２環の前記芳香族炭化水素環の環形成炭素原子、又は前記複素環の環形成原子は、前記一般式（９２）で表される構造の＊と結合する。この場合、前記一般式（９２）で表される構造は、互いに同一でもよいし異なってもよい。
【０５９６】
一実施形態において、Ｒ９１及びＲ９２は、それぞれ独立に、置換もしくは無置換の環形成炭素数６〜５０のアリール基である。
一実施形態において、Ｒ９１及びＲ９２は、互いに結合してフルオレン構造を形成する。
【０５９７】
一実施形態において、環Ａ９１及び環Ａ９２は、それぞれ独立に、置換もしくは無置換の環形成炭素数６〜５０の芳香族炭化水素環であり、例えば、置換もしくは無置換のベンゼン環である。
【０５９８】
一実施形態において、環Ａ９３は、置換もしくは無置換の環形成炭素数６〜５０の芳香族炭化水素環であり、例えば、置換もしくは無置換のベンゼン環である。
一実施形態において、Ｘ９は、酸素原子又は硫黄原子である。
【０５９９】
（一般式（９）で表される化合物の具体例）
前記一般式（９）で表される化合物としては、例えば、以下に示す化合物が具体例として挙げられる。
【０６００】
【化１８２】
2022002256.tif 000184
【０６０１】
【化１８３】
2022002256.tif 000185
【０６０２】
【化１８４】
2022002256.tif 000186
【０６０３】
【化１８５】
2022002256.tif 000187
【０６０４】
（一般式（１０）で表される化合物）
一般式（１０）で表される化合物について説明する。
【０６０５】
【化１８６】
2022002256.tif 000188
【０６０６】
【化１８７】
2022002256.tif 000189
【０６０７】
（前記一般式（１０）において、
Ａｘ１環は、隣接環の任意の位置で縮合する前記一般式（１０ａ）で表される環であり、
Ａｘ２環は、隣接環の任意の位置で縮合する前記一般式（１０ｂ）で表される環であり、
前記一般式（１０ｂ）中の２つの＊は、Ａｘ３環の任意の位置と結合し、
ＸＡ及びＸＢは、それぞれ独立に、Ｃ（Ｒ１００３）（Ｒ１００４）、Ｓｉ（Ｒ１００５）（Ｒ１００６）、酸素原子又は硫黄原子であり、
Ａｘ３環は、
置換もしくは無置換の環形成炭素数６〜５０の芳香族炭化水素環、又は
置換もしくは無置換の環形成原子数５〜５０の複素環であり、
Ａｒ１００１は、
置換もしくは無置換の環形成炭素数６〜５０のアリール基、又は
置換もしくは無置換の環形成原子数５〜５０の複素環基であり、
Ｒ１００１〜Ｒ１００６は、それぞれ独立に、
水素原子、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｓｉ（Ｒ９０１）（Ｒ９０２）（Ｒ９０３）で表される基、
−Ｏ−（Ｒ９０４）で表される基、
−Ｓ−（Ｒ９０５）で表される基、
−Ｎ（Ｒ９０６）（Ｒ９０７）で表される基、
ハロゲン原子、
シアノ基、
ニトロ基、
置換もしくは無置換の環形成炭素数６〜５０のアリール基、又は
置換もしくは無置換の環形成原子数５〜５０の複素環基であり、
ｍｘ１は、３であり、ｍｘ２は、２であり、
複数のＲ１００１は、互いに同一であるか、又は異なり、
複数のＲ１００２は、互いに同一であるか、又は異なり、
ａｘは、０、１又は２であり、
ａｘが０又は１の場合、「３−ａｘ」で示されるカッコ内の構造は、互いに同一であるか、又は異なり、
ａｘが２の場合、複数のＡｒ１００１は、互いに同一であるか、又は異なる。）
【０６０８】
一実施形態において、Ａｒ１００１は、置換もしくは無置換の環形成炭素数６〜５０のアリール基である。
【０６０９】
一実施形態において、Ａｘ３環は、置換もしくは無置換の環形成炭素数６〜５０の芳香族炭化水素環であり、例えば、置換もしくは無置換のベンゼン環、置換もしくは無置換のナフタレン環、又は置換もしくは無置換のアントラセン環である。
【０６１０】
一実施形態において、Ｒ１００３及びＲ１００４は、それぞれ独立に、置換もしくは無置換の炭素数１〜５０のアルキル基である。
【０６１１】
一実施形態において、ａｘは１である。
【０６１２】
（一般式（１０）で表される化合物の具体例）
前記一般式（１０）で表される化合物としては、例えば、以下に示す化合物が具体例として挙げられる。
【０６１３】
【化１８８】
2022002256.tif 000190
【０６１４】
一実施形態においては、前記発光層が、第三の化合物の少なくともいずれかの化合物として、
前記一般式（４）で表される化合物、
前記一般式（５）で表される化合物、
前記一般式（７）で表される化合物、
前記一般式（８）で表される化合物、
前記一般式（９）で表される化合物及び
下記一般式（６３ａ）で表される化合物からなる群から選択される１以上の化合物を含有する。
【０６１５】
【化１８９】
2022002256.tif 000191
【０６１６】
（前記一般式（６３ａ）において、
Ｒ６３１は、Ｒ６４６と結合して、置換もしくは無置換の複素環を形成するか、あるいは置換もしくは無置換の複素環を形成しない。
Ｒ６３３は、Ｒ６４７と結合して、置換もしくは無置換の複素環を形成するか、あるいは置換もしくは無置換の複素環を形成しない。
Ｒ６３４は、Ｒ６５１と結合して、置換もしくは無置換の複素環を形成するか、あるいは置換もしくは無置換の複素環を形成しない。
Ｒ６４１は、Ｒ６４２と結合して、置換もしくは無置換の複素環を形成するか、あるいは置換もしくは無置換の複素環を形成しない。
Ｒ６３１〜Ｒ６５１のうちの隣接する２つ以上の１組以上は、
互いに結合して、置換もしくは無置換の単環を形成するか、
互いに結合して、置換もしくは無置換の縮合環を形成するか、又は
互いに結合せず、
前記置換もしくは無置換の複素環を形成せず、前記単環を形成せず、かつ前記縮合環を形成しないＲ６３１〜Ｒ６５１は、それぞれ独立に、
水素原子、
ハロゲン原子、
シアノ基、
ニトロ基、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｓｉ（Ｒ９０１）（Ｒ９０２）（Ｒ９０３）で表される基、
−Ｏ−（Ｒ９０４）で表される基、
−Ｓ−（Ｒ９０５）で表される基、
−Ｎ（Ｒ９０６）（Ｒ９０７）で表される基、
置換もしくは無置換の環形成炭素数６〜５０のアリール基、又は
置換もしくは無置換の環形成原子数５〜５０の複素環基であり、
但し、前記置換もしくは無置換の複素環を形成せず、前記単環を形成せず、かつ前記縮合環を形成しないＲ６３１〜Ｒ６５１のうちの少なくとも１つは、
ハロゲン原子、
シアノ基、
ニトロ基、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｓｉ（Ｒ９０１）（Ｒ９０２）（Ｒ９０３）で表される基、
−Ｏ−（Ｒ９０４）で表される基、
−Ｓ−（Ｒ９０５）で表される基、
−Ｎ（Ｒ９０６）（Ｒ９０７）で表される基、
ハロゲン原子、
シアノ基、
ニトロ基、
置換もしくは無置換の環形成炭素数６〜５０のアリール基、又は
置換もしくは無置換の環形成原子数５〜５０の複素環基である。）
【０６１７】
一実施形態においては、前記一般式（４）で表される化合物が、前記一般式（４１−３）、一般式（４１−４）又は一般式（４１−５）で表される化合物であり、前記一般式（４１−５）中のＡ１環が、置換もしくは無置換の環形成炭素数１０〜５０の縮合芳香族炭化水素環、又は置換もしくは無置換の環形成原子数８〜５０の縮合複素環である。
【０６１８】
一実施形態においては、前記一般式（４１−３）、一般式（４１−４）、及び一般式（４１−５）における、前記置換もしくは無置換の環形成炭素数１０〜５０の縮合芳香族炭化水素環が、
置換もしくは無置換のナフタレン環、
置換もしくは無置換のアントラセン環、又は
置換もしくは無置換のフルオレン環であり、
前記置換もしくは無置換の環形成原子数８〜５０の縮合複素環が、
置換もしくは無置換のジベンゾフラン環、
置換もしくは無置換のカルバゾール環、又は
置換もしくは無置換のジベンゾチオフェン環である。
【０６１９】
一実施形態においては、前記一般式（４１−３）、一般式（４１−４）又は一般式（４１−５）における、前記置換もしくは無置換の環形成炭素数１０〜５０の縮合芳香族炭化水素環が、
置換もしくは無置換のナフタレン環、又は
置換もしくは無置換のフルオレン環であり、
前記置換もしくは無置換の環形成原子数８〜５０の縮合複素環が、
置換もしくは無置換のジベンゾフラン環、
置換もしくは無置換のカルバゾール環、又は
置換もしくは無置換のジベンゾチオフェン環である。
【０６２０】
一実施形態においては、前記一般式（４）で表される化合物が、
下記一般式（４６１）で表される化合物、
下記一般式（４６２）で表される化合物、
下記一般式（４６３）で表される化合物、
下記一般式（４６４）で表される化合物、
下記一般式（４６５）で表される化合物、
下記一般式（４６６）で表される化合物、及び
下記一般式（４６７）で表される化合物からなる群から選択される。
【０６２１】
【化１９０】
2022002256.tif 000192
【０６２２】
【化１９１】
2022002256.tif 000193
【０６２３】
【化１９２】
2022002256.tif 000194
【０６２４】
【化１９３】
2022002256.tif 000195
【０６２５】
【化１９４】
2022002256.tif 000196
【０６２６】
（前記一般式（４６１）〜（４６７）中、
Ｒ４２１〜Ｒ４２７、Ｒ４３１〜Ｒ４３６、Ｒ４４０〜Ｒ４４８及びＲ４５１〜Ｒ４５４のうちの隣接する２つ以上からなる組の１組以上が、
互いに結合して、置換もしくは無置換の単環を形成するか、
互いに結合して、置換もしくは無置換の縮合環を形成するか、又は
互いに結合せず、
Ｒ４３７、Ｒ４３８、並びに前記単環を形成せず、かつ前記縮合環を形成しないＲ４２１〜Ｒ４２７、Ｒ４３１〜Ｒ４３６、Ｒ４４０〜Ｒ４４８及びＲ４５１〜Ｒ４５４は、それぞれ独立に、
水素原子、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｓｉ（Ｒ９０１）（Ｒ９０２）（Ｒ９０３）で表される基、
−Ｏ−（Ｒ９０４）で表される基、
−Ｓ−（Ｒ９０５）で表される基、
−Ｎ（Ｒ９０６）（Ｒ９０７）で表される基、
ハロゲン原子、
シアノ基、
ニトロ基、
置換もしくは無置換の環形成炭素数６〜５０のアリール基、又は
置換もしくは無置換の環形成原子数５〜５０の複素環基であり、
Ｘ４は、酸素原子、ＮＲ８０１、又はＣ（Ｒ８０２）（Ｒ８０３）であり、
Ｒ８０１、Ｒ８０２及びＲ８０３は、それぞれ独立に、
水素原子、
置換もしくは無置換の炭素数１〜５０のアルキル基、
置換もしくは無置換の環形成炭素数３〜５０のシクロアルキル基、
置換もしくは無置換の環形成炭素数６〜５０のアリール基、又は
置換もしくは無置換の環形成原子数５〜５０の複素環基であり、
置換もしくは無置換の炭素数１〜５０のアルキル基、又は
置換もしくは無置換の環形成炭素数６〜５０のアリール基であり、
Ｒ８０１が複数存在する場合、複数のＲ８０１は、互いに同一であるか又は異なり、
Ｒ８０２が複数存在する場合、複数のＲ８０２は、互いに同一であるか又は異なり、
Ｒ８０３が複数存在する場合、複数のＲ８０３は、互いに同一であるか又は異なる。）
【０６２７】
一実施形態においては、Ｒ４２１〜Ｒ４２７及びＲ４４０〜Ｒ４４８が、それぞれ独立に、
水素原子、
置換もしくは無置換の環形成炭素数６〜５０のアリール基、又は
置換もしくは無置換の環形成原子数５〜５０の複素環基である。
【０６２８】
一実施形態においては、Ｒ４２１〜Ｒ４２７及びＲ４４０〜Ｒ４４７が、それぞれ独立に、
水素原子、
置換もしくは無置換の環形成炭素数６〜１８のアリール基、及び
置換もしくは無置換の環形成原子数５〜１８の複素環基からなる群から選択される。
【０６２９】
一実施形態においては、前記一般式（４１−３）で表される化合物が、下記一般式（４１−３−１）で表される化合物である。
【０６３０】
【化１９５】
2022002256.tif 000197
【０６３１】
（前記一般式（４１−３−１）中、Ｒ４２３、Ｒ４２５、Ｒ４２６、Ｒ４４２、Ｒ４４４及びＲ４４５は、それぞれ独立に、前記一般式（４１−３）におけるＲ４２３、Ｒ４２５、Ｒ４２６、Ｒ４４２、Ｒ４４４及びＲ４４５と同義である。）
【０６３２】
一実施形態においては、前記一般式（４１−３）で表される化合物が、下記一般式（４１−３−２）で表される化合物である。
【０６３３】
【化１９６】
2022002256.tif 000198
【０６３４】
（前記一般式（４１−３−２）中、Ｒ４２１〜Ｒ４２７及びＲ４４０〜Ｒ４４８は、それぞれ独立に、前記一般式（４１−３）におけるＲ４２１〜Ｒ４２７及びＲ４４０〜Ｒ４４８と同義であり、
但し、Ｒ４２１〜Ｒ４２７及びＲ４４０〜Ｒ４４６の少なくとも１つは、−Ｎ（Ｒ９０６）（Ｒ９０７）で表される基である。）
【０６３５】
一実施形態においては、前記式（４１−３−２）における、Ｒ４２１〜Ｒ４２７及びＲ４４０〜Ｒ４４６のいずれか２つが、−Ｎ（Ｒ９０６）（Ｒ９０７）で表される基である。
【０６３６】
一実施形態においては、前記式（４１−３−２）で表される化合物が、下記式（４１−３−３）で表される化合物である。
【０６３７】
【化１９７】
2022002256.tif 000199
【０６３８】
（前記一般式（４１−３−３）中、Ｒ４２１〜Ｒ４２４、Ｒ４４０〜Ｒ４４３、Ｒ４４７及びＲ４４８は、それぞれ独立に、前記一般式（４１−３）におけるＲ４２１〜Ｒ４２４、Ｒ４４０〜Ｒ４４３、Ｒ４４７及びＲ４４８と同義であり、
ＲＡ、ＲＢ、ＲＣ及びＲＤは、それぞれ独立に、
置換もしくは無置換の環形成炭素数６〜１８のアリール基、又は
置換もしくは無置換の環形成原子数５〜１８の複素環基である。）
【０６３９】
一実施形態においては、前記式（４１−３−３）で表される化合物が、下記式（４１−３−４）で表される化合物である。
【０６４０】
【化１９８】
2022002256.tif 000200
【０６４１】
（前記一般式（４１−３−４）中、Ｒ４４７、Ｒ４４８、ＲＡ、ＲＢ、ＲＣ及びＲＤは、それぞれ独立に、前記式（４１−３−３）におけるＲ４４７、Ｒ４４８、ＲＡ、ＲＢ、ＲＣ及びＲＤと同義である。）
【０６４２】
一実施形態においては、ＲＡ、ＲＢ、ＲＣ及びＲＤが、それぞれ独立に、置換もしくは無置換の環形成炭素数６〜１８のアリール基である。
【０６４３】
一実施形態においては、ＲＡ、ＲＢ、ＲＣ及びＲＤが、それぞれ独立に、置換もしくは無置換のフェニル基である。
【０６４４】
一実施形態においては、Ｒ４４７及びＲ４４８が、水素原子である。
【０６４５】
一実施形態においては、前記各式中の「置換もしくは無置換の」という場合における置換基が、
無置換の炭素数１〜５０のアルキル基、
無置換の炭素数２〜５０のアルケニル基、
無置換の炭素数２〜５０のアルキニル基、
無置換の環形成炭素数３〜５０のシクロアルキル基、
−Ｓｉ（Ｒ９０１ａ）（Ｒ９０２ａ）（Ｒ９０３ａ）、
−Ｏ−（Ｒ９０４ａ）、
−Ｓ−（Ｒ９０５ａ）、
−Ｎ（Ｒ９０６ａ）（Ｒ９０７ａ）、
ハロゲン原子、
シアノ基、
ニトロ基、
無置換の環形成炭素数６〜５０のアリール基、又は
無置換の環形成原子数５〜５０の複素環基であり、
Ｒ９０１ａ〜Ｒ９０７ａは、それぞれ独立に、
水素原子、
無置換の炭素数１〜５０のアルキル基、
無置換の環形成炭素数６〜５０のアリール基、又は
無置換の環形成原子数５〜５０の複素環基であり、
Ｒ９０１ａが２以上存在する場合、２以上のＲ９０１ａは、互いに同一であるか、又は異なり、
Ｒ９０２ａが２以上存在する場合、２以上のＲ９０２ａは、互いに同一であるか、又は異なり、
Ｒ９０３ａが２以上存在する場合、２以上のＲ９０３ａは、互いに同一であるか、又は異なり、
Ｒ９０４ａが２以上存在する場合、２以上のＲ９０４ａは、互いに同一であるか、又は異なり、
Ｒ９０５ａが２以上存在する場合、２以上のＲ９０５ａは、互いに同一であるか、又は異なり、
Ｒ９０６ａが２以上存在する場合、２以上のＲ９０６ａは、互いに同一であるか、又は異なり、
Ｒ９０７ａが２以上存在する場合、２以上のＲ９０７ａは、互いに同一であるか、又は異なる。
【０６４６】
一実施形態においては、前記各式中の「置換もしくは無置換の」という場合における置換基が、
無置換の炭素数１〜５０のアルキル基、
無置換の環形成炭素数６〜５０のアリール基、又は
無置換の環形成原子数５〜５０の複素環基である。
【０６４７】
一実施形態においては、前記各式中の「置換もしくは無置換の」という場合における置換基が、
無置換の炭素数１〜１８のアルキル基、
無置換の環形成炭素数６〜１８のアリール基、又は
無置換の環形成原子数５〜１８の複素環基である。
【０６４８】
〔第二実施形態〕
（電子機器）
本実施形態に係る電子機器は、上述の実施形態のいずれかの有機ＥＬ素子を搭載している。電子機器としては、例えば、表示装置及び発光装置等が挙げられる。表示装置としては、例えば、表示部品（例えば、有機ＥＬパネルモジュール等）、テレビ、携帯電話、タブレット、及びパーソナルコンピュータ等が挙げられる。発光装置としては、例えば、照明及び車両用灯具等が挙げられる。
【０６４９】
〔実施形態の変形〕
なお、本発明は、上述の実施形態に限定されず、本発明の目的を達成できる範囲での変更、改良等は、本発明に含まれる。
【０６５０】
また、例えば、発光層の陽極側、及び陰極側の少なくとも一方に障壁層を隣接させて設けてもよい。障壁層は、発光層に接して配置され、正孔、電子、及び励起子の少なくともいずれかを阻止することが好ましい。
例えば、発光層の陰極側で接して障壁層が配置された場合、当該障壁層は、電子を輸送し、かつ正孔が当該障壁層よりも陰極側の層（例えば、電子輸送層）に到達することを阻止する。有機ＥＬ素子が、電子輸送層を含む場合は、発光層と電子輸送層との間に当該障壁層を含むことが好ましい。
また、発光層の陽極側で接して障壁層が配置された場合、当該障壁層は、正孔を輸送し、かつ電子が当該障壁層よりも陽極側の層（例えば、正孔輸送層）に到達することを阻止する。有機ＥＬ素子が、正孔輸送層を含む場合は、発光層と正孔輸送層との間に当該障壁層を含むことが好ましい。
また、励起エネルギーが発光層からその周辺層に漏れ出さないように、障壁層を発光層に隣接させて設けてもよい。発光層で生成した励起子が、当該障壁層よりも電極側の層（例えば、電子輸送層及び正孔輸送層等）に移動することを阻止する。
発光層と障壁層とは接合していることが好ましい。
【０６５１】
その他、本発明の実施における具体的な構造、及び形状等は、本発明の目的を達成できる範囲で他の構造等としてもよい。
【実施例】
【０６５２】
＜化合物＞
実施例１〜５の有機ＥＬ素子の製造に用いた第一のホスト材料としての化合物の構造を以下に示す。
【０６５３】
【化１９９】
2022002256.tif 000201
【０６５４】
実施例１〜５の有機ＥＬ素子の製造に用いた第一の有機材料としての化合物の構造を以下に示す。
【０６５５】
【化２００】
2022002256.tif 000202
【０６５６】
【化２０１】
2022002256.tif 000203
【０６５７】
実施例１〜５並びに比較例１〜３の有機ＥＬ素子の製造に用いた他の化合物の構造を以下に示す。
【０６５８】
【化２０２】
2022002256.tif 000204
【０６５９】
【化２０３】
2022002256.tif 000205
【０６６０】
＜有機ＥＬ素子の作製＞
有機ＥＬ素子を以下のように作製し、評価した。
【０６６１】
（実施例１）
２５ｍｍ×７５ｍｍ×１．１ｍｍ厚のＩＴＯ（Ｉｎｄｉｕｍ  Ｔｉｎ  Ｏｘｉｄｅ）透明電極（陽極）付きガラス基板（ジオマテック株式会社製）をイソプロピルアルコール中で超音波洗浄を５分間行なった後、ＵＶオゾン洗浄を３０分間行なった。ＩＴＯ透明電極の膜厚は、１３０ｎｍとした。
洗浄後の透明電極ライン付きガラス基板を真空蒸着装置の基板ホルダーに装着し、まず透明電極ラインが形成されている側の面上に透明電極を覆うようにして化合物ＨＡ１を蒸着し、膜厚１０ｎｍの正孔注入層（ＨＩ）を形成した。
正孔注入層の成膜に続けて化合物ＨＴ１を蒸着し、膜厚８０ｎｍの第一の正孔輸送層（ＨＴ）を成膜した。
第一の正孔輸送層の成膜に続けて化合物ＢＨ２−５を蒸着し、膜厚５ｎｍの第二の正孔輸送層（電子障壁層ともいう）（ＥＢＬ）を成膜した。
第二の正孔輸送層上に化合物ＢＨ１−１（第一のホスト材料（ＢＨ））、化合物ＢＨ２−１（第一の有機材料）及び化合物ＢＤ１（第一のドーパント材料（ＢＤ））を共蒸着し、膜厚２５ｎｍの発光層を成膜した。発光層における化合物ＢＨ１−１の濃度を９３質量％とし、化合物ＢＨ２−１の濃度を５質量％とし、化合物ＢＤ１の濃度を２質量％とした。
発光層上に化合物ＥＴ１を蒸着し、膜厚２５ｎｍの電子輸送層（正孔障壁層ともいう）（ＥＴ）を形成した。
電子輸送層上にＬｉＦを蒸着して膜厚１ｎｍの電子注入層を形成した。
電子注入層上に金属Ａｌを蒸着して膜厚８０ｎｍの陰極を形成した。
実施例１の素子構成を略式的に示すと、次のとおりである。
ITO(130)/HA1(10)/HT1(80)/BH2-5(5)/BH1-1:BH2-1:BD1(25,93%:5%:2%)/ET1(25)/LiF(1)/Al(80)
なお、括弧内の数字は、膜厚（単位：ｎｍ）を示す。
同じく括弧内において、パーセント表示された数字（９３％：５％：２％）は、発光層における第一のホスト材料（化合物ＢＨ１−１）、第一の有機材料（化合物ＢＨ２−１）及び第一のドーパント材料（化合物ＢＤ１）の割合（質量％）を示す。以下、同様の表記とする。
【０６６２】
（比較例１）
比較例１の有機ＥＬ素子は、表１に記載のとおり、第一の有機材料を用いずに、第一のホスト材料及び第一のドーパント材料を用いて発光層を成膜したこと以外、実施例１と同様にして作製した。
【０６６３】
＜有機ＥＬ素子の評価＞
実施例１〜５及び比較例１〜３で作製した有機ＥＬ素子について、以下の評価を行った。評価結果を表１、表２又は表３に示す。
【０６６４】
・ＣＩＥ１９３１色度
電流密度が１０ｍＡ／ｃｍ２となるように素子に電圧を印加した時の分光放射輝度スペクトルを分光放射輝度計ＣＳ−２０００（コニカミノルタ株式会社製）で計測した。得られた分光放射輝度スペクトルから、ＣＩＥｘ及びＣＩＥｙを算出した。
表１中のΔＣＩＥｙは、実施例１又は比較例１の有機ＥＬ素子のＣＩＥｙを、比較例１の有機ＥＬ素子のＣＩＥｙで除して算出した値である。
表２中のΔＣＩＥｙは、実施例２、実施例３又は比較例２の有機ＥＬ素子のＣＩＥｙを、比較例２の有機ＥＬ素子のＣＩＥｙで除して算出した値である。
表３中のΔＣＩＥｙは、実施例４、実施例５又は比較例３の有機ＥＬ素子のＣＩＥｙを、比較例３の有機ＥＬ素子のＣＩＥｙで除して算出した値である。
【０６６５】
【表１】
2022002256.tif 000206
【０６６６】
（実施例２及び実施例３）
実施例２及び実施例３の有機ＥＬ素子は、それぞれ、第一のホスト材料及び第一の有機材料を表２に示す材料に変更したこと以外、実施例１と同様にして作製した。
【０６６７】
（比較例２）
比較例２の有機ＥＬ素子は、第一のホスト材料を表２に示す材料に変更し、第一の有機材料を用いずに、第一のホスト材料及び第一のドーパント材料を用いて発光層を成膜したこと以外、実施例１と同様にして作製した。
【０６６８】
【表２】
2022002256.tif 000207
【０６６９】
（実施例４及び実施例５）
実施例４及び実施例５の有機ＥＬ素子は、それぞれ、第一のホスト材料及び第一の有機材料を表３に示す材料に変更したこと以外、実施例１と同様にして作製した。
【０６７０】
（比較例３）
比較例３の有機ＥＬ素子は、第一のホスト材料を表３に示す材料に変更し、第一の有機材料を用いずに、第一のホスト材料及び第一のドーパント材料を用いて発光層を成膜したこと以外、実施例１と同様にして作製した。
【０６７１】
【表３】
2022002256.tif 000208
【０６７２】
実施例１〜５に係る有機ＥＬ素子は、前記数式（数１）〜（数６）の関係を満たす発光層を備える。実施例１〜５に係る有機ＥＬ素子によれば、色度の低下が抑制された。
【０６７３】
＜化合物の評価方法＞
（三重項エネルギーＴ１）
測定対象となる化合物をＥＰＡ（ジエチルエーテル：イソペンタン：エタノール＝５：５：２（容積比））中に、濃度が１０μｍｏｌ／Ｌとなるように溶解し、この溶液を石英セル中に入れて測定試料とした。この測定試料について、低温（７７［Ｋ］）で燐光スペクトル（縦軸：燐光発光強度、横軸：波長とする。）を測定し、この燐光スペクトルの短波長側の立ち上がりに対して接線を引き、その接線と横軸との交点の波長値λｅｄｇｅ［ｎｍ］に基づいて、次の換算式（Ｆ１）から算出されるエネルギー量を三重項エネルギーＴ１とした。
換算式（Ｆ１）：Ｔ１［ｅＶ］＝１２３９．８５／λｅｄｇｅ
【０６７４】
燐光スペクトルの短波長側の立ち上がりに対する接線は以下のように引く。燐光スペクトルの短波長側から、スペクトルの極大値のうち、最も短波長側の極大値までスペクトル曲線上を移動する際に、長波長側に向けて曲線上の各点における接線を考える。この接線は、曲線が立ち上がるにつれ（つまり縦軸が増加するにつれ）、傾きが増加する。この傾きの値が極大値をとる点において引いた接線（すなわち変曲点における接線）が、当該燐光スペクトルの短波長側の立ち上がりに対する接線とする。
なお、スペクトルの最大ピーク強度の１５％以下のピーク強度をもつ極大点は、上述の最も短波長側の極大値には含めず、最も短波長側の極大値に最も近い、傾きの値が極大値をとる点において引いた接線を当該燐光スペクトルの短波長側の立ち上がりに対する接線とする。
燐光の測定には、（株）日立ハイテクノロジー製のＦ−４５００形分光蛍光光度計本体を用いた。
【０６７５】
（一重項エネルギーＳ１）
測定対象となる化合物の１０μｍｏｌ／Ｌトルエン溶液を調製して石英セルに入れ、常温（３００Ｋ）でこの試料の吸収スペクトル（縦軸：吸収強度、横軸：波長とする。）を測定した。この吸収スペクトルの長波長側の立ち下がりに対して接線を引き、その接線と横軸との交点の波長値λｅｄｇｅ［ｎｍ］を次に示す換算式（Ｆ２）に代入して一重項エネルギーを算出した。
換算式（Ｆ２）：Ｓ１［ｅＶ］＝１２３９．８５／λｅｄｇｅ
吸収スペクトル測定装置としては、日立社製の分光光度計（装置名：Ｕ３３１０）を用いた。
【０６７６】
吸収スペクトルの長波長側の立ち下がりに対する接線は以下のように引く。吸収スペクトルの極大値のうち、最も長波長側の極大値から長波長方向にスペクトル曲線上を移動する際に、曲線上の各点における接線を考える。この接線は、曲線が立ち下がるにつれ（つまり縦軸の値が減少するにつれ）、傾きが減少しその後増加することを繰り返す。傾きの値が最も長波長側（ただし、吸光度が０．１以下となる場合は除く）で極小値をとる点において引いた接線を当該吸収スペクトルの長波長側の立ち下がりに対する接線とする。
なお、吸光度の値が０．２以下の極大点は、上記最も長波長側の極大値には含めない。
【０６７７】
・溶液の半値幅（ＨＷＳ)
化合物の溶液の半値幅ＦＷＨＭの測定方法は、次の通りである。（なお、本明細書において、「化合物の溶液中の半値幅ＦＷＨＭ」をＨＷＳと表記する場合がある。）
測定対象となる化合物を５．０×１０−６ｍｏｌ／Ｌの濃度でトルエンに溶解し、測定用試料を調製した。石英セルへ入れた測定用試料に室温（３００Ｋ）で励起光を照射し、蛍光スペクトル（縦軸：蛍光強度、横軸：波長）を測定した。蛍光スペクトル測定には、日立ハイテクサイエンス社の分光蛍光光度計Ｆ−７０００形を用いた。
測定した蛍光スペクトルのピーク波長の強度の半分の強度となる波長の幅を計測することによりＨＷＳ（単位：ｎｍ）を算出した。
【０６７８】
・膜の半値幅（ＨＷＦ）
化合物の膜の半値幅ＦＷＨＭの測定方法は、次の通りである。（なお、本明細書において、「化合物の膜の半値幅ＦＷＨＭ」をＨＷＦと表記する場合がある。）
２０ｍｍ×１０ｍｍ×１ｍｍ厚の石英基板をイソプロピルアルコール中で、５分間、超音波洗浄した後、３０分間、ＵＶオゾン洗浄した。
ＵＶオゾン洗浄後の石英基板を真空蒸着装置の基板ホルダーに装着し、測定対象の化合物を用いて、膜厚５０ｎｍの膜を成膜した。このようにして、半値幅測定用サンプルを作製し、この半値幅測定用サンプルの膜の蛍光スペクトルを測定した。蛍光スペクトル測定には、日立ハイテクサイエンス社の分光蛍光光度計Ｆ−７０００形を用いた。
測定した蛍光スペクトルのピーク波長の強度の半分の強度となる波長の幅を計測することによりＨＷＦ（単位：ｎｍ）を算出した。
【０６７９】
・ΔＦＷＨＭ
化合物のΔＦＷＨＭ（単位：ｎｍ）は、ＨＷＦの値から、ＨＷＳの値を引いて、算出した。
【０６８０】
・イオン化ポテンシャルＩｐ
化合物のイオン化ポテンシャルＩｐ（単位：ｅＶ）は、大気下で、光電子分光装置（理研計器株式会社製、「ＡＣ−３」）を用いて測定した。具体的には、材料に光を照射し、その際に電荷分離によって生じる電子量を測定することにより、化合物のイオン化ポテンシャルを測定した。表中のＩｐは、イオン化ポテンシャルの略称である。
【０６８１】
・アフィニティＡｆ
電子アフィニティ準位は、イオン化ポテンシャルＩｐと一重項エネルギーＳ１の測定値から算出した。イオン化ポテンシャルＩｐ及び一重項エネルギーＳ１は前述の方法により測定した。電子アフィニティ準位の算出式は、次のとおりである。
Ａｆ＝Ｉｐ−Ｓ１
【０６８２】
・正孔移動度及び電子移動度
（正孔移動度）
インピーダンス分光法を用いて正孔移動度μＨを測定した。
素子作製用基板となるガラス基板（２５ｍｍ×７５ｍｍ×０．７ｍｍ厚）の上に、膜厚１３０ｎｍの酸化インジウム−酸化スズ（ＩＴＯ：Ｉｎｄｉｕｍ  Ｔｉｎ  Ｏｘｉｄｅ）膜をスパッタリング法により成膜し陽極を形成した。陽極の上に、真空蒸着法を用いて、膜厚５ｎｍの化合物Ａ−１からなる層、膜厚１０ｎｍの化合物Ａ−２からなる層、膜厚２００ｎｍの測定対象化合物からなる層（測定対象層）、及び膜厚８０ｎｍのＡｌ膜（陰極）をこの順で積層して正孔移動度測定用の素子を作製した。
次に正孔移動度測定用の素子に１００ｍＶの交流電圧を乗せたＤＣ電圧を印加し複素モジュラスを測定した。モジュラスの虚部が最大となる周波数をｆｍａｘ（Ｈｚ）としたとき、応答時間Ｔ（秒）をＴ＝１／（２πｆｍａｘ）として算出し、この値を用いて正孔移動度μＨの電界強度依存性を決定した。電界強度０．２５ＭＶ／ｃｍの正孔移動度μＨを以下に記載した。
正孔移動度μＨ[ｃｍ２/Ｖｓ]の換算式は、以下の通りである。
換算式：  μＨ＝ｄ２／（Ｖ・ｔＩＳ）
ｄ  ：測定対象層の膜厚[ｃｍ]
Ｖ  ：電圧[Ｖ]
ｔＩＳ：応答時間[ｓ]
【０６８３】
（電子移動度）
２５ｍｍ×７５ｍｍ×１．１ｍｍ厚の素子作製用基板となるガラス基板（２５ｍｍ×７５ｍｍ×１．１ｍｍ厚）の上に、真空蒸着法を用いて、膜厚８０ｎｍのＡｌ膜（陽極）、膜厚２００ｎｍの測定対象化合物からなる層（測定対象層）、膜厚１０ｎｍの化合物Ｂ−１からなる層、膜厚１ｎｍのＬｉＦ膜、及び膜厚８０ｎｍのＡｌ膜（陰極）をこの順で積層して、電子移動度測定用の素子を作製した。電子移動度測定用の素子について、正孔移動度μＨと同様にして電子移動度μＥを測定した。
【０６８４】
正孔移動度及び電子移動度の測定で用いた化合物を以下に示す。
【０６８５】
【化２０４】
2022002256.tif 000209
【０６８６】
【表４】
2022002256.tif 000210
【符号の説明】
【０６８７】
１…有機ＥＬ素子、２…基板、３…陽極、４…陰極、５…発光層、６…正孔注入層、７…正孔輸送層、８…電子輸送層、９…電子注入層。
【図１】
2022002256.tif 000226